(57)【特許請求の範囲】
【請求項１】
扉体と、
制御手段と、
第一の検出手段と、
第二の検出手段と、
を備えた遊技台であって、
前記制御手段は、マイクロプロセッサを含む手段であり、
前記第一の検出手段は、磁気を検出可能な手段であり、
前記第一の検出手段は、検出した磁気の強さによって、磁気検出信号を出力する場合がある手段であり、
前記第二の検出手段は、前記扉体の状態が閉鎖状態から開放状態に変化した場合に、前記制御手段に対する扉開放信号の出力を開始する手段であり、
前記第二の検出手段は、前記扉体の状態が前記開放状態から前記閉鎖状態に変化した場合に、前記制御手段に対する前記扉開放信号の出力を終了する手段であり、
前記制御手段は、前記扉開放信号を入力している状態から、該扉開放信号の出力が終了されたことにより該扉開放信号が入力されない状態に変化した場合に、前記扉体が閉鎖されたと判定するように構成されており、
前記磁気の強さは、第一の値と第二の値により判定され、
前記第一の検出手段は、前記第一の値を記憶可能な記憶手段を備えた手段であり、
前記第二の値とは、前記第一の検出手段によって検出された磁気の値のことであり、
前記制御手段は、前記マイクロプロセッサがリセットされた場合に、初期化信号を前記第一の検出手段に対して出力する手段であり、
前記第一の検出手段は、前記初期化信号が入力されることにより、前記第一の値を前記記憶手段に記憶する手段であり、
前記第一の検出手段は、前記記憶手段に記憶されている前記第一の値よりも前記第二の値の方が高い場合に、前記磁気検出信号を出力可能な手段であり、
前記制御手段は、前記扉体が閉鎖されたと判定した場合に、前記初期化信号を前記第一の検出手段に対して出力する手段であり、
前記制御手段は、前記第一の検出手段からの前記磁気検出信号の入力があったことを一つの条件として、磁気エラーと判定する手段であり、
前記制御手段は、前記初期化信号の出力中に前記扉体が開放されたと判定した場合に、該初期化信号の出力を中止する手段であり、
前記制御手段は、前記初期化信号の出力が中断された後で前記扉体が閉鎖されたと判定した場合に、該初期化信号を再度出力する、
ことを特徴とする遊技台。
【請求項２】
請求項１に記載の遊技台であって、
前記マイクロプロセッサは、制御プログラムに基づいた動作を実行するように構成されており、
前記制御プログラムは、初期化処理のプログラムを含み、
前記初期化処理は、前記マイクロプロセッサがリセットされたことを条件に実行されるように構成されており、
前記初期化処理は、前記初期化信号の出力開始処理を含み、
請求項１に記載の「前記マイクロプロセッサがリセットされた場合」とは、「前記初期化信号の出力開始処理が実行された場合」のことであり、
前記第一の検出手段は、電源投入時に自動的に前記初期化処理を実行する、
ことを特徴とする遊技台。
【請求項３】
請求項１または請求項２に記載の遊技台であって、
前記第一の検出手段は、前記制御手段により出力される前記初期化信号を入力している期間（以下、「入力期間」という。）は、前記第一の値よりも前記第二の値の方が高い場合であっても、前記磁気検出信号を該制御手段に対して出力しない手段であり、
前記第一の検出手段は、前記制御手段による前記初期化信号の出力が終了されたことにより前記入力期間が終了した後で、前記第一の値よりも前記第二の値の方が高い場合に、前記磁気検出信号を該制御手段に対して出力可能な手段であり、
前記制御手段は、前記磁気エラーと判定した場合に、他の制御手段に該磁気エラーがあったことを示すコマンドを送信する、
ことを特徴とする遊技台。
【請求項４】
請求項１乃至３のうちのいずれか一項に記載の遊技台であって、
内枠を備え、
前記内枠は、外枠によって開閉可能に支持されるものであり、
前記扉体とは、前記内枠のことである、
ことを特徴とする遊技台。
【請求項５】
請求項１乃至３のうちのいずれか一項に記載の遊技台であって、
ガラス枠を備え、
前記ガラス枠は、外枠によって開閉可能に支持される内枠によって、開閉可能に支持されるものであり、
前記扉体とは、前記ガラス枠のことである、
ことを特徴とする遊技台。
【請求項６】
請求項１乃至５のうちのいずれか一項に記載の遊技台であって、
前記遊技台は、ぱちんこ機であり、
前記第一の検出手段は、前記制御手段による前記初期化信号の出力中である場合に、前記磁気の検出動作を停止する手段であり、
前記制御手段は、前記第一の検出手段によって前記磁気検出信号が入力された場合に、遊技を停止させる制御を少なくとも実行する手段である、
ことを特徴とする遊技台。
【発明の詳細な説明】
【技術分野】
【０００１】
本発明は、弾球遊技機（ぱちんこ機）、回胴遊技機（スロットマシン）、封入式遊技機あるいはメダルレススロットマシンに代表される遊技台に関する。
【背景技術】
【０００２】
従来の遊技台は、制御手段を備えている（例えば、特許文献１）。
【先行技術文献】
【特許文献】
【０００３】
【特許文献１】特開２００８−２００３０２号公報
【発明の概要】
【発明が解決しようとする課題】
【０００４】
しかしながら、従来の遊技台は、制御手段について改良の余地がある。
【０００５】
本発明の目的は、制御手段に特徴を持った遊技台を提供することにある。
【課題を解決するための手段】
【０００６】
本発明に係る遊技台は、扉体と、制御手段と、第一の検出手段と、第二の検出手段と、を備えた遊技台であって、前記制御手段は、マイクロプロセッサを含む手段であり、前記第一の検出手段は、磁気を検出可能な手段であり、前記第一の検出手段は、検出した磁気の強さによって、磁気検出信号を出力する場合がある手段であり、前記第二の検出手段は、前記扉体の状態が閉鎖状態から開放状態に変化した場合に、前記制御手段に対する扉開放信号の出力を開始する手段であり、前記第二の検出手段は、前記扉体の状態が前記開放状態から前記閉鎖状態に変化した場合に、前記制御手段に対する前記扉開放信号の出力を終了する手段であり、前記制御手段は、前記扉開放信号を入力している状態から、該扉開放信号の出力が終了されたことにより該扉開放信号が入力されない状態に変化した場合に、前記扉体が閉鎖されたと判定するように構成されており、前記磁気の強さは、第一の値と第二の値により判定され、前記第一の検出手段は、前記第一の値を記憶可能な記憶手段を備えた手段であり、前記第二の値とは、前記第一の検出手段によって検出された磁気の値のことであり、前記制御手段は、前記マイクロプロセッサがリセットされた場合に、初期化信号を前記第一の検出手段に対して出力する手段であり、前記第一の検出手段は、前記初期化信号が入力されることにより、前記第一の値を前記記憶手段に記憶する手段であり、前記第一の検出手段は、前記記憶手段に記憶されている前記第一の値よりも前記第二の値の方が高い場合に、前記磁気検出信号を出力可能な手段であり、前記制御手段は、前記扉体が閉鎖されたと判定した場合に、前記初期化信号を前記第一の検出手段に対して出力する手段であり、前記制御手段は、前記第一の検出手段からの前記磁気検出信号の入力があったことを一つの条件として、磁気エラーと判定する手段であり、前記制御手段は、前記初期化信号の出力中に前記扉体が開放されたと判定した場合に、該初期化信号の出力を中止する手段であり、前記制御手段は、前記初期化信号の出力が中断された後で前記扉体が閉鎖されたと判定した場合に、該初期化信号を再度出力する、ことを特徴とする遊技台である。
【発明の効果】
【０００７】
本発明によれば、制御手段に特徴を持った遊技台を提供することができる。
【図面の簡単な説明】
【０００８】
【図１】ぱちんこ機を正面側（遊技者側）から見た外観斜視図である。
【図２】ぱちんこ機を背面側から見た外観図である。
【図３】遊技盤を正面から見た略示正面図である。
【図４】制御部の回路ブロック図を示したものである。
【図５】（ａ）特図１の停止図柄態様の一例を示したものである。（ｂ）特図２の停止図柄態様の一例を示したものである。（ｃ）装飾図柄の停止図柄態様の一例を示したものである。（ｄ）普図の停止表示図柄の一例を示したものである。
【図６】主制御部メイン処理の流れを示すフローチャートである。
【図７】主制御部タイマ割込処理の流れを示すフローチャートである。
【図８】特図先読み処理の流れの一例を示すフローチャートである。
【図９】先読み結果記憶部に先読み結果情報等が記憶された状態を例示したものである。
【図１０】払出制御部メイン処理の流れを示すフローチャートである。
【図１１】払出制御部タイマ割込処理の流れを示すフローチャートである。
【図１２】本実施形態の広範囲磁気センサを説明する概要図である。
【図１３】本実施形態の広範囲磁気センサを説明する概要図である。
【図１４】本実施形態の広範囲磁気センサを示す図であり、（ａ）は、広範囲磁気センサ外観斜視図であり、（ｂ）は、広範囲磁気センサの位置関係を示す側面図である。
【図１５】本実施形態の広範囲磁気センサの検出（検知）空間の概念図である。
【図１６】本実施形態の広範囲磁気センサの回路構成を示す概要図である。
【図１７】本実施形態の広範囲磁気センサに関する信号出力の流れを示すブロック図である。
【図１８】本実施形態の広範囲磁気センサに関する信号出力の流れを示すブロック図である。
【図１９】本実施形態のぱちんこ機のタイミングチャートの一例である。
【図２０】本実施形態のぱちんこ機のタイミングチャートの一例である。
【図２１】本実施形態のぱちんこ機のタイミングチャートの一例である。
【図２２】本実施形態の広範囲磁気センサに関する信号出力の流れを示すブロック図である。
【図２３】各基板間の接続の一例を示す概要図である。
【図２４】本実施形態のぱちんこ機のタイミングチャートの一例である。
【図２５】本実施形態のぱちんこ機のタイミングチャートの一例である。
【図２６】本実施形態のぱちんこ機のタイミングチャートの一例である。
【図２７】本実施形態のぱちんこ機のタイミングチャートの一例である。
【図２８】大当り遊技の開始タイミングと終了タイミングを表したタイムチャートである。
【図２９】本実施形態のアタッカーユニットを示す正面図である。
【図３０】本実施形態のアタッカーユニットを示す正面図である。
【図３１】本実施形態のぱちんこ機が報知するエラーの一例を示す図である。
【図３２】本実施形態のぱちんこ機が報知するエラーの一例を示す図である。
【図３３】一遊技中の装飾図柄表示装置における表示の一例を時系列に示した図である。
【図３４】一遊技中の装飾図柄表示装置における表示の一例を時系列に示した図である。
【図３５】一遊技中の装飾図柄表示装置における表示の一例を時系列に示した図である。
【図３６】磁気検知エラー報知を行う場合の表示例である。
【図３７】磁気検知エラー報知を行う場合の表示例である。
【図３８】磁気検知エラー報知を行う場合の表示例である。
【発明を実施するための形態】
【０００９】
以下、図面を用いて、本発明の実施形態１に係る遊技台（ぱちんこ機１００）について詳細に説明する。
【００１０】
＜全体構成＞
【００１１】
まず、図１を用いて、本発明の他の実施形態に係るぱちんこ機１００の全体構成について説明する。なお、同図はぱちんこ機１００を正面側（遊技者側）から見た外観斜視図である。
【００１２】
ぱちんこ機１００は、外部的構造として、外枠１０２と、本体１０４と、前面枠扉１０６と、球貯留皿付扉１０８と、発射装置１１０と、遊技盤２００と、をその前面に備える。外枠１０２は、遊技機設置営業店に設けられた設置場所（島設備等）へと固定させるための縦長方形状から成る木製の枠部材である。本体１０４は、内枠と呼ばれ、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１３】
前面枠扉１０６は、ロック機能付きで且つ開閉自在となるようにぱちんこ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。また、前面枠扉１０６が開放された場合、前面枠扉１０６の開放を検出する前面枠扉開放センサ１０９を備える。
【００１４】
球貯留皿付扉１０８は、ぱちんこ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で、且つ発射装置へと遊技球を案内する扉側球通路ユニットが設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、を備える。また、下皿１２８が満タンであることを検出する不図示の下皿満タンセンサを備える。
【００１５】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００１６】
＜背面＞
【００１７】
図２は、図１のぱちんこ機１００を背面側から見た外観図である。ぱちんこ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００１８】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００１９】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を、後述する払出制御部６００（図４参照）へ出力する。なお、この払出センサを通過した遊技球は、不図示の球レールを通過してぱちんこ機１００の表側に配設した上皿１２６に到達するように構成しており、ぱちんこ機１００は、この構成により遊技者に対して球の払い出しを行う。
【００２０】
払出装置１５２の図中左側には、遊技全般の制御処理を行う主制御部３００（図４参照）を構成する主基板１５６を収納する主基板ケース１５８、主制御部３００が生成した処理情報に基づいて演出に関する制御処理を行う第１副制御部４００（図４参照）を構成する第１副基板１６０を収納する第１副基板ケース１６２、第１副制御部４００が生成した処理情報に基づいて演出に関する制御処理を行う第２副制御部５００（図４参照）を構成する第２副基板１６４を収納する第２副基板ケース１６６、遊技球の払出に関する制御処理を行う払出制御部６００（図４参照）を構成するとともに遊技店員の操作によってエラーを解除するエラー解除スイッチ１６８を備える払出基板１７０を収納する払出基板ケース１７２、遊技球の発射に関する制御処理を行う発射制御部６３０（図４参照）を構成する発射基板１７４を収納する発射基板ケース１７６、各種電気的遊技機器に電源を供給する電源制御部６６０（図４参照）を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインターフェース部１８６を配設している。
【００２１】
図３は、遊技盤２００を正面から見た略示正面図である。遊技盤２００には、外レール２０２と内レール２０４とを配設し、遊技球が転動可能な遊技領域１２４を区画形成している。
【００２２】
詳細は後述は後述するが、遊技領域１２４の略中央には、装飾図柄表示装置２０８と、人間の腕を模した演出可動体２２４を有する演出装置２０６を配設している。また、遊技領域１２４の右下には、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。
【００２３】
装飾図柄表示装置２０８は、装飾図柄ならびに演出に用いる様々な表示を行うための表示装置であり、本実施形態では液晶表示装置（Ｌｉｑｕｉｄ  Ｃｒｙｓｔａｌ  Ｄｉｓｐｌａｙ）によって構成する。なお、装飾図柄表示装置２０８は、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２４】
また、装飾図柄表示装置２０８は、左図柄表示領域２０８ａ、中図柄表示領域２０８ｂ、右図柄表示領域２０８ｃ、演出表示領域２０８ｄを有して構成されている。左図柄表示領域２０８ａ、中図柄表示領域２０８ｂ、および右図柄表示領域２０８ｃはそれぞれ異なった装飾図柄を表示し、演出表示領域２０８ｄは演出に用いる画像などを表示する。なお、各表示領域２０８ａ〜２０８ｄの位置や大きさは、装飾図柄表示装置２０８の表示画面内で自由に変更することを可能としている。
【００２５】
普図表示装置２１０は、普図の表示を行うための表示装置であり、本実施形態では７セグメントＬＥＤによって構成する。第１特図表示装置２１２および第２特図表示装置２１４は、特図の表示を行うための表示装置であり、本実施形態では７セグメントＬＥＤによって構成する。
【００２６】
普図保留ランプ２１６は、保留している普図変動遊技（詳細は後述）の数を示すためのランプであり、本実施形態では、普図変動遊技を所定数（例えば、４つ）まで保留することを可能としている。第１特図保留ランプ２１８および第２特図保留ランプ２２０は、保留している特図変動遊技（詳細は後述）の数を示すためのランプであり、本実施形態では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２７】
また、遊技領域１２４の下方領域には、所定の球進入口、例えば、一般入賞口２２６と、第１特図始動口２３０と、第２特図始動口２３２と、第１可変入賞口２３４と、第２可変入賞口２３５を配設し、遊技領域１２４の右方領域には、普図始動口２２８とを配設している。
【００２８】
一般入賞口２２６は、本実施形態では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、ぱちんこ機１００の裏側に誘導した後、遊技島側に排出する。本実施形態では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２９】
普図始動口２２８は、ゲートやスルーチャッカーと呼ばれる、遊技領域１２４の所定の領域を球が通過したか否かを判定するための装置で構成しており、本実施形態では遊技盤２００の右側に１つ配設している。普図始動口２２８を通過した球は一般入賞口２２６に入球した球と違って、遊技島側に排出することはない。球が普図始動口２２８を通過したことを所定の球検出センサが検出した場合、ぱちんこ機１００は、普図表示装置２１０による普図変動遊技を開始する。
【００３０】
第１特図始動口２３０は、本実施形態では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、ぱちんこ機１００の裏側に誘導した後、遊技島側に排出する。
【００３１】
第２特図始動口２３２は、電動チューリップ（電チュー）と呼ばれ、本実施形態では遊技盤２００の右下に１つだけ配設している。この第２特図始動口２３２は、左右に開閉自在な羽根部材２３２ａを備え、羽根部材２３２ａの閉鎖中は球の入球が不可能であり、普図変動遊技に当選し、普図表示装置２１０が当たり図柄を停止表示した場合に羽根部材２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、ぱちんこ機１００の裏側に誘導した後、遊技島側に排出する。
【００３２】
第１可変入賞口２３４と第２可変入賞口２３５は、大入賞口またはアタッカーと呼ばれ、本実施形態では遊技盤２００の中央部下方と右下にそれぞれ１つずつ配設している。これらの第１可変入賞口２３４と第２可変入賞口２３５は同一構造からなり、開閉自在な扉部材２３４ａ、２３５ａを備え、扉部材２３４ａ、２３５ａの閉鎖中は球の入球が不可能であり、特図変動遊技に当選して特図表示装置が大当たり図柄を停止表示した場合に扉部材２３４ａ、２３５ａが所定の時間間隔（例えば、開放時間２９秒、閉鎖時間１．５秒）、所定の回数（例えば１５回）で開閉する。
【００３３】
本実施形態では、特図１変動遊技に当選した場合には、第１可変入賞口２３４の扉部材２３４ａを所定の時間間隔、所定の回数で開閉し、特図２変動遊技に当選した場合には、第２可変入賞口２３５の扉部材２３５ａを所定の時間間隔、所定の回数で開閉する。また、第１可変入賞口２３４または第２可変入賞口２３５への入球を所定の球検出センサが検出した場合、払出装置１５２を駆動し、所定の個数（例えば、１５個）の球を賞球として上皿１２６に排出する。なお、第１可変入賞口２３４と第２可変入賞口２３５に入球した球は、ぱちんこ機１００の裏側に誘導した後、遊技島側に排出する。
【００３４】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をぱちんこ機１００の裏側に誘導した後、遊技島側に排出するためのアウト口２４０を設けている。
【００３５】
このぱちんこ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、第１可変入賞口２３４、第２可変入賞口２３５）や始動口（第１特図始動口２３０、第２特図始動口２３２）に入賞するか、いずれの入賞口や始動口にも入賞することなく、または普図始動口２２８を通過するのみでアウト口２４０に到達する。
【００３６】
＜演出装置２０６＞
【００３７】
次に、ぱちんこ機１００の演出装置２０６について説明する。この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽手段は、ワープ装置２４２、ステージ２４４、演出可動体２２４の後方に位置することとなる。
【００３８】
ワープ装置２４２は、演出装置２０６の左上方に設けたワープ入口２４２ａに入った遊技球を演出装置２０６の前面下方のステージ２４４にワープ出口２４２ｂから排出する。ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００３９】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を円弧を描いて移動する。
【００４０】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽手段は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００４１】
次に、図４を用いて、ぱちんこ機１００の制御部の回路構成について詳細に説明する。なお、同図は制御部の回路ブロック図を示したものである。ぱちんこ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、ぱちんこ機１００に供給される電源を制御する電源制御部６６０と、によって構成している。
【００４２】
まず、ぱちんこ機１００の主制御部３００について説明する。主制御部３００は、主制御部３００の全体を制御する基本回路３０２を備えており、基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。基本回路３０２のＣＰＵ３０４は、水晶発振器３１６ｂが出力する所定周期のクロック信号をシステムクロックとして入力して動作する。
【００４３】
また、基本回路３０２には、水晶発振器３１６ａが出力するクロック信号を受信する度に０〜６５５３５の範囲で数値を変動させるハードウェア乱数カウンタとして使用している乱数値生成回路３１８（この回路には２つのカウンタを内蔵しているものとする）と、所定の球検出センサ、例えば各始動口、入賞口、可変入賞口Ａ（第１可変入賞口２３４および／又は第２可変入賞口２３５）を通過する遊技球を検出するセンサ、磁気センサ（広範囲磁気センサ）、別途記載の前面枠扉開放センサ１０９、内枠開放センサ、下皿満タンセンサをなど含む各種センサ３２０が出力する信号を受信し、増幅結果や基準電圧との比較結果を乱数値生成回路３１８および基本回路３０２に出力するためのセンサ回路３２２と、所定の図柄表示装置、例えば特図１表示装置２１２や特図２表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、特図１保留ランプ２１８、特図２保留ランプ２２０、高確中ランプ２２２等）の表示制御を行うための駆動回路３３０と、所定の可動部材、例えば特図２始動口２３２の羽根部材２３２ａやアタッカーＡの扉部材２３４ａ等を開閉駆動する各種ソレノイド３３２を制御するための駆動回路３３４を接続している。
【００４４】
なお、特図１始動口２３０に球が入賞したことを球検出センサ３２０が検出した場合には、センサ回路３２２は球を検出したことを示す信号を乱数値生成回路３１８に出力する。この信号を受信した乱数値生成回路３１８は、特図１始動口２３０に対応するカウンタのそのタイミングにおける値をラッチし、ラッチした値を、特図１始動口２３０に対応する内蔵のカウンタ値記憶用レジスタに記憶する。また、乱数値生成回路３１８は、特図２始動口２３２に球が入賞したことを示す信号を受信した場合も同様に、特図２始動口２３２に対応するカウンタのそのタイミングにおける値をラッチし、ラッチした値を、特図２始動口２３２に対応する内蔵のカウンタ値記憶用レジスタに記憶する。
【００４５】
さらに、基本回路３０２には、情報出力回路３３６を接続しており、主制御部３００は、情報出力回路３３６を介して、外部のホールコンピュータ（図示省略）等が備える情報入力回路３５０にぱちんこ機１００の遊技情報（例えば、遊技状態）を出力する。
【００４６】
また、主制御部３００には、電源制御部６６０から主制御部３００に供給している電源の電圧値を監視する電圧監視回路３３８を設けており、電圧監視回路３３８は、電源の電圧値が所定の値（本実施例では９Ｖ）未満である場合に電圧が低下したことを示す低電圧信号を基本回路３０２に出力する。
【００４７】
また、主制御部３００には、電源が投入されると起動信号（リセット信号）を出力する起動信号出力回路（リセット信号出力回路）３４０を設けており、ＣＰＵ３０４は、起動信号出力回路３４０から起動信号を入力した場合に、遊技制御を開始する（後述する主制御部メイン処理を開始する）。
【００４８】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。また、主制御部３００と払出制御部６００との情報通信は双方向の通信であり、主制御部３００は払出制御部６００にコマンド等の信号を送信できるように構成し、払出制御部６００からも主制御部３００にコマンド等の信号を送信できるように構成している。
【００４９】
次に、ぱちんこ機１００の第１副制御部４００について説明する。第１副制御部４００は、主に主制御部３００が送信したコマンド等に基づいて第１副制御部４００の全体を制御する基本回路４０２を備えており、基本回路４０２には、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作する。
【００５０】
また、基本回路４０２には、スピーカ１２０（およびアンプ）の制御を行うための音源ＩＣ４１６と、各種ランプ４１８（例えば、チャンスボタンランプ１３８）の制御を行うための駆動回路４２０と、遮蔽装置２４６の駆動制御を行うための駆動回路４３２と、遮蔽装置２４６の現在位置を検出する遮蔽装置センサ４３０と、チャンスボタン１３６の押下を検出するチャンスボタン検出センサ４２６と、遮蔽装置センサ４３０やチャンスボタンの検出部７２４からの検出信号を基本回路４０２に出力するセンサ回路４２８と、制御プログラムや各種演出データを記憶するためのＲＯＭ４０６と、ＣＰＵ４０４からの信号に基づいてＲＯＭ４０６に記憶された画像データ等を読み出してＶＲＡＭ４３６のワークエリアを使用して表示画像を生成して装飾図柄表示装置２０８に画像を表示するＶＤＰ４３４（ビデオ・ディスプレイ・プロセッサー）と、を接続している。なお、ＲＯＭ４０６は、制御プログラムと各種演出データとを別々のＲＯＭに記憶させてもよい。
【００５１】
次に、ぱちんこ機１００の第２副制御部５００について説明する。第２副制御部５００は、第１副制御部４００が送信した制御コマンドを入力インタフェースを介して受信し、この制御コマンドに基づいて第２副制御部５００の全体を制御する基本回路５０２を備えており、基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２を搭載している。基本回路５０２のＣＰＵ５０４は、水晶発振器５１４が出力する所定周期のクロック信号をシステムクロックとして入力して動作し、第２副制御部５００の全体を制御するための制御プログラムおよびデータ、画像表示用のデータ等が記憶されたＲＯＭ５０６が設けられている。
【００５２】
また、基本回路５０２には、演出可動体２２４の駆動制御を行うための駆動回路５１６と、チャンスボタンの駆動部７０８の駆動制御を行うための駆動回路５１７と、演出可動体２２４の現在位置を検出する可動体センサ４２４と、可動体センサ４２４からの検出信号を基本回路５０２に出力するセンサ回路５１８と、遊技盤用ランプ５３２の制御を行うための遊技盤用ランプ駆動回路５３０と、遊技台枠用ランプ５４２の制御を行うための遊技台枠用ランプ駆動回路５４０と、遊技盤用ランプ駆動回路５３０と遊技台枠用ランプ駆動回路５４０との間でシリアル通信による点灯制御を行うシリアル通信制御回路５２０と、を接続している。
【００５３】
次に、ぱちんこ機１００の払出制御部６００、発射制御部６３０、電源制御部６６０について説明する。払出制御部６００は、主に主制御部３００が送信したコマンド等の信号に基づいて払出装置１５２の払出モータ６０２を制御すると共に、払出センサ６０４が出力する制御信号に基づいて賞球または貸球の払い出しが完了したか否かを検出すると共に、インタフェース部６０６を介して、ぱちんこ機１００とは別体で設けられたカードユニット６０８との通信を行う。また、払出制御部６００は、前面枠扉１０６の開放を検出する前面枠扉開放センサ１０９の検出結果を受け取り、受け取った結果を主制御部３００に出力する。
【００５４】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ（不図示）の制御や、上皿１２６から発射装置１１０に球を供給する球送り装置（不図示）の制御を行う。
【００５５】
電源制御部６６０は、ぱちんこ機１００に外部から供給される交流電源を直流化し、所定の電圧に変換して主制御部３００、第１副制御部４００等の各制御部や払出装置１５２等の各装置に供給する。さらに、電源制御部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源制御部６６０から払出制御部６００と第２副制御部５００に所定電圧を供給し、払出制御部６００から主制御部３００と第１副制御部４００と発射制御部６３０に所定電圧を供給しているが、各制御部や各装置に他の電源経路で所定電圧を供給してもよい。
【００５６】
＜図柄の種類＞
【００５７】
次に、図５（ａ）〜（ｄ）を用いて、ぱちんこ機１００の第１特別図柄表示装置２１２、第２特別図柄表示装置２１４、装飾図柄表示装置２０８、普通図柄表示装置２１０が停止表示する特図および普図の種類について説明する。同図（ａ）は特図１の停止図柄態様の一例を示したものであり、同図（ｂ）は特図２の停止図柄態様の一例を示したものである。
【００５８】
第１特図始動口２３０に球が入球したことを第１始動口センサが検出したことを条件として特図１変動遊技が開始され、第２特図始動口２３２に球が入球したことを第２始動口センサが検出したことを条件として特図２変動遊技が開始される。特図１変動遊技が開始されると、第１特別図柄表示装置２１２は、７個のセグメントの全点灯と、中央の１個のセグメントの点灯を繰り返す「特図１の変動表示」を行う。また、特図２変動遊技が開始されると、第２特別図柄表示装置２１４は、７個のセグメントの全点灯と、中央の１個のセグメントの点灯を繰り返す「特図２の変動表示」を行う。これらの「特図１の変動表示」および「特図２の変動表示」が本発明にいう図柄の変動表示の一例に相当する。
【００５９】
そして、特図１の変動開始前に決定した変動時間（本発明にいう変動時間が相当）が経過すると、第１特別図柄表示装置２１２は特図１の停止図柄態様を停止表示し、特図２の変動開始前に決定した変動時間（これも本発明にいう変動時間が相当）が経過すると、第２特別図柄表示装置２１４は特図２の停止図柄態様を停止表示する。したがって、「特図１の変動表示」を開始してから特図１の停止図柄態様を停止表示するまで、あるいは「特図２の変動表示」を開始してから特図２の停止図柄態様を停止表示するまでが本発明にいう図柄変動停止表示の一例に相当し、以下、この「特図１又は２の変動表示」を開始してから特図１又は２の停止図柄態様を停止表示するまでの一連の表示を図柄変動停止表示と称する。後述するように、図柄変動停止表示は複数回、連続して行われることがある。
【００６０】
図５（ａ）には、図柄変動停止表示における特図１の停止図柄態様として「特図Ａ」から「特図Ｅ」までの５種類が示されており、同図（ｂ）には、図柄変動停止表示における特図２の停止図柄態様として「特図ａ」から「特図ｄ」までの４種類が示されている。なお、図中の白抜きの部分が消灯するセグメントの場所を示し、黒塗りの部分が点灯するセグメントの場所を示している。
【００６１】
特図１の停止図柄態様のうち、「特図Ａ」は１５ラウンド（１５Ｒ）特別大当たり図柄であり、「特図Ｂ」は１５Ｒ大当たり図柄である。本実施形態のぱちんこ機１００では、後述するように、特図変動遊技における大当りか否かの決定はハードウェア乱数の抽選によって行い、特別大当りか否かの決定はソフトウェア乱数の抽選によって行う。大当りと特別大当りの違いは、次回の特図変動遊技で、大当りに当選する確率が高い（特別大当り）か低い（大当り）かの違いである。以下、この大当りに当選する確率が高い状態のことを特図高確率状態と称し、その確率が低い状態のことを特図低確率状態と称する。
【００６２】
また、１５Ｒ特別大当たり遊技終了後および１５Ｒ大当たり遊技終了後はいずれも時短状態に移行する。時短については詳しくは後述するが、時短状態に移行する状態のことを普図高確率状態と称し、時短状態に移行しない状態のことを普図低確率状態と称する。１５Ｒ特別大当たり図柄である「特図Ａ」は、特図高確率普図高確率状態であり、１５Ｒ大当たり図柄である「特図Ｂ」は、特図低確率普図高確率状態である。これらの「特図Ａ」および「特図Ｂ」は、遊技者に付与する利益量が相対的に大きな利益量になる図柄である。
【００６３】
他の特図１の停止図柄態様について説明すると、「特図Ｃ」は突然確変と称される２Ｒ大当たり図柄であり、特図高確率普図高確率状態である。すなわち、１５Ｒである「特図Ａ」と比べて、「特図Ｃ」は２Ｒである点が異なる。「特図Ｄ」は小当たり図柄であり、特図低確率普図低確率状態である。ここにいう小当たりは、２Ｒ時短無し大当たりと同じものに相当する。「特図Ｅ」は、はずれ図柄であり、遊技者に付与する利益量が相対的に小さな利益量になる図柄である。
【００６４】
また、特図２の停止図柄態様について説明すると、「特図ａ」は１６Ｒ特別大当たり図柄であり、「特図ｂ」は８Ｒ特別大当たり図柄であり、「特図ｃ」は８Ｒ大当たり図柄であり、「特図ｄ」は、はずれ図柄である。
【００６５】
図５（ｃ）は装飾図柄の一例を示したものである。本実施形態の装飾図柄には、「装飾１」〜「装飾１０」の１０種類がある。第１特図始動口２３０または第２特図始動口２３２に球が入賞したこと、すなわち、第１特図始動口２３０に球が入球したことを第１始動口センサが検出したこと、あるいは第２特図始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。
【００６６】
そして、「特図Ｂ」の１５Ｒ大当たり、「特図ｃ」の８Ｒ大当りを報知する場合には、図柄表示領域２０８ａ〜２０８ｃに同じ装飾図柄が３つ並んだ図柄組合せ（例えば「装飾１−装飾１−装飾１」や「装飾２−装飾２−装飾２」等）を停止表示する。また、「特図Ａ」の１５Ｒ特別大当たり、「特図ａ」の１６Ｒ特別大当たり、「特図ｂ」の８Ｒ特別大当たりを報知する場合には、同じ奇数の装飾図柄が３つ並んだ図柄組合せ（例えば「装飾３−装飾３−装飾３」や「装飾７−装飾７−装飾７」等）を停止表示する。
【００６７】
また、「特図Ｄ」の小当たりを報知する場合には、「装飾１−装飾２−装飾３」を停止表示し、「特図Ｃ」の突然確変と称される２Ｒ大当たりを報知する場合には、「装飾１−装飾３−装飾５」を停止表示する。一方、「特図Ｅ」や「特図ｄ」のはずれを報知する場合には、図柄表示領域２０８ａ〜２０８ｃに同図（ｃ）に示す図柄組合せ以外の図柄組合せを停止表示する。
【００６８】
図５（ｄ）は普図の停止表示図柄の一例を示したものである。本実施形態の普図の停止表示態様には、当たり図柄である「普図Ａ」と、はずれ図柄である「普図Ｂ」の２種類がある。普図始動口２２８を球が通過したことを上述のゲートセンサが検出したことに基づいて、普通図柄表示装置２１０は、７個のセグメントの全点灯と、中央の１個のセグメントの点灯を繰り返す「普図の変動表示」を行う。そして、普図変動遊技の当選を報知する場合には「普図Ａ」を停止表示し、普図変動遊技の外れを報知する場合には「普図Ｂ」を停止表示する。この同図（ｄ）においても、図中の白抜きの部分が消灯するセグメントの場所を示し、黒塗りの部分が点灯するセグメントの場所を示している。
【００６９】
＜主制御部メイン処理＞
【００７０】
次に、図６を用いて、主制御部３００のＣＰＵ３０４が実行する主制御部メイン処理について説明する。なお、同図は主制御部メイン処理の流れを示すフローチャートである。
【００７１】
上述したように、主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って主制御部メイン処理を実行する。
【００７２】
ステップＳ１０１では、初期設定１を行う。この初期設定１では、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、ＷＤＴ３１４への動作許可及び初期値の設定等を行う。なお、本実施形態では、ＷＤＴ３１４に、初期値として３２．８ｍｓに相当する数値を設定する。ステップＳ１０３では、ＷＤＴ３１４のカウンタの値をクリアし、ＷＤＴ３１４による時間計測を再始動する。
【００７３】
ステップＳ１０５では、低電圧信号がオンであるか否か、すなわち、電圧監視回路３３８が、電源制御部６６０から主制御部３００に供給している電源の電圧値が所定の値（本実施形態では９ｖ）未満である場合に電圧が低下したことを示す低電圧信号を出力しているか否かを監視する。そして、低電圧信号がオンの場合（ＣＰＵ３０４が電源の遮断を検知した場合）にはステップＳ１０３に戻り、低電圧信号がオフの場合（ＣＰＵ３０４が電源の遮断を検知していない場合）にはステップＳ１０７に進む。なお、電源が投入された直後で未だ上記所定の値（９Ｖ）に達しない場合にもステップＳ１０３に戻り、供給電圧がその所定の値以上になるまで、ステップＳ１０５は繰り返し実行される。
【００７４】
ステップＳ１０７では、初期設定２を行う。この初期設定２では、後述する主制御部タイマ割込処理を定期毎に実行するための周期を決める数値をカウンタタイマ３１２に設定する処理、Ｉ／Ｏ３１０の所定のポート（例えば試験用出力ポート、第１副制御部４００への出力ポート）からクリア信号を出力する処理、ＲＡＭ３０８への書き込みを許可する設定等を行う。
【００７５】
ステップＳ１０９では、電源の遮断前（電断前）の状態に復帰するか否かの判定を行い、電断前の状態に復帰しない場合（主制御部３００の基本回路３０２を初期状態にする場合）には初期化処理（ステップＳ１１３）に進む。
【００７６】
具体的には、最初に、電源基板に設けたＲＷＭクリアスイッチ１８０を遊技店の店員などが操作した場合に送信されるＲＡＭクリア信号がオン（操作があったことを示す）であるか否か、すなわちＲＡＭクリアが必要であるか否かを判定し、ＲＡＭクリア信号がオンの場合（ＲＡＭクリアが必要な場合）には、基本回路３０２を初期状態にすべくステップＳ１１３に進む。一方、ＲＡＭクリア信号がオフの場合（ＲＡＭクリアが必要でない場合）には、ＲＡＭ３０８に設けた電源ステータス記憶領域に記憶した電源ステータスの情報を読み出し、この電源ステータスの情報がサスペンドを示す情報であるか否かを判定する。そして、電源ステータスの情報がサスペンドを示す情報でない場合には、基本回路３０２を初期状態にすべくステップＳ１１３に進み、電源ステータスの情報がサスペンドを示す情報である場合には、ＲＡＭ３０８の所定の領域（例えば全ての領域）に記憶している１バイトデータを初期値が０である１バイト構成のレジスタに全て加算することによりチェックサムを算出し、算出したチェックサムの結果が特定の値（例えば０）であるか否か（チェックサムの結果が正常であるか否か）を判定する。そして、チェックサムの結果が特定の値（例えば０）の場合（チェックサムの結果が正常である場合）には電断前の状態に復帰すべくステップＳ１１１に進み、チェックサムの結果が特定の値（例えば０）以外である場合（チェックサムの結果が異常である場合）には、ぱちんこ機１００を初期状態にすべくステップＳ１１３に進む。同様に電源ステータスの情報が「サスペンド」以外の情報を示している場合にもステップＳ１１３に進む。
【００７７】
ステップＳ１１１では、復電時処理を行う。この復電時処理では、電断時にＲＡＭ３０８に設けられたスタックポインタ退避領域に記憶しておいたスタックポインタの値を読み出し、スタックポインタに再設定（本設定）する。また、電断時にＲＡＭ３０８に設けられたレジスタ退避領域に記憶しておいた各レジスタの値を読み出し、各レジスタに再設定した後、割込許可の設定を行う。以降、ＣＰＵ３０４が、再設定後のスタックポインタやレジスタに基づいて制御プログラムを実行する結果、ぱちんこ機１００は電源断時の状態に復帰する。すなわち、電断直前にタイマ割込処理（後述）に分岐する直前に行った（ステップＳ１１５内の所定の）命令の次の命令から処理を再開する。また、図１９０に示す主制御部３００における基本回路３０２に搭載されているＲＡＭ３０８には、送信情報記憶領域が設けられている。このステップＳ１１１では、その送信情報記憶領域に、復電コマンドをセットする。この復電コマンドは、電源断時の状態に復帰したことを表すコマンドであり、後述する、主制御部３００のタイマ割込処理におけるステップＳ２３３において、第１副制御部４００へ送信される。
【００７８】
ステップＳ１１３では、初期化処理を行う。この初期化処理では、割込禁止の設定、スタックポインタへのスタック初期値の設定（本設定）、ＲＡＭ３０８の全ての記憶領域の初期化などを行う。さらにここで、主制御部３００のＲＡＭ３０８に設けられた送信情報記憶領域に正常復帰コマンドをセットする。この正常復帰コマンドは、主制御部３００の初期化処理（ステップＳ１１３）が行われたことを表すコマンドであり、復電コマンドと同じく、主制御部３００のタイマ割込処理におけるステップＳ２３３において、第１副制御部４００へ送信される。
【００７９】
ステップＳ１１５では、割込禁止の設定を行った後、基本乱数初期値更新処理を行う。この基本乱数初期値更新処理では、普図当選乱数カウンタ、および特図乱数値カウンタの初期値をそれぞれ生成するための２つの初期値生成用乱数カウンタと、普図タイマ乱数値、および特図タイマ乱数値それぞれを生成するための２つの乱数カウンタを更新する。例えば、普図タイマ乱数値として取り得る数値範囲が０〜１００とすると、ＲＡＭ３０８に設けた普図タイマ乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。他の初期値生成用乱数カウンタ、乱数カウンタもそれぞれ同様に更新する。なお、初期値生成用乱数カウンタは、後述するステップＳ２０７でも更新する。主制御部３００は、所定の周期ごとに開始するタイマ割込処理を行っている間を除いて、ステップＳ１１５の処理を繰り返し実行する。
【００８０】
＜主制御部タイマ割込処理＞
【００８１】
次に、図７を用いて、主制御部３００のＣＰＵ３０４が実行する主制御部タイマ割込処理について説明する。なお、同図は主制御部タイマ割込処理の流れを示すフローチャートである。
【００８２】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。ステップＳ２０１では、タイマ割込開始処理を行う。このタイマ割込開始処理では、ＣＰＵ３０４の各レジスタの値をスタック領域に一時的に退避する処理などを行う。
【００８３】
ステップＳ２０３では、ＷＤＴ３１４のカウント値が初期設定値（本実施形態では３２．８ｍｓ）を超えてＷＤＴ割込が発生しないように（処理の異常を検出しないように）、ＷＤＴを定期的に（本実施形態では、主制御部タイマ割込の周期である約２ｍｓに１回）リスタートを行う。
【００８４】
ステップＳ２０５では、入力ポート状態更新処理を行う。この入力ポート状態更新処理では、Ｉ／Ｏ３１０の入力ポートを介して、上述の前面枠扉開放センサや内枠開放センサや下皿満タンセンサ、各種の球検出センサを含む各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【００８５】
また、ステップＳ２０５では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割込処理は何回か起動する。このため、主制御部タイマ割込処理が起動する度に、上述のステップＳ２０５では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施形態では、球検出センサの誤検出やノイズを考慮して、検出信号無しの後に検出信号が連続して２回記憶されている場合には、入賞があったと判定する。図１９０に示す主制御部３００のＲＯＭ３０６には、入賞判定パターン情報（本実施形態では、前々回検出信号無し、前回検出信号有り、今回検出信号有りであることを示す情報）が記憶されている。このステップＳ２０５では、各々の球検出センサにおいて過去３回分の検出信号の有無の情報が、予め定めた入賞判定パターン情報（本実施形態では、前々回検出信号無し、前回検出信号有り、今回検出信号有りであることを示す情報）と一致した場合に、一般入賞口２２６、第１可変入賞口２３４、第２可変入賞口２３５、第１特図始動口２３０、および第２特図始動口２３２への入球、または普図始動口２２８の通過があったと判定する。すなわち、これらの入賞口２２６、２３４、２３５やこれらの始動口２３０、２３２、２２８への入賞があったと判定する。例えば、一般入賞口２２６への入球を検出する一般入賞口センサにおいて過去３回分の検出信号の有無の情報が上述の入賞判定パターン情報と一致した場合には、一般入賞口２２６へ入賞があったと判定し、以降の一般入賞口２２６への入賞に伴う処理を行うが、過去３回分の検出信号の有無の情報が上述の入賞判定パターン情報と一致しなかった場合には、以降の一般入賞口２２６への入賞に伴う処理を行わずに後続の処理に分岐する。なお、主制御部３００のＲＯＭ３０６には、入賞判定クリアパターン情報（本実施形態では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【００８６】
ステップＳ２０７およびステップＳ２０９では、基本乱数初期値更新処理および基本乱数更新処理を行う。これらの基本乱数初期値更新処理および基本乱数更新処理では、上記ステップＳ１１５で行った初期値生成用乱数カウンタの値の更新を行い、次に主制御部３００で使用する、普図当選乱数値、特図１乱数値、および特図２乱数値をそれぞれ生成するための２つの乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。また、普図当選乱数値生成用の乱数カウンタが次に１周したことを判定するための上述の初期値記憶領域とは別に、特図乱数生成用の乱数カウンタが１周したことを判定するための初期値記憶領域をＲＡＭ３０８に設けている。なお、本実施形態では特図１の乱数値を取得するためのカウンタと特図２の乱数値を取得するためのカウンタとを別に設けたが、同一のカウンタを用いてもよい。
【００８７】
ステップＳ２１１では、演出乱数更新処理を行う。この演出乱数更新処理では、主制御部３００で使用する演出用乱数値を生成するための乱数カウンタを更新する。
【００８８】
ステップＳ２１３では、タイマ更新処理を行う。このタイマ更新処理では、普通図柄表示装置２１０に図柄を変動・停止表示する時間を計時するための普図表示図柄更新タイマ、第１特別図柄表示装置２１２に図柄を変動・停止表示する時間を計時するための特図１表示図柄更新タイマ、第２特図表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【００８９】
ステップＳ２１５では、入賞口カウンタ更新処理を行う。この入賞口カウンタ更新処理では、入賞口２２６、２３４や始動口２３０、２３２、２２８に入賞があった場合に、ＲＡＭ３０８に各入賞口ごと、あるいは各始動口ごとに設けた賞球数記憶領域の値を読み出し、１を加算して、元の賞球数記憶領域に設定する。
【００９０】
また、ステップＳ２１７では、入賞受付処理を行う。この入賞受付処理では、第１特図始動口２３０、第２特図始動口２３２、普図始動口２２８、第１可変入賞口２３４、第２可変入賞口２３５への入賞があったか否かを判定する。ここでは、ステップＳ２０３における入賞判定パターン情報と一致するか否かの判定結果を用いて判定する。第１特図始動口２３０へ入賞があった場合且つＲＡＭ３０８に設けた対応する保留数記憶領域が満タンでない場合、カウンタ回路３１８の当選用カウンタ値記憶用レジスタから値を特図１当選乱数値として取得するとともに特図１乱数値生成用の乱数カウンタから値を特図１乱数値として取得して対応する乱数値記憶領域に格納する。第２特図始動口２３２へ入賞があった場合且つＲＡＭ３０８に設けた対応する保留数記憶領域が満タンでない場合、カウンタ回路３１８の当選用カウンタ値記憶用レジスタから値を特図２当選乱数値として取得するとともに特図２乱数値生成用の乱数カウンタから値を特図２乱数値として取得して対応する乱数値記憶領域に格納する。普図始動口２２８へ入賞があった場合且つＲＡＭ３０８に設けた対応する保留数記憶領域が満タンでない場合、普図当選乱数値生成用の乱数カウンタから値を普図当選乱数値として取得して対応する乱数値記憶領域に格納する。第１可変入賞口２３４、第２可変入賞口２３５へ入賞があった場合には、可変入賞口用の入賞記憶領域に、第１可変入賞口２３４、第２可変入賞口２３５に球が入球したことを示す情報を格納する。
【００９１】
ステップＳ２１９では、払出要求数送信処理を行う。なお、払出制御部６００に出力する出力予定情報および払出要求情報は、例えば１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【００９２】
ステップＳ２２１では、普図状態更新処理を行う。この普図状態更新処理は、普図の状態に対応する複数の処理のうちの１つの処理を行う。例えば、普図変動表示の途中（上述する普図表示図柄更新タイマの値が１以上）における普図状態更新処理では、普通図柄表示装置２１０を構成する７セグメントＬＥＤの点灯と消灯を繰り返す点灯・消灯駆動制御を行う。この制御を行うことで、普通図柄表示装置２１０は普図の変動表示（普図変動遊技）を行う。
【００９３】
また、普図変動表示時間が経過したタイミング（普図表示図柄更新タイマの値が１から０になったタイミング）における普図状態更新処理では、当りフラグがオンの場合には、当たり図柄の表示態様となるように普通図柄表示装置２１０を構成する７セグメントＬＥＤの点灯・消灯駆動制御を行い、当りフラグがオフの場合には、外れ図柄の表示態様となるように普通図柄表示装置２１０を構成する７セグメントＬＥＤの点灯・消灯駆動制御を行う。また、主制御部３００のＲＡＭ３０８には、普図状態更新処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普通図柄表示装置２１０は、当り図柄（図５（ｄ）に示す普図Ａ）および外れ図柄（図５（ｄ）に示す普図Ｂ）いずれか一方の図柄の確定表示を行う。さらにその後、所定の停止表示期間（例えば５００ｍ秒間）、その表示を維持するためにＲＡＭ３０８に設けた普図停止時間管理用タイマの記憶領域に停止期間を示す情報を設定する。この設定により、確定表示された図柄が所定期間停止表示され、普図変動遊技の結果が遊技者に報知される。
【００９４】
また、普図変動遊技の結果が当りであれば、後述するように、普図当りフラグがオンされる。この普図当りフラグがオンの場合には、所定の停止表示期間が終了したタイミング（普図停止時間管理用タイマの値が１から０になったタイミング）における普図状態更新処理では、ＲＡＭ３０８の設定領域に普図作動中を設定するとともに、所定の開放期間（例えば２秒間）、第２特図始動口２３２の羽根部材２３２ａの開閉駆動用のソレノイド（３３２）に、羽根部材２３２ａを開放状態に保持する信号を出力するとともに、ＲＡＭ３０８に設けた羽根開放時間管理用タイマの記憶領域に開放期間を示す情報を設定する。
【００９５】
また、所定の開放期間が終了したタイミング（羽根開放時間管理用タイマの値が１から０になったタイミング）で開始する普図状態更新処理では、所定の閉鎖期間（例えば５００ｍ秒間）、羽根部材の開閉駆動用のソレノイド３３２に、羽根部材を閉鎖状態に保持する信号を出力するとともに、ＲＡＭ３０８に設けた羽根閉鎖時間管理用タイマの記憶領域に閉鎖期間を示す情報を設定する。
【００９６】
また、所定の閉鎖期間が終了したタイミング（羽根閉鎖時間管理用タイマの値が１から０になったタイミング）で開始する普図状態更新処理では、ＲＡＭ３０８の設定領域に普図非作動中を設定する。さらに、普図変動遊技の結果が外れであれば、後述するように、普図外れフラグがオンされる。この普図外れフラグがオンの場合には、上述した所定の停止表示期間が終了したタイミング（普図停止時間管理用タイマの値が１から０になったタイミング）における普図状態更新処理でも、ＲＡＭ３０８の設定領域に普図非作動中を設定する。普図非作動中の場合における普図状態更新処理では、何もせずに次のステップＳ２２３に移行するようにしている。
【００９７】
ステップＳ２２３では、普図関連抽選処理を行う。この普図関連抽選処理では、普図変動遊技および第２特図始動口２３２の開閉制御を行っておらず（普図の状態が非作動中）、且つ、保留している普図変動遊技の数が１以上である場合に、上述の乱数値記憶領域に記憶している普図当選乱数値に基づいた乱数抽選により普図変動遊技の結果を当選とするか、不当選とするかを決定する当り判定をおこない、当選とする場合にはＲＡＭ３０８に設けた当りフラグにオンを設定する。不当選の場合には、当りフラグにオフを設定する。また、当り判定の結果に関わらず、次に上述の普図タイマ乱数値生成用の乱数カウンタの値を普図タイマ乱数値として取得し、取得した普図タイマ乱数値に基づいて複数の変動時間のうちから普図表示装置２１０に普図を変動表示する時間を１つ選択し、この変動表示時間を、普図変動表示時間として、ＲＡＭ３０８に設けた普図変動時間記憶領域に記憶する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。また当り判定に使用した乱数値を消去する。ステップＳ２２４では、特図先読み処理を行う。特図先読み処理については後述する。
【００９８】
次いで、特図１および特図２それぞれについての特図状態更新処理を行うが、最初に、特図２についての特図状態更新処理（特図２状態更新処理）を行う（ステップＳ２２５）。この特図２状態更新処理は、特図２の状態に応じて、次の８つの処理のうちの１つの処理を行う。例えば、特図２変動表示の途中（上述の特図２表示図柄更新タイマの値が１以上）における特図２状態更新処理では、第２特別図柄表示装置２１４を構成する７セグメントＬＥＤの点灯と消灯を繰り返す点灯・消灯駆動制御を行う。この制御を行うことで、第２特別図柄表示装置２１４は特図２の変動表示（特図２変動遊技）を行う。
また、コマンド設定送信処理（ステップＳ２３３）で回転開始設定送信処理を実行させることを示す所定の送信情報を上述の送信情報記憶領域に追加記憶してから処理を終了する。
【００９９】
特図２変動表示時間が経過したタイミング（特図２表示図柄更新タイマの値が１から０になったタイミング）で開始する特図２状態更新処理では、図５（ａ）に示す特図ａ〜特図ｄ（特図１状態更新処理では、図５（ａ）に示す特図Ａ〜特図Ｅ）のいずれか一つの図柄の確定表示を行う。さらにその後、所定の停止表示期間（例えば５００ｍ秒間）その表示を維持するためにＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた時短回数記憶部に記憶された時短回数が１以上であれば、その時短回数から１を減算し、減算結果が１から０となった場合は、特図確率変動中（詳細は後述）でなければ、時短フラグをオフする。さらに、大当り遊技中（特別遊技状態中）にも、時短フラグをオフする。
【０１００】
また、コマンド設定送信処理（ステップＳ２３３）で回転停止設定送信処理を実行させることを示す所定の送信情報を上述の送信情報記憶領域に追加記憶するとともに、変動表示を停止する図柄が特図２であることを示す特図２識別情報を、後述するコマンドデータに含める情報としてＲＡＭ３０８に追加記憶してから処理を終了する。
【０１０１】
また、特図２変動遊技の結果が大当りであれば、後述するように、大当りフラグがオンされる。この大当りフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置２０８による大当りを開始することを遊技者に報知する画像を表示している期間待機するためにＲＡＭ３０８に設けた特図２待機時間管理用タイマの記憶領域に入賞演出期間を示す情報を設定する。また、コマンド設定送信処理（ステップＳ２３３）で入賞演出設定送信処理を実行させることを示す所定の送信情報を上述の送信情報記憶領域に追加記憶する。
【０１０２】
また、所定の入賞演出期間が終了したタイミング（特図２待機時間管理用タイマの値が１から０になったタイミング）で開始する特図２状態更新処理では、所定の開放期間（例えば２９秒間、または第２可変入賞口２３５（特図１は第１可変入賞口２３４）に所定球数（例えば最大カウント数）の遊技球の入賞を検出するまで）第２可変入賞口２３５の扉部材２３５ａ（特図１は第１可変入賞口２３４の扉部材２３４ａ）の開閉駆動用のソレノイド（３３２）に、扉部材２３５ａ（特図１は扉部材２３４ａ）を開放状態に保持する信号を出力するとともに、ＲＡＭ３０８に設けた扉開放時間管理用タイマの記憶領域に開放期間を示す情報を設定する。また、コマンド設定送信処理（ステップＳ２３３）で大入賞口開放設定送信処理を実行させることを示す所定の送信情報を上述の送信情報記憶領域に追加記憶する。
【０１０３】
また、所定の開放期間が終了したタイミング（扉開放時間管理用タイマの値が１から０になったタイミング）で開始する特図２状態更新処理では、所定の閉鎖期間（例えば１．５秒間）第２可変入賞口２３５の扉部材２３５ａ（特図１は第１可変入賞口２３４の扉部材２３４ａ）の開閉駆動用のソレノイド（３３２）に、扉部材２３５ａ（特図１は扉部材２３４ａ）を閉鎖状態に保持する信号を出力するとともに、ＲＡＭ３０８に設けた扉閉鎖時間管理用タイマの記憶領域に閉鎖期間を示す情報を設定する。また、コマンド設定送信処理（ステップＳ２３３）で大入賞口閉鎖設定送信処理を実行させることを示す所定の送信情報を上述の送信情報記憶領域に追加記憶する。
【０１０４】
また、この扉部材の開放・閉鎖制御を所定回数繰り返し、終了したタイミングで開始する特図２状態更新処理では、所定の終了演出期間（例えば３秒間）すなわち装飾図柄表示装置２０８による大当りを終了することを遊技者に報知する画像を表示している期間待機するように設定するためにＲＡＭ３０８に設けた演出待機時間管理用タイマの記憶領域に演出待機期間を示す情報を設定する。また、普図確率変動フラグがオンに設定されていれば、この大当たり遊技の終了と同時に、ＲＡＭ３０８に設けられた時短回数記憶部に時短回数（例えば１００回）をセットするともに、ＲＡＭ３０８に設けられた時短フラグをオンする。なお、その普図確率変動フラグがオフに設定されていれば、時短回数記憶部に時短回数をセットすることもなく、また時短フラグをオンすることもない。ここにいう時短とは、特図変動遊技における大当りを終了してから、次の大当りを開始するまでの時間を短くするため、ぱちんこ機が遊技者にとって有利な状態になることをいう。この時短フラグがオンに設定されていると、普図高確率状態である。普図高確率状態では普図低確率状態に比べて、普図変動遊技に大当りする可能性が高い。また、普図高確率状態の方が、普図低確率状態に比べて普図変動遊技の変動時間および特図変動遊技の変動時間は短くなる。さらに、普図高確率状態では普図低確率状態に比べて、第２特図始動口２３２の一対の羽根部材２３２ａの１回の開放における開放時間が長くなりやすい。加えて、普図高確率状態では普図低確率状態に比べて、一対の羽根部材２３２ａは多く開きやすい。また、上述のごとく、時短フラグは、大当り遊技中（特別遊技状態中）にはオフに設定される。したがって、大当たり遊技中には、普図低確率状態が維持される。これは、大当たり遊技中に普図高確率状態であると、大当たり遊技中に第１可変入賞口２３４または第２可変入賞口２３５に所定の個数、遊技球が入球するまでの間に第２特図始動口２３２に多くの遊技球が入球し、大当たり中に獲得することができる遊技球の数が多くなってしまい射幸性が高まってしまうという問題があり、これを解決するためのものである。
【０１０５】
さらに、コマンド設定送信処理（ステップＳ２３３）で終了演出設定送信処理を実行させることを示す所定の送信情報を上述の送信情報記憶領域に追加記憶する。
【０１０６】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。さらに、特図２変動遊技の結果が外れであれば、後述するように、はずれフラグがオンされる。このはずれフラグがオンの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次のステップＳ２２７に移行するようにしている。
【０１０７】
続いて、特図１についての特図状態更新処理（特図１状態更新処理）を行う（ステップＳ２２７）。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１０８】
ステップＳ２２５およびステップＳ２２７における特図状態更新処理が終了すると、今度は、特図１および特図２それぞれについての特図関連抽選処理を行う。ここでも先に、特図２についての特図関連抽選処理（特図２関連抽選処理）を行い（ステップＳ２２９）、その後で、特図１についての特図関連抽選処理（特図１関連抽選処理）を行う（ステップＳ２３１）。これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、装飾図柄表示装置２０８による、特図変動遊技の大当り判定の結果の報知は、第１副制御部４００によって行われ、第２特図始動口２３２への入賞に基づく抽選の抽選結果の報知が、第１特図始動口２３０への入賞に基づく抽選の抽選結果の報知よりも優先して行われる。
【０１０９】
ステップＳ２３３では、コマンド設定送信処理を行い、各種のコマンドが第１副制御部４００に送信される。なお、第１副制御部４００に送信する出力予定情報は例えば１６ビットで構成しており、ビット１５はストローブ情報（オンの場合、データをセットしていることを示す）、ビット１１〜１４はコマンド種別（本実施形態では、基本コマンド、図柄変動開始コマンド、図柄変動停止コマンド、入賞演出開始コマンド、終了演出開始コマンド、大当りラウンド数指定コマンド、復電コマンド、ＲＡＭクリアコマンドなどコマンドの種類を特定可能な情報）、ビット０〜１０はコマンドデータ（コマンド種別に対応する所定の情報）で構成している。
【０１１０】
具体的には、ストローブ情報は上述のコマンド送信処理でオン、オフするようにしている。また、コマンド種別が図柄変動開始コマンドの場合であればコマンドデータに、１５Ｒ大当りフラグや２Ｒ大当たりフラグの値、特図確率変動フラグの値、特図関連抽選処理で選択したタイマ番号などを示す情報を含み、図柄変動停止コマンドの場合であれば、１５Ｒ大当りフラグや２Ｒ大当たりフラグの値、特図確率変動フラグの値などを含み、入賞演出コマンドおよび終了演出開始コマンドの場合であれば、特図確率変動フラグの値などを含み、大当りラウンド数指定コマンドの場合であれば特図確率変動フラグの値、大当りラウンド数などを含むようにしている。コマンド種別が基本コマンドを示す場合は、コマンドデータにデバイス情報、第１特図始動口２３０への入賞の有無、第２特図始動口２３２への入賞の有無、第１可変入賞口２３４（または第２可変入賞口２３５）への入賞の有無などを含む。
【０１１１】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【０１１２】
ステップＳ２３５では、外部出力信号設定処理を行う。この外部出力信号設定処理では、ＲＡＭ３０８に記憶している遊技情報を、情報出力回路３３６を介してぱちんこ機１００とは別体の情報入力回路３５０に出力する。
【０１１３】
ステップＳ２３７では、デバイス監視処理を行う。このデバイス監視処理では、ステップＳ２０５において信号状態記憶領域に記憶した各種センサの信号状態を読み出して、所定のエラーの有無、例えば前面枠扉開放エラーの有無または下皿満タンエラーの有無などを監視し、前面枠扉開放エラーまたは下皿満タンエラーを検出した場合に、第１副制御部４００に送信すべき送信情報に、前面枠扉開放エラーの有無または下皿満タンエラーの有無を示すデバイス情報を設定する。また、各種ソレノイド３３２を駆動して第２特図始動口２３２や、可変入賞口２３４の開閉を制御したり、表示回路３２４、３２６、３３０を介して普通図柄表示装置２１０、第１特別図柄表示装置２１２、第２特別図柄表示装置２１４、各種状態表示部３２８などに出力する表示データを、Ｉ／Ｏ３１０の出力ポートに設定する。また、払出要求数送信処理（ステップＳ２１９）で設定した出力予定情報を出力ポート（Ｉ／Ｏ３１０）を介して第１副制御部４００に出力する。
【０１１４】
ステップＳ２３９では、低電圧信号がオンであるか否かを監視する。そして、低電圧信号がオンの場合（電源の遮断を検知した場合）にはステップＳ２４３に進み、低電圧信号がオフの場合（電源の遮断を検知していない場合）にはステップＳ２４１に進む。
【０１１５】
ステップＳ２４１では、タイマ割込終了処理を行う。このタイマ割込終了処理では、ステップＳ２０１で一時的に退避した各レジスタの値を元の各レジスタに設定したり、割込許可の設定などを行い、その後、主制御部メイン処理に復帰する。
【０１１６】
一方、ステップＳ２４３では、復電時に電断時の状態に復帰するための特定の変数やスタックポインタを復帰データとしてＲＡＭ３０８の所定の領域に退避し、入出力ポートの初期化等の電断処理を行い、その後、上述の主制御部メイン処理に復帰する。
【０１１７】
＜特図先読み処理＞
【０１１８】
図８は、主制御部メイン処理の特図先読み処理（ステップＳ２２４）の流れの一例を示すフローチャートである。特図先読み処理では、主制御部３００は、特図１および特図２のそれぞれにおいて増加した始動情報を先読みして、当否判定処理よりも前に停止図柄を事前判定し、事前判定結果（特図先読み結果）をＲＡＭ３０８内の先読み結果記憶部（図９（ａ）〜（ｃ）参照）に記憶する。
【０１１９】
ここで、図９に示すようにＲＡＭ３０８内には、特図１の先読み結果を記憶する特図１用先読み結果記憶部と、特図１用先読み結果記憶部に記憶されている特図１先読み結果の数を特図１先読み数として記憶する特図１先読み数記憶領域とが設けられている。特図１用先読み結果記憶部は、本例では４個まで先読み結果を格納できるようになっている。特図１用先読み結果記憶部では、特図１先読み数が１つ減るごとに順位が最上位（最先）の特図１先読み結果のデータが消去されるとともに、残余の特図１先読み結果のデータの順位が１ずつ繰り上がるように処理される。また、特図１先読み数が１つ増えるごとに、順位が最下位（最後）の特図１先読み結果のデータの次の順位に新たな特図１先読み結果のデータが書き込まれる。
【０１２０】
また、ＲＡＭ３０８内には、特図２の先読み結果を記憶する特図２用先読み結果記憶部と、特図２用先読み結果記憶部に記憶されている特図２先読み結果の数を特図２先読み数として記憶する特図２先読み数記憶領域とが設けられている。特図２用先読み結果記憶部は、本例では４個まで先読み結果を格納できるようになっている。特図２用先読み結果記憶部では、特図２先読み数が１つ減るごとに順位が最上位の特図２先読み結果のデータが消去されるとともに、残余の特図２先読み結果のデータの順位が１ずつ繰り上がるように処理される。また、特図２先読み数が１つ増えるごとに、順位が最下位の特図２先読み結果のデータの次の順位に新たな特図２先読み結果のデータが書き込まれる。
【０１２１】
図８に示すように、特図先読み処理において、まず主制御部３００は、特図２の始動情報が増加しているか否かを判定する（ステップＳ３０１）。特図２の始動情報が増加しているか否かの判定は、例えば、特図２保留数記憶領域に記憶されている特図２保留数と、特図２先読み数記憶領域に記憶されている特図２先読み数とを比較して行う。主制御部３００は、特図２保留数が特図２先読み数よりも大きい場合には特図２の始動情報が増加していると判定し、特図２保留数が特図２先読み数と等しい場合には特図２の始動情報は増加していないと判定する。特図２の始動情報が増加していると判定した場合にはステップＳ２５２に進み、特図２の始動情報が増加していないと判定した場合にはステップＳ２５４に進む。
【０１２２】
ステップＳ３０３では、増加した特図２始動情報（特図２当選乱数値および特図２乱数値の組）を、特図２関連抽選処理（ステップＳ２２９）での当否判定処理よりも前に、特図２乱数値記憶領域から先読みする。そして、先読みした特図２始動情報と、例えば当否判定時に用いる当否判定用テーブルおよび特図決定用テーブルを用いて、当該始動情報に係る特図２変動遊技の停止図柄を、特図２関連抽選処理（ステップＳ２２９）での当否判定処理よりも前に事前判定する。なお、この事前判定処理は、当否判定時に用いるテーブルではなく事前判定用の特別のテーブルを用いて行ってもよい。
【０１２３】
ステップＳ３０３の次のステップＳ３０５では、事前判定で得られた特図２先読み結果としての停止図柄情報をＲＡＭ３０８内の特図２用先読み結果記憶部の最先の空き領域に記憶する。その後、ステップＳ３０７に移行する。
【０１２４】
ステップＳ３０７では、主制御部３００は、特図１の始動情報が増加しているか否かを判定する。特図１の始動情報が増加しているか否かの判定は、例えば特図２と同様に、特図１保留数記憶領域に記憶されている特図１保留数と、特図１先読み数記憶領域に記憶されている特図１先読み数とを比較して行う。特図１の始動情報が増加していると判定した場合にはステップＳ３０９に進み、特図１の始動情報が増加していないと判定した場合には特図先読み処理を終了主制御部メイン処理に復帰する。
【０１２５】
ステップＳ３０９では、ＲＡＭ３０８内の各種フラグに基づいて、非電サポ中であるか否かを判定する。非電サポ中であると判定した場合にはステップＳ３１１に進み、非電サポ中でない（電サポ中（普図高確率状態）である）と判定した場合にはステップＳ３１５に進む。なお、本例では非電サポ中であるか否かを判定しているが、特図１先読み予告報知の実行条件を満たしているか否かを判定するようにしてもよい。例えば特図１先読み予告報知の実行条件としては、非電サポ中であること以外に、大当り遊技中でないこと等の条件が含まれる。
【０１２６】
ステップＳ３１１では、増加した特図１始動情報（特図１当選乱数値および特図１乱数値の組）を、特図１関連抽選処理（ステップＳ２３１）での当否判定処理よりも前に、特図１乱数値記憶領域から先読みする。そして、先読みした特図１始動情報と、例えば当否判定時に用いる当否判定用テーブルおよび特図決定用テーブルを用いて、当該始動情報に係る特図１変動遊技の停止図柄を、特図１関連抽選処理（ステップＳ２３１）での当否判定処理よりも前に事前判定する。なお、この事前判定処理は、当否判定時に用いるテーブルではなく事前判定用の特別のテーブルを用いて行ってもよい。
【０１２７】
ステップＳ３１１の次のステップＳ３１３では、事前判定で得られた特図１先読み結果としての停止図柄情報をＲＡＭ３０８内の特図１用先読み結果記憶部の最先の空き領域に記憶する。その後、特図先読み処理を終了して主制御部メイン処理に復帰する。
【０１２８】
ステップＳ３１５では、増加した特図１始動情報を先読みせずに、始動情報を先読みしていないことを示す「未判定」情報を、停止図柄情報に代えてＲＡＭ３０８内の特図１用先読み結果記憶部の最先の空き領域に記憶する。その後、特図先読み処理を終了して主制御部メイン割込処理に復帰する。
【０１２９】
本実施の形態では、増加した始動情報のみを先読みして事前判定しているが、全ての始動情報を先読みして事前判定するようにしてもよい。また、上述のコマンド設定送信処理（ステップＳ２３３）において、増加分の始動情報の先読み結果のみを第１副制御部４００に送信してもよいし、特図１用および特図２用先読み結果記憶部内の全ての先読み結果を第１副制御部４００に送信してもよい。
【０１３０】
また、増加した特図２の始動情報については必ず先読みを実行し、増加した特図１の始動情報については電サポ中を除き必ず先読みを実行するようになっているが、増加した特図１および特図２の始動情報を先読みするか否かを抽選で決定するようにしてもよい。あるいは、主制御部３００から先読み結果を受信した第１副制御部４００において、例えば保留毎に先読み報知を実行するか否かを抽選で決定するようにしてもよい。また、遊技状態（例えば、非電サポ中であるか否か）等に関わらず、始動情報が増加した場合には必ず先読みを実行して先読み結果を先読み結果記憶部に記憶するとともに、該先読み結果を第１副制御部４００に送信するように構成し、該第１副制御部４００が該先読み結果を用いた抽選および演出を実行するか否かを判断するように構成してもよい。さらに、特図毎に始動情報および先読み結果を記憶する領域を設けずに、一の始動情報および先読み結果記憶部にそれぞれの特図の始動情報および先読み結果を記憶するように構成していても良い。
【０１３１】
＜先読み結果情報＞
【０１３２】
図９は、ＲＡＭ３０８内の先読み結果記憶部に先読み結果情報等が記憶された状態を例示している。同図（ａ）は、特図１用先読み結果記憶部に特図１先読み結果情報が記憶された状態の一例を示している。同図（ａ）に示すように、特図１用先読み結果記憶部は、例えば特図１変動遊技の保留可能数と同数（本実施の形態では、４つ）の記憶領域を有している。各記憶領域は、特図１乱数値記憶領域の保留順序（保留１〜保留４）に対応付けられている。各記憶領域のそれぞれには、特図１の停止図柄情報が記憶されるようになっている。同図（ａ）に示す例において、記憶領域「保留１」には停止図柄情報として「特図Ｅ」（はずれ）が記憶され、記憶領域「保留２」には停止図柄情報として「特図Ｅ」（はずれ）が記憶され、記憶領域「保留３」には停止図柄情報として「特図Ｄ」（小当り）が記憶され、記憶領域「保留４」には停止図柄情報として「特図Ａ」（１５Ｒ特別大当り）が記憶されている。
【０１３３】
同図（ｂ）は、特図２用先読み結果記憶部に特図２先読み結果情報が記憶された状態の一例を示している。同図（ｂ）に示すように、特図２用先読み結果記憶部は、例えば特図２変動遊技の保留可能数と同数（本実施の形態では、４つ）の記憶領域を有している。各記憶領域は、特図２乱数値記憶領域の保留順序（保留１〜保留４）に対応付けられている。各記憶領域のそれぞれには、特図２の停止図柄情報が記憶されるようになっている。同図（ｂ）に示す例において、記憶領域「保留１」には停止図柄情報として「特図ｄ」（はずれ）が記憶され、記憶領域「保留２」〜「保留４」には、停止図柄情報が記憶されていない。なお、同図（ｂ）において、停止図柄情報が記憶領域に記憶されていない状態を「なし」と表記している。
【０１３４】
同図（ｃ）は、電サポ中における特図１用先読み結果記憶部の例を示している。同図（ｃ）に示すように、記憶領域「保留１」には、停止図柄情報に代えて「未判定」情報が記憶されている。記憶領域「保留２」〜「保留４」には、停止図柄情報も「未判定」情報も記憶されていない。
【０１３５】
次に、図１０を用いて、図４に示す払出制御部６００が実行する払出制御部メイン処理について説明する。なお、同図は払出制御部メイン処理の流れを示すフローチャートである。
【０１３６】
図４に示す払出制御部６００は、ＣＰＵ、ＲＡＭ、ＲＯＭ、Ｉ／Ｏポート、および電圧監視回路を備えている。払出制御部６００が備える電圧監視回路も、主制御部３００が備える電圧監視回路と同じく、電源管理部６５０から払出制御部６００に供給している電源の電圧値が所定の値（本実施形態では９ｖ）未満である場合に電圧が低下したことを示す低電圧信号を払出制御部６００のＣＰＵに出力する。なお、主制御部３００の電圧監視回路３３８から低電圧信号が出力されていても、この払出制御部６００の電圧監視回路からは低電圧信号は出力されていないことはある。
【０１３７】
払出制御部６００には、主制御部３００のＣＰＵ３０４から電源投入情報を含めたコマンドが送信されてくる。このコマンドを受信したことに基づいて、払出制御部６００のＣ
ＰＵは、払出制御部メイン処理を開始する。
【０１３８】
まず、ステップＳ５０１では、初期設定１を行う。この初期設定１では、払出制御部６００のＣＰＵのスタックポインタ（ＳＰ）へのスタック初期値の設定等を行う。
【０１３９】
ステップＳ５０２では、払出制御部６００の電圧監視回路から低電圧信号が出力されているか否か、すなわち低電圧信号がオンであるか否かを判定する。低電圧信号がオンの場合（電源の遮断を検知した場合）にはステップＳ５０２の処理を繰り返し実行し、低電圧信号がオフの場合（電源の遮断を検知していない場合）にはステップＳ５０３に進む。
【０１４０】
ステップＳ５０３では、初期設定２を行う。この初期設定２では、後述する払出制御部タイマ割り込み処理を定期毎に実行するための周期を決める数値をカウンタ・タイマに設定する処理、払出制御部６００のＲＡＭへの書き込みを許可する設定、Ｉ／Ｏポートの初期設定等を行う。
【０１４１】
ステップＳ５０４では、電源の遮断前（電断前）の状態に復帰するか否かの判定を行い、電断前の状態に復帰しない場合（ぱちんこ機１００を初期状態にする場合）にはステップＳ５０６に進み、電断前の状態に復帰する場合にはステップＳ５０５に進む。具体的には、このステップＳ５０４でも、主制御部３００メイン処理のステップＳ１１１と同様な処理が行われ、ＲＡＭクリアが必要な場合には、ぱちんこ機１００を初期状態にすべくステップＳ５０６に進む。一方、ＲＡＭクリアが必要でない場合には、払出制御部６００のＲＡＭから電源ステータスの情報を読み出し、電源ステータスの情報が、サスペンドを示す情報でない場合にはぱちんこ機１００を初期状態にすべくステップＳ５０６に進み、サスペンドを示す情報である場合には払出制御部６００のＲＡＭについてチェックサムを実行し、チェックサムの結果が正常である場合には電断前の状態に復帰すべくステップＳ５０５に進み、チェックサムの結果が異常である場合には、ぱちんこ機１００を初期状態にすべくステップＳ５０６に進む。同様に電源ステータスの情報が「サスペンド」以外の情報を示している場合にもステップＳ５０６に進む。
【０１４２】
ステップＳ５０５では、復電時処理を行う。この復電時処理では、払出制御部６００のＲＡＭの記憶領域のうち、復電時にクリアすべき記憶領域（コマンドを格納するためのコマンドバッファ、エラー状態を記憶するためのエラーステータスなどを除く記憶領域）の初期化などを行う。
【０１４３】
ステップＳ５０６では、初期化処理を行う。この初期化処理では、割り込み禁止の設定、スタックポインタへのスタック初期値の設定、払出制御部６００のＲＡＭの所定の領域（例えば、全ての記憶領域）の初期化などを行う。
【０１４４】
ステップＳ５０７では、初期設定３を行う。この初期設定３では、払出制御部６００のＲＡＭに設けたエラーステータス記憶領域に記憶したエラーステータスのうち、不正払出エラーと払出超過エラー以外の情報をクリアしたり、割り込み許可の設定などを行う。
【０１４５】
ステップＳ５０８では、主制御部３００から入力したデータの中に未解析データがあるか無いかを判定し、未解析データがある場合にはステップＳ５０９でコマンド解析処理を行い、未解析データがない場合にはステップＳ５１０に進む。
【０１４６】
ステップＳ５１０では、ステップＳ５０２と同じく、低電圧信号がオフであるか否かを監視し、低電圧信号がオフの場合（電源の遮断を検知していない場合）にはステップＳ５０８に戻り、低電圧信号がオンの場合（電源の遮断を検知した場合）にはステップＳ５１１に進む。
【０１４７】
ステップＳ５１１では、電断時処理を行う。この電断時処理では、払出制御部６００のＲＡＭに設けたスタックポインタ退避領域に現在のスタックポインタの値を記憶し、上述の電源ステータス記憶領域にサスペンドを示す情報を設定する。また、払出制御部６００のＲＡＭの所定の領域（例えば全ての領域）に記憶している１バイトデータを初期値が０である１バイト構成のレジスタに全て加算し、チェックサム算出用数値記憶領域に記憶している値からその加算した結果を減算した値をチェックサム（電断時チェックサム）として算出し、算出した電断時チェックサムを上述のチェックサム算出用数値記憶領域に記憶し、払出制御部６００のＲＡＭへの書き込みを禁止する設定などを行う。
【０１４８】
＜払出制御部タイマ割り込み処理＞
【０１４９】
次に、図１１を用いて、払出制御部６００のＣＰＵが実行する払出制御部タイマ割り込み処理について説明する。なお、同図は払出制御部タイマ割り込み処理の流れを示すフローチャートである。
【０１５０】
払出制御部６００は、所定の周期（本実施形態では１ｍｓに１回）でタイマ割り込みを発生するカウンタ回路も備えており、このタイマ割り込みを契機として払出制御部タイマ割り込み処理を所定の周期で開始する。
【０１５１】
ステップＳ６０１では、タイマ割り込みスタート処理を行う。このタイマ割り込みスタート処理では、払出制御部６００のＣＰＵの各レジスタの値をスタック領域に一時的に退避する処理などを行う。
【０１５２】
払出制御部６００には、ウォッチドッグタイマ（ＷＤＴ）も用意されている。ステップＳ６０２ではこのＷＤＴのリスタートを行う。
【０１５３】
ステップＳ６０３では、入力ポート状態更新処理を行う。この入力ポート状態更新処理では、払出制御部６００のＩ／Ｏポートの値を取得して、図４に示す払出センサ６０４等の状態などを検出する。
【０１５４】
ステップＳ６０４では、タイマ更新処理を行う。このタイマ更新処理では、払出報知用ＬＥＤの点灯／消灯時間、図４に示す払出モータ６０２の駆動／非駆動時間などを計時するためのタイマなどを含む各種タイマを更新する。
【０１５５】
ステップＳ６０５では、エラー監視処理を行う。払出制御部６００のＩ／Ｏポートには、主制御部３００から、下皿満タンエラー信号やガラス枠開放エラー信号等の各種のエラー信号が送られてくる。払出制御部６００のＲＡＭには、エラーステータス記憶領域や、遊技媒体貸出情報記憶領域や、払出完了数チェック記憶領域や、モータ駆動量記憶領域が設けられている。エラーステータス記憶領域には、各エラー信号に対応した情報が記憶される。このエラー監視処理では、各種のエラー信号がオンか否かを判定し、オンの場合には、エラーステータス記憶領域に対応したエラーを示す情報を記憶し、オフの場合には、エラーステータス記憶領域に対応したエラーの解除を示す情報を記憶する。また、主制御部３００と払出制御部６００との間の通信が可能かどうかを、主制御部からのコマンドが所定時間（例えば１０００ｍｓ）継続して受信できないか否かで判定し、エラーステータス記憶領域に、通信可能な場合には通信可能であることを示す情報を、反対に通信不可能な場合には通信不可能であること（主制御通信エラー）を示す情報を記憶する。加えて、図４に示すカードユニット（ＣＲユニット）６０８と払出制御部６００との間の通信が可能かどうかについても、カードユニット６０８からの信号が所定時間（例えば１０００ｍｓ）継続して受信できないか否かで判定し、エラーステータス記憶領域に、通信可能な場合には通信可能であることを示す情報を、反対に通信不可能な場合には通信不可能である
こと（ＣＲユニット未接続エラー）を示す情報を記憶する。また、払出制御部６００のＩ／Ｏポートには、エラー解除信号も送られてくる。このエラー監視処理では、エラー解除信号がオンであるか否かも判定し、エラー解除信号がオンである場合には、エラーステータス記憶領域に記憶している情報を初期化して、エラーを解除する。
【０１５６】
ステップＳ６０６では、ＣＲユニット通信処理を行う。このＣＲユニット通信処理では、図４に示すインターフェース部６０６から遊技媒体貸出信号を受信して遊技媒体貸出信号センサ信号がオンであるか否かを判定し、遊技媒体貸出信号がオンの場合（インターフェース部６０６からの球貸要求を入力した場合）には、ＲＡＭに設けた遊技媒体貸出情報記憶領域に遊技媒体の貸出要求があったことを示す情報を記憶する。
【０１５７】
ステップＳ６０７では、払出動作管理処理を行う。上述のエラーステータス記憶領域には、不正払出エラーの情報や払出超過エラーの情報も記憶されている。この払出動作管理処理では、エラーステータス記憶領域から不正払出エラーの情報、および払出超過エラーの情報を読み出し、いずれのエラーも発生していない場合には、図４に示す払出センサ６０４からの信号（以下、払出センサ信号と称する場合がある）に基づいて払出個数の監視を行う。すなわち、所定のエラーが発生している場合には払出モータ６０２の駆動停止、すなわち払出装置からの賞媒体（例えば遊技球）の払出を停止するようにしている。具体的には、払出センサ６０４の信号を検出して払出センサ信号がオンであるか否かを判定し、払出センサ信号がオンの場合（払出センサを球が通過した場合）には払出完了数チェックに１を加算して払出完了数チェック記憶領域に記憶する。また、賞球および貸出球の要求が無いときに払出センサ信号がオンになった場合には、上述のエラーステータス記憶領域に不正払出エラーを示す情報を記憶し、賞球数または貸出球数が各々の要求数を超え、その超過数が所定数以上になった場合には、上述のエラーステータス記憶領域に払出超過エラーを示す情報を記憶する。
【０１５８】
また、上述のエラーステータス記憶領域から、下皿満タンエラーを表す情報、不正払出エラーの情報、および払出超過エラーの情報を読み出し、いずれのエラーも発生していない場合に、払出開始監視処理、初期位置検索動作処理、通常払出動作処理、リトライ動作処理、逆回転動作処理のいずれかの処理を行う。
【０１５９】
上述のごとく、払出装置１５２は、払出モータ６０２によって回転可能に構成されたスプロケットを備えている。このスプロケットは、タンクレール１５４を通過して払出装置１５２内に流下した遊技球を一時的に滞留させると共に、払出モータ６０２を駆動して所定角度だけ回転することにより、一時的に滞留した遊技球を払出装置１５２の下方へ１個ずつ送り出す。払出開始監視処理では、貸出要求数、および賞球要求数が０であり、次賞球要求数が０以外の場合は、賞球要求数に次賞球要求数をセットし、次賞球要求数をクリアする。また、払出モータ６０２の位置が不確定の場合（動作モードが初期位置検索動作モードの場合）には、払出完了数チェックから１を減算して払出完了数チェック記憶領域に記憶し、払出モータ６０２の位置が確定している場合（動作モードが通常払出動作モードの場合）には、払出完了数チェックとして払出完了数チェック記憶領域に０を設定する。また、賞球要求数を、払出モータ６０２を駆動する量（モータ駆動量）に変換し、これをＲＡＭに設けたモータ駆動量記憶領域に記憶すると共に、ＲＡＭに設けたモータ制御データテーブルを参照してモータ駆動量に対応するモータ駆動制御データを選択し、正転を示すモータ駆動制御データをＩ／Ｏポートを介して、払出モータ６０２を制御するモータ制御回路に出力する。これにより、モータ制御回路は払出モータ６０２のモータの励磁位置を所定回変化させてスプロケットを正方向に回転駆動する。
【０１６０】
初期位置検索動作処理および通常払出動作処理では、払出モータ６０２の駆動終了後に、払出完了数チェック記憶領域から払出完了チェックを読み出し、払出完了チェックが０
の場合には、払出開始監視処理を実行する準備を行い、払出完了チェックが０以外の場合には、エラーステータス記憶領域に払出装置エラーを示す情報を設定すると共に、リトライ動作処理を実行する準備を行う。
【０１６１】
リトライ動作処理では、所定の時間が経過するのを待ち（リトライ動作開始待ちタイマが０になるのを待ち）、リトライ動作開始待ちタイマが０になった場合には、逆回転動作処理を実行する準備を行う。逆回転操作処理では、上述のモータ制御データテーブルを参照してモータ駆動量に対応するモータ駆動制御データを選択し、逆転を示すモータ駆動制御データをＩ／Ｏポートを介してモータ制御回路に出力する。これにより、モータ制御回路は払出モータ６０２の励磁位置を所定回変化させてスプロケットを逆回転駆動する。また、逆回転操作処理では、払出モータ６０２の駆動終了後に払出開始監視処理を実行する準備を行う。
【０１６２】
ステップＳ６０８では、払出モータ駆動監視処理を行う。この払出モータ駆動監視処理では、駆動開始監視処理、加速駆動処理、定速駆動処理、ブレーキ駆動処理、駆動終了処理のいずれかの処理を行う。
【０１６３】
駆動開始監視処理では、上述のエラーステータス記憶領域から下皿満タンエラーの情報、不正払出エラーの情報、および払出超過エラーの情報を読み出し、いずれのエラーも発生していない場合には、上述のモータ制御データテーブルを参照してモータ駆動量に対応するモータ駆動制御データを選択し、正転を示すモータ駆動制御データをＩ／Ｏポートを介してモータ制御回路に出力する。これにより、モータ制御回路は払出モータ６０２の励磁位置を所定回変化させスプロケットを正方向に回転駆動する。
【０１６４】
加速駆動処理および定速駆動処理では、スプロケットの初期位置検索動作中、または、逆回転動作中の場合を除き、払出モータ６０２の励磁位置を１６回変化させるごとに払出完了数チェックから１を減算して払出完了数チェック記憶領域に記憶する。また、更新後の払出完了数チェックが−４未満になった場合には、ブレーキ駆動処理を実行する準備を行う。さらに、上述の遊技媒体貸出情報記憶領域から遊技媒体貸出情報を読み出して、遊技媒体の貸出要求があったことを示す情報の有無を判定し、遊技媒体の貸出要求があったことを示す情報がある場合（賞球の払出中にインターフェース部６０６からの球貸要求を入力した場合）にも、ブレーキ駆動処理を実行する準備を行う。
【０１６５】
ブレーキ駆動処理では、所定の時間が経過するのを待ち（モータ駆動管理タイマが０になるのを待ち）、モータ駆動管理タイマが０になった場合には、駆動終了処理を実行する準備を行い、駆動終了処理では、モータ駆動の後処理を行う。
【０１６６】
ステップＳ６０９では、外部出力信号設定処理を行う。この外部出力信号設定処理では、払出制御部６００のＲＡＭに記憶している遊技情報（例えば払出センサ信号を入力するたびに出力する賞球信号）を、情報出力回路（図示せず）を介してぱちんこ機１００とは別体の情報入力回路３５０に出力する。
【０１６７】
ステップＳ６１０では、ポート出力処理を行う。このポート出力処理では、払出制御部６００のＩ／Ｏポートから、図４に示す発射制御部６３０に発射を許可する発射許可信号を出力する。ただし、上述の主制御通信エラーやＣＲユニット未接続エラーが生じている場合には、発射許可信号を出力しない状態に設定する。したがって、主制御部３００が電断し、払出制御部６００には電力が供給されている状態では、上述のステップＳ６０５において主制御通信エラーが認められ、このポート出力処理で、発射許可信号を出力しない状態に設定される。
【０１６８】
ステップＳ６１１では、タイマ割り込みエンド処理を行う。このタイマ割り込みエンド処理では、ステップＳ６０１で一時的に退避した各レジスタの値を元の各レジスタに設定したり、割り込み許可の設定などを行い、払出制御部タイマ割り込み処理は終了になる。
【０１６９】
＜広範囲磁気センサ＞
【０１７０】
図１２および図１３は、本実施形態の一実施例の概要を示す図である。図１２に示すように、本実施形態のぱちんこ機１００は、広範囲磁気センサ７００を備える。広範囲磁気センサ７００は、磁石（磁力）を用いた不正行為を検出するためにその遊技盤２００の入賞口（ここでは、一例として第２可変入賞口２３５および一般入賞口２２６）近傍などに埋め込まれており、遊技中に異常な磁気を検出したときには、その検出信号をホールコンピュータなどに出力する。
【０１７１】
図１３に示すように、本実施形態の広範囲磁気センサ７００は、電源投入時に初期設定（初期化）を実行するが、前面枠扉１０６の開放状態では、当該初期設定は実行しない。これにより、正しく遊技を行っている遊技者に不利益を与えないようにすることができる。一方、広範囲磁気センサ７００は、可動手段（アタッカーＡまたは演出化導体２２４など）の動作中であってもその初期設定を実行する。これにより、アタッカーＡの開放動作により発生する磁気の誤検出を防ぐことができる。
【０１７２】
図１４は、広範囲磁気センサ７００の配置を示す概要図である。図１４（ａ）は、広範囲磁気センサ７００の外観斜視図であり、図１４（ｂ）は、広範囲磁気センサ７００と前面枠扉１０６の開口部に設けられたガラス製又は樹脂製の透明板部材１１８の位置関係を示す側面図である。
【０１７３】
図１４（ａ）に示すように、広範囲磁気センサ７００は、略直方体形状のパッケージの一面（例えば、センサコネクタ裏面）が検出面７００ａである。そして、図１４（ｂ）に示すように、広範囲磁気センサ７００は、検出面７００ａと、閉めた状態における前面枠扉１０６の透明板部材１１８とが平行になるように、遊技盤２００に配置される（遊技盤２００の内部に埋め込まれる）。また、検出面７００ａから、前面枠扉１０６を閉めた状態での透明板部材１１８表面までの距離は、一定の距離（例えば、５０ｍｍ〜７０ｍｍ）とする。
【０１７４】
図１５は、広範囲磁気センサ７００の検出（検知）空間の概念図である。図１５（ａ）が３次元的に表示したイメージ図であり、図１５（ｂ）はＹ方向から見て２次元的に表示したイメージ図である。
【０１７５】
広範囲磁気センサ７００の磁気検出範囲は黒塗りで示した領域である。すなわちＹＺ平面においては広範囲磁気センサ７００を中心とした略円形の領域であり、ＸＺ平面においては広範囲磁気センサ７００の中心から左右に俵状に広がる領域である。広範囲磁気センサ７００は、Ｘ方向の検出感度と、Ｙ方向およびＺ方向の検出感度との間で感度差を設けているため、検出領域に差が生じている。
【０１７６】
図１６は、広範囲磁気センサ７００の回路構成を示す概要図である。同図（ａ）は主制御部３００と広範囲磁気センサ７００の接続の一例を示す概要図であり、同図（ｂ）は、各端子の機能を示す表であり、同図（ｃ）は副制御部（例えば、第１副制御部４００）と広範囲磁気センサ７００の接続の一例を示す概要図である。
【０１７７】
広範囲磁気センサ７００は、例えば、磁気センサ主回路、電圧変換回路、トランジスタ、ダイオード、抵抗などにより構成され、同図（ａ）、（ｂ）に示すように、広範囲磁気センサ７００は電源端子ＶＤＤとなる第１端子（１ｐｉｎ）、第１入力端子ＩＮ１となる第２端子（２ｐｉｎ）、第２入力端子ＩＮ２となる第３端子（３ｐｉｎ）、出力端子ＯＵＴとなる第４端子（４ｐｉｎ）、接地端子ＧＮＤとなる第５端子（５ｐｉｎ）の５つの端子を備える。
【０１７８】
同図（ａ）に示すように第１端子は電源装置に接続し、第２端子（第１入力端子ＩＮ１）は入力電源端子であり、広範囲磁気センサ７００の初期化再起動および動作停止を行う。第２端子は主制御部３００と接続し、前面枠扉１０６の開放時に主制御部３００から出力された検知動作停止の信号が入力される。検知動作停止の信号が広範囲磁気センサ７００に入力されると、広範囲磁気センサ７００の検知ができない状態になる。また、開放された前面枠扉１０６が閉鎖された場合に、検知動作停止信号の主制御部３００からの入力が終了する。なお、この例では第２端子が主制御部３００と接続する例を示しているが、主制御部３００に限らず、検知動作停止信号の出力を実行する出力手段（例えば、扉開放センサなど）に接続されていればよい。なお、第２端子は、前面枠扉開放センサ１０９と接続していてもよい。
【０１７９】
第３端子（第２入力端子ＩＮ２）は、広範囲磁気センサ７００の検出モードの切替を行う入力電源端子である。本実施例では、モードを固定しているため、Ｈ又はＬの信号が入力されていればよい。具体的には、電源装置（Ｈ）に接続し、一方のモードへ固定している。なお、他方のモードに固定する場合にはＧＮＤ（Ｌ）に接続する。また、主制御部３００に接続して同じ信号を入力させ続けてもよい。また、第４端子は主制御部３００と接続し、広範囲磁気センサ７００からの磁気検出信号を出力する。主制御部３００と出力端子ＯＵＴの間にはプルアップ抵抗Ｒが接続される。第５端子は接地される。
【０１８０】
同図（ｃ）は、広範囲磁気センサ７００と第１副制御部４００を接続する場合を示している。
【０１８１】
第１端子は、電源装置と接続し、第２端子は、主制御部３００と接続し、前面枠扉１０６の開放時に主制御部３００から出力された検知動作停止の信号が入力される。検知動作停止の信号が広範囲磁気センサ７００に入力されると、広範囲磁気センサ７００の検知ができない状態になる。また、開放された前面枠扉１０６が閉鎖された場合に、検知動作停止信号の主制御部３００からの入力が終了する。なお、この例では第２端子が主制御部３００と接続する例を示しているが、主制御部３００に限らず、検知動作停止信号の出力を実行する制御手段に接続されていればよい。第２端子は、前面枠扉開放センサ１０９と接続していても良い。
【０１８２】
第３端子は、検知モード切替端子である。この例では、広範囲磁気センサ７００が、検出範囲が異なる複数の検出モード（検出範囲が第一の範囲である第一の検出モード（ＭＯＤＥ１）と、検出範囲が第二の範囲である第二の検出モード（ＭＯＤＥ２））を備え、第３端子の接続先を切り替えることで検出モードを切替可能に構成されている。なお、例えば、店員の操作より広範囲磁気センサ７００の検出範囲を変更できるようにしてもよい。これにより、制御部（ここでは第１副制御部４００）に磁石エラーとして出力される検出範囲を変更することができ、磁石エラーを出力する場合と出力しない場合とを選択させることができる。このように、複数の検出モードを備え、用途に応じて変更できるようにしてもよいが、一の検出モードのみが搭載されていても良い。
【０１８３】
第４端子は副制御部（例えば、第１副制御部４００、第２副制御部５００）と接続し、広範囲磁気センサ７００からの磁気検出信号を出力する。副制御部と出力端子ＯＵＴの間にはプルアップ抵抗Ｒが接続される。第５端子は接地される。
【０１８４】
また、同図（ａ）において主制御部３００と接続する場合には、検出モードが選択不可となっている（予め決定された一の検出モードのみが設定（選択）されている）が、（複数の検出モードを備えて）いずれかの検出モードをスイッチなどによって切替可能としてもよい。また、同図（ｃ）において第１副制御部４００と接続する場合であっても、予め決定された一の検出モードのみが設定（選択）されるものであってもよい。
【０１８５】
広範囲磁気センサ７００のデータの取得間隔は一定（例えば、１０ｍｓ、５ｍｓなど）であるが、一定でなくてもよい。また、遊技状態（大当り中、確変中、時短中、通常状態、客待ち画面表示中、図柄変動中、図柄停止中など）によって広範囲磁気センサ７００のデータの取得間隔が異なるようにしてもよい。
【０１８６】
また、本実施形態の広範囲磁気センサ７００は、アタッカーＡの開閉動作などによる磁気変化を除外するものであってもよく、例えば、アタッカーＡの扉部材２３４ａ、２３５ａ等を開閉駆動するソレノイド３３２の漏洩磁場をキャンセルする機能を有していてもよい。ソレノイド３３２の漏洩磁場のキャンセル機能としては、データのサンプリング中に一定値以上の磁場変化があった場合に、一定値以上の磁場変化を最初に検出（検知）した時点を起点として一定回数分（例えば、１０回分）データを取得し、その中から最も傾きが高いデータを１または複数個（例えば、３個）選択し、予め広範囲磁気センサに設定された傾きよりも上回る場合は、ソレノイド３３２から発生している磁場（漏洩磁場）と判断し、磁気検出信号を出力しないようにしてもよい。
【０１８７】
＜広範囲磁気センサに関する信号出力の流れ（実施例１）＞
【０１８８】
図１７は、広範囲磁気センサ７００に関する信号出力の流れを示すブロック図であり、同図（ａ）は、広範囲磁気センサ７００の初期化が実行される場合のブロック図であり、広範囲磁気センサ７００の第１入力端子ＩＮ１に入力される信号の流れを示している。また同図（ｂ）は、広範囲磁気センサ７００による磁気検出が実行される場合のブロック図であり、出力端子ＯＵＴから出力される信号の流れを示している。なお、同図に示す構成の場合、図１６（ａ）の回路構成において第２端子（第１入力端子ＩＮ１）が前面枠扉開放センサ１０９が接続し、第４端子（出力端子ＯＵＴ）に主制御部３００が接続する。
【０１８９】
同図（ａ）に示すように、例えば、前面枠扉開放センサ１０９は所定のタイミングで（所定の周期で）前面枠扉１０６の状態（開放および閉鎖の状態）を示す扉状態信号（扉開放信号または扉閉鎖信号）を広範囲磁気センサ７００に出力する。広範囲磁気センサ７００は、入力された扉状態信号に応じて、磁気検出の動作停止や初期化を実行する。すなわち、前面枠扉１０６の開放中には（扉開放信号が入力されると）、磁気検出が禁止され、前面枠扉１０６が閉鎖されると（扉閉鎖信号が入力されると、または扉開放信号が非入力であると、以下同様）広範囲磁気センサ７００の初期化が開始される。つまりこの場合の扉閉鎖信号は、広範囲磁気センサ７００の初期化信号であり、扉開放信号（扉閉鎖信号が入力されないという情報の信号）は、磁気検出動作停止信号である。初期化信号が入力されると、広範囲磁気センサ７００は、しきい値（第一の値）をセンサ内部の記憶手段（例えば、ＲＡＭ）に記憶する。
【０１９０】
また、同図（ｂ）に示すように、広範囲磁気センサ７００は所定のタイミングで（所定の周期で）磁気を検出（検知）し、検出された磁気の値（第二の値）を、初期化処理で記憶手段に記憶されたしきい値と比較し、検出された磁気の値がしきい値を超えた場合に、主制御部３００に磁気検出信号を出力する。広範囲磁気センサ７００は検出された磁気の値がしきい値を超えない場合に、主制御部３００に磁気検出信号を出力しない。
【０１９１】
主制御部３００は、広範囲磁気センサ７００から磁気検出信号を受信すると、第１副制御部４００（および／又は第２副制御部５００）によって、磁気（磁石）エラーを報知する場合には、エラーコマンドを第１副制御部４００に送信する。第１副制御部４００は、ランプ４１８発光、スピーカ１２０からの音声出力、装飾図柄表示装置２０８による表示などによって、磁気（磁石）エラーを報知する。磁気（磁石）エラーについては後述する。
【０１９２】
＜広範囲磁気センサに関する信号出力の流れ（実施例２）＞
【０１９３】
図１８は、広範囲磁気センサ７００に関する信号出力の流れの他の例を示すブロック図であり、同図（ａ）は、広範囲磁気センサ７００の初期化が実行される場合のブロック図であり、広範囲磁気センサ７００の第１入力端子ＩＮ１に入力される信号の流れを示している。また同図（ｂ）は、広範囲磁気センサ７００による磁気検出が実行される場合のブロック図であり、出力端子ＯＵＴから出力される信号を流れを示している。
【０１９４】
同図（ａ）に示すように、例えば、前面枠扉開放センサ１０９は所定のタイミングで（所定の周期で）前面枠扉１０６の状態（開放および閉鎖の状態）を示す扉状態信号（扉開放信号または扉閉鎖信号）を、主制御部３００に出力し、主制御部３００は、扉状態信号を広範囲磁気センサ７００に出力する。広範囲磁気センサ７００は、入力された扉状態信号に応じて、磁気検出の動作停止や初期化を実行する。すなわち、前面枠扉１０６の開放中には（扉開放信号が入力されると）、磁気検出が禁止され、前面枠扉１０６が閉鎖されると（扉閉鎖信号が入力（扉開放信号が非入力）されると）広範囲磁気センサ７００の初期化が開始される。初期化信号が入力されると、広範囲磁気センサ７００は、しきい値（第一の値）をセンサ内部の記憶手段（例えば、ＲＡＭなど）に記憶する。
【０１９５】
また、同図（ｂ）に示すように、広範囲磁気センサ７００は所定のタイミングで（所定の周期で）磁気を検出（検知）し、検出された磁気の値（第二の値）を、初期化処理において記憶手段に記憶されたしきい値と比較し、検出された磁気の値がしきい値を超えた場合に、副制御部（第１副制御部４００（および／又は第２副制御部５００））に磁気検出信号を出力する。広範囲磁気センサ７００は検出された磁気の値がしきい値を超えない場合には、副制御部に磁気検出信号を出力しない。副制御部は、磁気検出信号によって、磁気（磁石）エラー報知の実行、非実行を切り替えることができる。
【０１９６】
このように、本実施形態の広範囲磁気センサ７００は、前面枠扉１０６が閉じられたこと（第一の要件）を含む第一の条件が成立した場合に、出力手段から初期化信号が入力されるものであり、初期化信号の入力によって、制御部に磁気検出信号を出力可能となる。
【０１９７】
ここで出力手段は、図１７（ａ）に示すように初期化信号を出力する検知手段（例えば、前面枠扉開放センサ１０９）などであってもよいし、図１８（ａ）に示すように制御手段であってもよい。また、第一の条件が成立する要件とは、第一の要件のみのことであってもよく、第一の要件を含む複数の要件のことであってもよい。このことは、本発明に係る全ての実施形態（実施例）において同様である。
【０１９８】
また、本実施形態の広範囲磁気センサ７００は、前面枠扉１０６が閉じられたことを含む第一の条件が成立した場合に、出力手段から初期化信号が入力されるものであり、初期化信号の入力によって、第一の値（しきい値）をセンサ内部の記憶手段に記憶する。また、広範囲磁気センサ７００は、所定のタイミングで磁気を検出し、検出された磁気の値（第二の値）を、初期化処理において記憶手段に記憶されたしきい値と比較し、検出された磁気の値がしきい値を超えた場合（第二の条件が成立した場合）に制御部に磁気検出信号を出力する。
【０１９９】
前面枠扉１０６の開放状態から閉鎖状態にした場合、広範囲磁気センサ７００が検出する磁束密度が不安定となり、正しい磁場を検出することができない場合がある。そのため、本実施形態では、前面枠扉１０６を開放状態から閉鎖状態にするときは、広範囲磁気センサ７００の初期化動作を行わず、前面枠扉１０６を閉鎖し磁場が安定した状態で初期化動作（しきい値の記憶（設定））を実行することとした。このようにすることで、広範囲磁気センサ７００の誤検出を防止し、安定した制御を行うことができる。
【０２００】
ここで、しきい値（第一の値）とは、磁束密度（ＴまたはｍＴ）の値のことであってもよい。また、主制御部３００が制御する装置（例えば、アタッカーＡなど）に設けられたソレノイド３３２の動作による磁束密度の大きさ（ａ［ｍＴ］）と、副制御部（第１副制御部４００および第２副制御部５００）が制御する装置（例えば、遮蔽装置２４６、演出可動体２２４など）に設けられたソレノイドの動作による磁束密度の大きさ（ｂ［ｍＴ］）と、全てのソレノイドがオフの状態の磁束密度の大きさ（ｃ［ｍＴ］）と、しきい値（第一の値）となる磁束密度の大きさ（ｄ［ｍＴ］）との関係（各磁束密度の大きさの関係）は、ａ＞ｂであるが、逆でもよい。また各磁束密度の大きさの関係は、ａ＞ｃであるが、逆でもよい。また各磁束密度の大きさの関係は、ｂ＞ｃであるが、逆でもよい。また各磁束密度の大きさの関係は、ａ＞ｄであってもよいが（ソレノイドキャンセル機能で、磁気検出しない）、ａ＜ｄであってもよい（しきい値を超えていないので、検出されない）。また各磁束密度の大きさの関係は、ｂ＜ｄであってもよいが（しきい値を超えていないので、検出されない）、ｂ＞ｄであってもよい（ソレノイドキャンセル機能で、磁気検出しない）。また各磁束密度の大きさの関係は、ｃ＜ｄであってもよい。
【０２０１】
＜広範囲磁気センサに関するタイミングチャート＞
【０２０２】
＜タイミングチャートの実施例１＞
【０２０３】
図１９は、図１８に示す広範囲磁気センサに関する信号出力の実施例２において、電源投入から広範囲磁気センサ７００が磁気検出（読込）可能状態となるまでのタイミングチャートの一例である。同図では、上から電源の電圧レベル（オン／オフ）、電源基板から主制御部３００に入力される信号ＰＷ＿ＷＡＴＣＨの状態（オン／オフ）、前面枠扉開放センサ１０９（ドアセンサ）の状態（開放状態を示すＯＰＥＮ／閉鎖状態を示すＣＬＯＳＥ）、広範囲磁気センサ７００（磁気センサ）の状態、ソレノイド３３２（例えば、アタッカーＡの扉部材３４２ａ、２３５ａを駆動するソレノイド３３２など）の状態、演出手段（例えば、演出可動体２２４などを含む演出装置２０６、スピーカ１２０、各種ランプ４１８など）の状態のタイミングチャートを示している。また、ＰＷ＿ＷＡＴＣＨ、ドアセンサおよび磁気センサの各ラベルに付した（ＩＮ）は、これらの信号が主制御部３００に入力される信号であることを意味し、ソレノイドのラベルに付した（ＯＵＴ）は、この信号が主制御部３００から出力される信号であることを意味する。
【０２０４】
まず、ぱちんこ機１００の電源はタイミング０でオフであり、タイミングｔ１で電源が投入されると電圧が徐々に上昇を始める。タイミング０からｔ１の期間において、ＰＷ＿ＷＡＴＣＨはオフ（Ｌレベル）であり、広範囲磁気センサ７００、ソレノイド３３２、演出手段も停止状態である。なお、前面枠扉１０６の開閉状態はタイミングｔ６の期間まで開放状態であっても閉鎖状態であってもよい。
【０２０５】
タイミングｔ２で電源の電圧供給（電圧上昇）が一定の割合（例えば、５割程度）となると、広範囲磁気センサ７００は電源投入状態となり、初期化処理を実行する。具体的には、広範囲磁気センサ７００の電源端子ＶＤＤがＨレベルとなり、初期化処理を実行する。
【０２０６】
タイミングｔ３で、電源の電圧供給（電圧上昇）が一定の割合（例えば、７割程度）となると、ぱちんこ機１００の電源投入状態となる。これにより、ＰＷ＿ＷＡＴＣＨはオン（Ｈレベル）となり、ソレノイド３３２および演出手段は動作可能状態となる。なおここでの動作可能状態とは、動作状態であっても停止状態であってもよい状態であることいい、この例では、ソレノイド３３２と演出手段は、タイミングｔ３以降は広範囲磁気センサ７００や前面枠扉１０６等の状態に依らず、動作または停止状態となる。
【０２０７】
なお、本実施例では、広範囲磁気センサ７００が電源投入状態となる電圧（電源に供給される電圧の５割程度）が、主制御部３００が電源投入状態となる電圧（電源に供給される電圧の７割程度）よりも低いため、主制御部３００が電源投入状態（タイミングｔ３）となる前に、外部からの初期化信号によって広範囲磁気センサ７００の初期化処理が開始（タイミングｔ４）する。しかし、主制御部３００が電源投入状態となるまでは主制御部３００からの初期化信号を広範囲磁気センサ７００は受信できず、広範囲磁気センサ７００の状態が不明のため、広範囲磁気センサ７００のタイミングチャートにおいてタイミングｔ２からｔ３の間を破線にしている。なお、主制御部３００が電源投入状態となった後に広範囲磁気センサ７００が電源投入状態となる構成であれば、広範囲磁気センサ７００の初期化処理の開始タイミングから主制御部３００に初期化信号が入力される。また、主制御部３００から送信される初期化信号を受信して広範囲磁気センサ７００で初期化処理を実行する場合は、広範囲磁気センサ７００が電源投入状態になっても、主制御部３００からの初期化信号を受信するまでは磁気を検知しない場合もある。このような主制御部３００および広範囲磁気センサ７００の電源投入のタイミングと初期化信号による初期化処理の開始の関係については、以下の実施例においても同様である。
【０２０８】
タイミングｔ４では、主制御部３００においてユーザープログラムが実行を開始（すなわち、主制御部メイン処理を開始）し、タイミングｔ５に先行するタイミング（ここではタイミングｔ５'）で、広範囲磁気センサ７００は初期化処理が完了し、磁気検出可能状態となる。
【０２０９】
タイミングｔ６は、前面枠扉１０６が閉鎖された状態であり、前面枠扉開放センサ１０９の信号（扉閉鎖信号）が主制御部３００に入力され、ドアセンサがＣＬＯＳＥ（Ｌレベル）となっている。
【０２１０】
タイミング０〜ｔ６の期間は、前面枠扉開放センサ１０９の信号（扉状態信号）によらず（ＯＰＥＮ／ＣＬＯＳＥのいずれでも）、他の処理（例えば、広範囲磁気センサ７００の初期化処理など）が実行可能な期間（前面枠扉開放センサ１０９のＯＰＥＮ／ＣＬＯＳＥ不問期間）であり、タイミングｔ６で当該ＯＰＥＮ／ＣＬＯＳＥ不問期間が終了する。
【０２１１】
前面枠扉開放センサ１０９と接続されている制御手段（ここでは、主制御部３００）には、扉状態信号が前面枠扉開放センサ１０９から送信されている。前面枠扉開放センサ１０９から主制御部３００に扉状態信号が送信されるタイミングは、前面枠扉開放センサ１０９の検知状態が変化したタイミングである。従って、閉鎖していた前面枠扉１０６が開放したタイミングで扉状態信号（扉開放信号）が主制御部３００に送信され、開放していた前面枠扉１０６が閉鎖したタイミングで扉状態信号（扉閉鎖信号）が主制御部３００に送信される。
【０２１２】
また、扉開放状態で電源投入した場合は、扉開放状態が検知されてから一定時間（例えば、払出制御部６００のタイマ割込間隔（１００ｍｓ））経過しても扉の開放状態が継続している場合に扉開放信号を出力する。
【０２１３】
本実施例では、タイミングｔ６の時点で、主制御部３００において主制御部メイン処理が開始されていた場合（例えば、同図に示す用にタイミングｔ４で主制御部メイン処理が開始された場合）は、前面枠扉開放センサ１０９からの扉状態信号が主制御部３００に入力される。一方、主制御部メイン処理が開始されていない場合は、扉状態信号が出力されない。従って、主制御部３００は、厳密には、主制御メイン処理が開始されるまでは、前面枠扉１０６の状態（開放／閉鎖）が不明な状態となる。
【０２１４】
タイミングｔ７で、前面枠扉１０６が開放されると、前面枠扉開放センサ１０９の信号（扉開放信号）が主制御部３００に入力される。これにより、広範囲磁気センサ７００は磁気検出動作を停止する。本実施形態では図１８のように広範囲磁気センサ７００と前面枠扉開放センサ１０９とは主制御部３００を介して接続されており、前面枠扉１０６が開放状態（ドアセンサがＯＰＥＮ）となると、広範囲磁気センサ７００の第１入力端子ＩＮ１の入力信号が例えばＨレベルとなる。これにより広範囲磁気センサ７００は検出動作を停止する。
【０２１５】
なお、図１７に示すように、広範囲磁気センサ７００と前面枠扉開放センサ１０９が直接接続されている場合には、前面枠扉１０６が開放状態（ドアセンサがＯＰＥＮ）となったことに基づき、広範囲磁気センサ７００の第１入力端子ＩＮ１の入力信号が例えばＨレベルとなり、これにより広範囲磁気センサ７００は検出動作を停止する。
【０２１６】
タイミングｔ８で前面枠扉１０６が閉鎖（ドアセンサがＣＬＯＳＥ）されると、これに基づき広範囲磁気センサ７００の第１入力端子ＩＮ１に初期化信号が入力され、広範囲磁気センサ７００は初期化処理を実行する。
【０２１７】
タイミングｔ９で広範囲磁気センサ７００の初期化処理が完了すると、広範囲磁気センサ７００の磁気検出動作が実行可能となる。
【０２１８】
この例ではタイミング０からタイミングｔ６を経過する（タイミングｔ６'）までの期間（前面枠扉１０６が閉鎖され、広範囲磁気センサ７００が磁気検出可能となるまでの期間）が電源投入時の初期化動作期間であり、タイミングｔ６'以降が広範囲磁気センサ７００の磁気検出可能期間である。そして、本実施形態の広範囲磁気センサ７００は、電源投入時の初期化動作期間中のタイミングｔ２からｔ５'において、ぱちんこ機１００の電源投入に伴う初期化処理を実行する。この初期化処理は前面枠扉１０６の状態に依らずに実行される。一方、広範囲磁気センサ７００の磁気検出可能期間（タイミングｔ６'以降）においては、前面枠扉１０６の状態に応じて動作する。すなわち、タイミングｔ７からｔ８の期間は、前面枠扉１０６が開放されている期間であり、この期間中は、広範囲磁気センサ７００は磁気検出動作を停止する。またタイミングｔ８からｔ９の期間は、前面枠扉１０６が閉鎖されたことに基づき広範囲磁気センサ７００は初期化処理を実行する。また、その初期化処理後の完了後（タイミングｔ９以降）には広範囲磁気センサ７００は磁気検出動作を実行可能とする。
【０２１９】
また、ソレノイドおよび演出手段はタイミングｔ３以降、動作可能状態となっており、広範囲磁気センサ７００の初期化処理（電源投入時の初期化動作中の初期化処理（タイミングｔ２（またはｔ３）からｔ５'）、磁気検出可能期間中の初期化処理（タイミングｔ８からｔ９））中であっても、ソレノイド３３２、および演出手段のいずれも動作可能（動作／停止のいずれの状態でもよい）となっている。
【０２２０】
このように、本実施形態の広範囲磁気センサ７００は、前面枠扉１０６が閉じられたことを含む条件が成立した場合に、初期化信号が入力されるものであり、所定のタイミングで磁気を検出する。また、前面枠扉開放センサ１０９は所定のタイミングで（所定の周期で）前面枠扉１０６の状態（開放および閉鎖の状態）を示す扉状態信号（扉開放信号または扉閉鎖信号（扉が開放されていないことを示す信号））を出力する。広範囲磁気センサ７００は、扉状態信号に応じて、磁気検出の動作停止や初期化を実行する。すなわち、広範囲磁気センサ７００は磁気検出可能期間（タイミングｔ６'以降）では、前面枠扉１０６の開放中には（扉開放信号が入力されると）、磁気検出動作が停止され、前面枠扉１０６が閉鎖されると（扉閉鎖信号（扉が開放されていないことを示す信号）、すなわち初期化信号が入力されると）広範囲磁気センサ７００の初期化が開始される。
【０２２１】
また、本実施形態の広範囲磁気センサ７００は、磁気検出可能期間において、前面枠扉１０６が閉じられたことを含む条件が成立した場合に、演出手段（例えば、演出可動体２２４、スピーカ１２０、各種ランプ４１８など）が動作中であっても広範囲磁気センサ７００への初期化信号の出力を継続する。このようにすることで、遊技への復帰をスムーズに行い、遊技者に違和感を与えないようにすることができる。また、誤検出を防ぎ、安定した制御を行うことができる。
【０２２２】
＜磁気（磁石）エラー＞
【０２２３】
本実施形態のぱちんこ機１００は、広範囲磁気センサ７００によって異常な磁気（磁石）を検知した場合、磁気（磁石）エラーを報知する。磁気（磁石）エラーの発生要件は、電源投入状態（ＰＷ＿ＷＡＴＣＨ信号がオン）且つ広範囲磁気センサの初期化処理が完了している場合に、磁気検知信号がオフからオンに変化し（主制御部３００で磁気検知信号を受信し）、その状態が一定時間（例えば、１００ｍｓ）継続した場合である。
【０２２４】
また、磁気を検知した（磁気検出信号を広範囲磁気センサ７００から受信した）主制御部３００の動作は、外部端子板信号（セキュリティー信号）を外部機器（例えば、ホールコンピュータ）へ出力し、第１副制御部４００にエラー発生に関するコマンド（エラーコマンド）を送信し、主制御部３００の動作を停止（遊技不可）する。
【０２２５】
また、磁気（磁石）エラーの復帰条件は、電源を遮断し再投入した場合であり、主制御部３００の復帰時動作は、初期起動時は初期の電源投入時と同じ動作を行い、復帰起動時はエラー開始前の主制御部３００の動作を再開する。
【０２２６】
＜タイミングチャートの実施例２＞
【０２２７】
図２０は、図１８に示す広範囲磁気センサに関する信号出力の実施例２において、電源投入から広範囲磁気センサ７００が磁気検出可能状態となるまでのタイミングチャートの他の例である。ここでは図１９のタイミングチャートと重複する部分についてはその記載を一部省略し、図１９のタイミングチャートと異なる部分について主に説明する。
【０２２８】
タイミングｔ１で電源が投入されると電圧が徐々に上昇を始める。タイミングｔ２で電源の電圧供給（電圧上昇）が一定の割合（例えば、５割程度）となると、広範囲磁気センサ７００は電源投入時の初期化動作として、初期化処理を実行する。
【０２２９】
タイミングｔ３で、電源の電圧供給（電圧上昇）が一定の割合（例えば、７割程度）となると、ぱちんこ機１００の電源投入状態となる。これにより、ＰＷ＿ＷＡＴＣＨはオン（Ｈレベル）となる。また、ソレノイド３３２と演出手段は動作可能状態となる。ソレノイド３３２と演出手段は、タイミングｔ３からｔ８までの期間において動作可能状態となる。
【０２３０】
タイミングｔ４では、主制御部３００においてユーザープログラムが実行を開始（すなわち、主制御部メイン処理を開始）し、タイミングｔ５に先行するタイミング（ここではタイミングｔ５'）で、広範囲磁気センサ７００は電源投入時の初期化動作における初期化処理が完了し、磁気検出可能状態となる。
【０２３１】
タイミングｔ６では、前面枠扉１０６が閉鎖され、前面枠扉開放センサ１０９の信号（扉閉鎖信号）が主制御部３００に入力されている。なお、タイミング０からｔ６までの期間は、前面枠扉１０６は閉鎖状態であっても開放状態であってもよい。
【０２３２】
すなわちタイミング０〜ｔ６の期間は、前面枠扉開放センサ１０９の信号（扉状態信号）によらず（ＯＰＥＮ／ＣＬＯＳＥのいずれでも）、他の処理（例えば、広範囲磁気センサ７００の初期化処理など）が実行可能な期間（前面枠扉開放センサ１０９のＯＰＥＮ／ＣＬＯＳＥ不問期間）であり、タイミングｔ６で当該ＯＰＥＮ／ＣＬＯＳＥ不問期間が終了する。
【０２３３】
前面枠扉開放センサ１０９と接続されている制御手段（ここでは、主制御部３００）には、扉状態信号が前面枠扉開放センサ１０９から送信されている。前面枠扉開放センサ１０９から主制御部３００に扉状態信号が送信されるタイミングは、前面枠扉開放センサ１０９の検知状態が変化したタイミングである。従って、閉鎖していた前面枠扉１０６が開放したタイミングで扉状態信号（扉開放信号）が主制御部３００に送信され、開放していた前面枠扉１０６が閉鎖したタイミングで扉状態信号（扉閉鎖信号）が主制御部３００に送信される。
【０２３４】
また、扉開放状態で電源投入した場合は、扉開放状態が検知されてから一定時間（例えば、払出制御部６００のタイマ割込間隔（１００ｍｓ））経過しても扉の開放状態が継続している場合に扉開放信号を出力する。
【０２３５】
本実施例では、タイミングｔ６の時点で、主制御部３００において主制御部メイン処理が開始されていた場合（例えば、同図に示す用にタイミングｔ４で主制御部メイン処理が開始された場合）は、前面枠扉開放センサ１０９からの扉状態信号が主制御部３００に入力される。一方、主制御部メイン処理が開始されていない場合は、扉状態信号が出力されない。従って、主制御部３００は、厳密には、主制御メイン処理が開始されるまでは、前面枠扉１０６の状態（開放／閉鎖）が不明な状態となる。
【０２３６】
タイミングｔ７で、前面枠扉１０６が開放されると、前面枠扉開放センサ１０９の信号（扉開放信号）が主制御部３００に入力される。扉開放信号が入力されたことで、主制御部３００は磁気検出動作停止信号を扉開放センサ出力し、広範囲磁気センサ７００は磁気検出動作を停止する。
【０２３７】
タイミングｔ８で前面枠扉１０６が閉鎖されると、これに基づき広範囲磁気センサ７００に主制御部３００から初期化信号が入力され、広範囲磁気センサ７００は初期化処理を実行する。ここで、タイミングｔ８〜ｔ９の期間は、ソレノイド３３２および演出手段の動作を禁止する期間であり、ソレノイド３３２および演出手段の動作のうちの少なくとも一方の動作が検知された場合は、広範囲磁気センサ７００の初期化処理を中止する処理を行う。なお、タイミングｔ８において、ソレノイド３３２および演出手段は動作を停止させるようにしてもよい。
【０２３８】
タイミングｔ９で広範囲磁気センサ７００の初期化処理が完了すると、広範囲磁気センサ７００の磁気検出動作が実行可能となる。このタイミングではソレノイド３３２および演出手段の動作を禁止する期間が終了する。なお、タイミングｔ８において、ソレノイド３３２および演出手段は動作を停止させる処理を行った場合は、ソレノイド３３２および演出手段は、いずれも動作可能状態とさせる処理を実行するようにしてもよい。
【０２３９】
このように、電源投入時の初期化動作中（タイミングｔ２（またはｔ３）からｔ５'）では、前面枠扉１０６の状態に依らず、広範囲磁気センサ７００は初期化処理を実行し、またソレノイド３３２および演出手段は動作可能状態となる。一方、磁気検出可能期間中においては、前面枠扉１０６が開放されている期間（タイミングｔ７からｔ８の期間）は、広範囲磁気センサ７００は磁気検出動作を停止し、前面枠扉１０６が閉鎖されたことに基づき（タイミングｔ８）、すなわち、前面枠扉開放センサ１０９が扉閉鎖信号を主制御部３００に送信すると、主制御部３００は広範囲磁気センサ７００に初期化信号を送信し、広範囲磁気センサ７００は初期化処理を実行し、初期化処理が終了後（タイミングｔ９以降）に磁気検出動作が実行可能となる。
【０２４０】
またこの例では、磁気検出可能期間において、広範囲磁気センサ７００が初期化処理を実行している場合（タイミングｔ８からｔ９の期間）には、初期化処理の期間中ソレノイド３３２および演出手段の動作を禁止する。すなわち、ソレノイド３３２の動作を停止する処理を行い、演出手段（例えば、演出可動体２２４、スピーカ１２０、各種ランプ４１８など）も動作を停止する処理を行う。そして広範囲磁気センサ７００の初期化処理が完了したタイミングｔ９以降では、ソレノイド３３２および演出手段の初期化処理の動作を禁止する期間が終了する。
【０２４１】
＜タイミングチャートの実施例３＞
【０２４２】
図２１は、図１８に示す広範囲磁気センサに関する信号出力の実施例２において、電源投入から広範囲磁気センサ７００が磁気検出可能状態となるまでのタイミングチャートの他の例である。ここでは図１９のタイミングチャートと重複する部分についてはその記載を一部省略し、図１９のタイミングチャートと異なる部分について主に説明する。
【０２４３】
タイミングｔ１で電源が投入されると電圧が徐々に上昇を始める。タイミングｔ２で電源の電圧供給（電圧上昇）が一定の割合（例えば、５割程度）となると、広範囲磁気センサ７００は電源投入時の初期化動作として、初期化処理を実行する。
【０２４４】
タイミングｔ３で、電源の電圧供給（電圧上昇）が一定の割合（例えば、７割程度）となると、ぱちんこ機１００の電源投入状態となる。これにより、ＰＷ＿ＷＡＴＣＨはオン（Ｈレベル）となる。また、ソレノイド３３２と演出手段は（タイミングｔ８まで）動作可能状態となる。
【０２４５】
タイミングｔ４では、主制御部３００においてユーザープログラムが実行を開始（すなわち、主制御部メイン処理を開始）し、タイミングｔ５に先行するタイミング（ここではタイミングｔ５'）で、広範囲磁気センサ７００は電源投入時の初期化動作における初期化処理が完了し、磁気検出可能状態となる。タイミング０〜ｔ６の期間については上記の実施例と同様である。
【０２４６】
タイミングｔ７で、前面枠扉１０６が開放されると、広範囲磁気センサ７００は磁気検出動作を停止するが、タイミングｔ８で前面枠扉１０６が閉鎖されると、すなわち、前面枠扉開放センサ１０９が扉閉鎖信号を主制御部３００に送信すると、主制御部３００は広範囲磁気センサ７００に初期化信号を送信し、広範囲磁気センサ７００は初期化処理を実行する。
【０２４７】
タイミングｔ９で広範囲磁気センサ７００の初期化処理が完了すると、広範囲磁気センサ７００の磁気検出動作が実行可能となる。タイミングｔ８からｔ９の広範囲磁気センサ７００の初期化処理期間中、ソレノイド３３２の動作を禁止しており、ソレノイド３３２の動作が検知された場合は、広範囲磁気センサ７００の初期化処理を中止する処理を行う。一方、演出手段の動作については禁止しておらず、動作／停止のいずれの状態であっても広範囲磁気センサ７００の初期化処理は継続する。なお、ｔ８〜ｔ９の期間中において、ソレノイド３３２の動作を停止させ、演出手段は動作可能状態（動作／停止のいずれの状態でもよい）としてもよい。
【０２４８】
このように、タイミング０〜ｔ６の期間を含む電源投入時の初期化動作中では、前面枠扉１０６の状態に依らず、広範囲磁気センサ７００は初期化処理を実行し、またソレノイド３３２および演出手段は動作可能状態となる。一方、磁気検出可能期間中においては、前面枠扉１０６が開放されている期間（タイミングｔ７からｔ８の期間）は、広範囲磁気センサ７００は磁気検出動作を停止し、前面枠扉１０６が閉鎖されたことに基づき（タイミングｔ８）広範囲磁気センサ７００は初期化処理を実行し、初期化処理が終了後（タイミングｔ９以降）に磁気検出動作が実行可能となる。このようにしてぱちんこ機１００の電源投入期間中に、前面枠扉１０６が開放され、閉鎖される毎に広範囲磁気センサ７００は初期化処理を実行する。
【０２４９】
またこの例では、磁気検出可能期間において、広範囲磁気センサ７００が初期化処理を実行している場合（タイミングｔ８からｔ９の期間）には、ソレノイド３３２の動作を禁止する期間とし、ソレノイド３３２の動作があった場合は、初期化処理を中止するが、演出手段の動作については禁止しておらず、動作／停止のいずれの状態であっても広範囲磁気センサ７００の初期化処理は継続する。そして広範囲磁気センサ７００の初期化処理が完了したタイミングｔ９以降では、ソレノイド３３２および演出手段のいずれも動作可能状態となる。
【０２５０】
なお、この例では、磁気検出可能期間における広範囲磁気センサ７００の初期化処理中はソレノイド３３２のみ動作禁止期間としたが、当該期間における初期化処理中に演出手段のみ動作禁止期間とし、ソレノイド３３２動作／停止のいずれの状態であっても広範囲磁気センサ７００の初期化処理は継続するようにしてもよい。また、磁気検出可能期間における広範囲磁気センサ７００の初期化処理中に演出手段のみ動作停止状態とし、ソレノイド３３２は動作可能状態としてもよい。
【０２５１】
＜広範囲磁気センサに関する信号出力の流れ（実施例３）＞
【０２５２】
図２２は、図４に示す回路構成の制御部を備えたぱちんこ機１００における、広範囲磁気センサ７００に関する信号出力の流れを示すブロック図であり、初期化処理における広範囲磁気センサ７００の第１入力端子ＩＮ１に入力される信号の流れを示している。
【０２５３】
同図（ａ）に示すように、例えば、前面枠扉開放センサ１０９は所定のタイミングで（所定の周期で）前面枠扉１０６の状態（開放および閉鎖の状態）を示す扉状態信号（扉開放信号または扉閉鎖信号）を、払出制御部６００に出力し、払出制御部６００は、扉状態コマンド（扉開放コマンドまたは扉閉鎖コマンド）を主制御部３００に送信する。扉状態コマンドを受信した主制御部３００は、扉状態信号を広範囲磁気センサ７００に出力する。
【０２５４】
広範囲磁気センサ７００は、入力された扉状態信号に応じて、磁気検出の動作停止や初期化を実行する。すなわち、前面枠扉１０６の開放中には（扉開放信号が入力されると）、磁気検出が禁止され、前面枠扉１０６が閉鎖されると（扉閉鎖信号が入力されると）広範囲磁気センサ７００の初期化が開始される。なお、主制御部３００は、広範囲磁気センサに前面枠扉１０６が閉鎖されたことを示す扉閉鎖信号を送信する場合には、扉閉鎖信号に後続する信号送信処理で初期化信号を送信してもよいし、扉閉鎖信号を送信する信号送信処理で（同時に）初期化信号を送信してもよい。広範囲磁気センサ７００は、しきい値（第一の値）をセンサ内部の記憶手段（例えば、ＲＡＭなど）に記憶する。
【０２５５】
また同図（ｂ）に示すように、同図（ａ）の構成において、主制御部３００から広範囲磁気センサ７００に初期化信号を送信する場合に、初期化フィードバック信号（以下、「初期化ＦＢ信号」と称する。）を主制御部３００に送信するようにしてもよい。
【０２５６】
図２３は、図２２（ｂ）に示す初期化ＦＢ信号を送信する場合の、各基板間の接続の一例を示す概要図であり、図２３（ａ）は各基板間の配線の一例と信号の流れを示す概要図であり、図２３（ｂ）は各基板間のコネクタの配線例を示す概要図である。
【０２５７】
同図（ａ）に示すように、主制御部３００が出力した初期化信号を初期化ＦＢ信号として主制御部３００に戻す場合は、主制御部３００を構成する主基板１５６と、広範囲磁気センサ７００とを第１中継基板７０２および第２中継基板７０４を介して接続する。主基板１５６は、第１中継基板７０２および第２中継基板７０４を介して第１の配線７０８１および第２の配線７０８２で接続されている。第１の配線７０８１は主基板１５６から広範囲磁気センサ７００に初期化信号を送信する配線であり、第２の配線７０８２は広範囲磁気センサ７００から主基板１５６に磁気検出信号を送信する配線である。
【０２５８】
また、第１中継基板７０２は、断線監視回路７０６が実装されている基板であり、第２中継基板７０４は、第１の配線７０８１から分岐して第１中継基板７０２の断線監視回路７０６に接続する第３の配線７０８３が設けられている基板である。第３の配線７０８３は、断線監視回路７０６と主基板１５６を接続する配線でもある。
【０２５９】
同図（ｂ）に示すように、例えば主基板１５６と第１中継基板７０２とは基板対基板接続用コネクタ７１０，７１２（又はハーネス）により接続されて主基板ケース１５８に収納される。また第１中継基板７０２と第２中継基板７０４は、それぞれのコネクタ７１４，７１６がハーネスで接続され、第２中継基板７０４と広範囲磁気センサ７００は、それぞれのコネクタ７１８、７２０がハーネスで接続される。
【０２６０】
このように、主制御部３００から出力された初期化信号用の第１の配線７０８１を分岐して、分岐した配線（第３の配線）を初期化ＦＢ信号用配線として主制御部３００と接続する。第３の配線７０８３は第１中継基板７０２上に実装された断線監視回路７０６を介して主制御部３００と接続するこれにより、主制御部３００から広範囲磁気センサ７００に初期化信号が出力された場合、初期化ＦＢ信号が主制御部３００に送信される。広範囲磁気センサ７００に入力された初期化信号（信号の入力状況）と、主制御部３００に戻された初期化ＦＢ信号（信号の入力状況）とを比較し、これらが一致しない場合には、異常（例えば、コネクタ抜けなどの断線）が発生している可能性が高いが、本実施形態によれば当該異常を検出することができる。
【０２６１】
また、第１中継基板に断線監視回路７０６を実装し、初期化ＦＢ信号を入力させるようにすることで、断線監視回路７０６と広範囲磁気センサ７００とを接続するコネクタ、ハーネスについて断線または抜けの状態を監視できる。
【０２６２】
すなわち、広範囲磁気センサ７００には初期化信号が入力されるが、初期化ＦＢ信号が主制御部３００に入力されないことを断線監視回路７０６で検出した場合は、第１中継基板７０２のコネクタ７１４と第２中継基板７０４のコネクタ７１６とを接続するハーネスが断線しているか、コネクタ７１４，７１６の抜けが発生していると判断できる。つまり、コネクタ７１４，７１６の抜けや、これらを接続するハーネスの断線の発生によって、広範囲磁気センサ７００が検出した磁気検出信号が主制御部３００へ送信できないという信号送信エラーを検出することができる。
【０２６３】
なお、この実施例では、断線監視回路７０６を第１中継基板７０２に実装する場合を例に示したが、断線監視回路７０６は、主基板１５６に実装されていても良いし、第２中継基板７０４に実装されていてもよい。
【０２６４】
＜タイミングチャートの実施例４＞
【０２６５】
図２４は、図２２に示す広範囲磁気センサに関する信号出力の実施例３における、正常時のタイミングチャートの一例である。
【０２６６】
同図では、上から電源の電圧レベル（オン／オフ）、電源基板から主制御部３００に入力される信号ＰＷ＿ＷＡＴＣＨの状態（オン／オフ）、前面枠扉開放センサ１０９（ドアセンサ）の状態（開放状態を示すＯＰＥＮ／閉鎖状態を示すＣＬＯＳＥ）、払出制御部６００が送信する払出コマンドの主制御部３００における受信状態（受信／非受信）、初期化ＦＢ信号の入力状態（オン（入力）／オフ（非入力））広範囲磁気センサ７００（磁気センサ）の状態、主制御部３００が広範囲磁気センサ７００に出力する初期化信号の状態（オン（出力）／オフ（非出力））、第１副制御部４００（および／又は第２副制御部５００）へのエラーコマンドの送信状態（オン（送信）／オフ（非送信））、ソレノイド３３２の状態（オン／オフ）のタイミングチャートを示している。また、ＰＷ＿ＷＡＴＣＨ、ドアセンサ、初期化ＦＢおよび磁気センサの各ラベルに付した（ＩＮ）は、これらの信号が主制御部３００に入力される信号であることを意味し、初期化、エラー、ソレノイドのラベルに付した（ＯＵＴ）は、この信号又はコマンドが主制御部３００から出力される信号又はコマンドであることを意味する。
【０２６７】
まず、ぱちんこ機１００の電源はタイミング０でオフであり、タイミングｔ１で電源が投入されると電圧が徐々に上昇を始める。タイミング０からｔ１の期間において
【０２６８】
タイミングｔ１で電源が投入されると電圧が徐々に上昇を始める。タイミングｔ２で電源の電圧供給（電圧上昇）が一定の割合（例えば、５割程度）となると、広範囲磁気センサ７００の電源投入状態となる。
【０２６９】
タイミングｔ３で、電源の電圧供給（電圧上昇）が一定の割合（例えば、７割程度）となると、ぱちんこ機１００の電源投入状態となる。これにより、ＰＷ＿ＷＡＴＣＨはオン（Ｈレベル）となる。
【０２７０】
また、このタイミングで広範囲磁気センサ７００は、電源投入時の初期化動作として、初期化処理を実行する。広範囲磁気センサ７００はタイミングｔ２で電源投入状態となっているが、初期化信号および初期化ＦＢ信号は、電源の投入に合わせて主制御部３００の電源が投入されるタイミングｔ３以降に広範囲磁気センサ７００で検知されるため、（タイミングｔ３からｔ３では初期化信号が検知されないため）初期化処理もタイミングｔ３から実行される。
【０２７１】
タイミングｔ４では、主制御部３００のユーザープログラム（すなわち、主制御メイン処理）が実行を開始する。そしてこのタイミング以降、タイミングｔ６までの期間では、主制御部３００からの初期化信号（および初期化ＦＢ信号）の送信が禁止される。
【０２７２】
タイミングｔ５に先行するタイミング（ここではタイミングｔ５'）で、広範囲磁気センサ７００は電源投入時の初期化動作における初期化処理が完了し、その後のタイミングｔ５では、主制御部３００において主制御部メイン処理（図６）が実行を開始し、タイミングｔ６で初期化信号の送信禁止が解除される。また、タイミングｔ６において、前面枠扉１０６は閉鎖状態となっている。
【０２７３】
この例では、タイミング０からタイミング６以降のタイミング６'までの期間が電源投入時の初期化動作期間であり、タイミング６'以降が、前面枠扉１０６の閉鎖状態による広範囲磁気センサ７００の初期化処理実行可能期間（前面枠扉１０６の閉鎖状態から初期化処理完了動作期間）である。
【０２７４】
また、タイミング０〜ｔ６の期間は、前面枠扉開放センサ１０９の信号（扉状態信号）によらず、他の処理（例えば、広範囲磁気センサ７００の初期化処理など）が実行可能な期間（前面枠扉開放センサ１０９のＯＰＥＮ／ＣＬＯＳＥ不問期間）であり、タイミングｔ６で当該ＯＰＥＮ／ＣＬＯＳＥ不問期間が終了する。
【０２７５】
本実施例では、前面枠扉開放センサ１０９の扉状態信号は、払出制御部６００のタイマ割込処理で主制御部３００へ送信され、さらに主制御部３００の主制御部タイマ割込処理で受信する。
【０２７６】
前面枠扉開放センサ１０９から払出制御部６００に扉状態信号が送信されるタイミングは、前面枠扉開放センサ１０９の検知状態が変化したタイミングである。従って、閉鎖していた前面枠扉１０６が開放したタイミングで扉状態信号（扉開放信号）が払出制御部６００に送信され、開放していた前面枠扉１０６が閉鎖したタイミングで扉状態信号（扉閉鎖信号）が払出制御部６００に送信される。
【０２７７】
また、扉開放状態で電源投入した場合は、扉開放状態が検知されてから一定時間（例えば、払出制御部６００のタイマ割込処理の間隔（１００ｍｓ））経過しても扉の開放状態が継続している場合に扉開放信号を出力する。
【０２７８】
すなわちタイミングｔ６の時点で、主制御部３００において主制御部メイン処理が開始されていた場合は、前面枠扉開放センサ１０９からの扉状態信号が主制御部３００に入力される。一方、主制御部メイン処理が開始されていない場合は、扉状態信号が出力されない。従って、主制御部３００は、厳密には、最初の払出制御部６００のタイマ割込処理が実行されるまで、前面枠扉１０６の状態（開放／閉鎖）が不明な状態である。
【０２７９】
なお、前面枠扉開放センサ１０９と接続されている制御手段（ここでは、払出制御部６００）は、常に扉状態信号が前面枠扉開放センサ１０９から送信されている。
【０２８０】
タイミングｔ７において主制御部３００は、電源投入時の初期化動作完了後の主制御タイマ割込処理（図７）において、払出制御部６００が出力する払出コマンドを受信する。
【０２８１】
また、タイミングｔ８とタイミングｔ９において、主制御部３００は初期化ＦＢ信号を監視する（初期化ＦＢ信号を取得し、初期化信号と比較して両者が一致するかを監視する）。すなわち主制御部３００は、電源投入時の初期化動作完了後の払出コマンド受信中の主制御タイマ割込処理において、初期化ＦＢ信号を取得し（タイミングｔ８）、次の主制御タイマ割込処理（払出コマンドが非受信となる（立ち下がりの）タイミング）において初期化ＦＢ信号を取得する（タイミングｔ９）。
【０２８２】
また、払出コマンドの立ち下がりのタイミング（２回目の初期化ＦＢ信号の監視タイミングｔ９）で、前面枠扉開放センサ１０９からの信号（扉状態信号）を取得し、前面枠扉１０６の開放状態を監視する。つまり、主制御部３００は、主制御部タイマ割込処理（タイミングｔ９）において、扉状態信号と、初期化ＦＢ信号の両方を監視している。このようにすることで、ノイズの影響を受けにくくすることができる。
【０２８３】
なお、タイミングｔ７とタイミングｔ８において、主制御部３００は前面枠扉開放センサ１０９を監視してもよい。すなわち主制御部３００は、電源投入時の初期化動作完了後の主制御タイマ割込処理（図７）において、前面枠扉開放センサ１０９からの信号（扉状態信号）を取得し（タイミングｔ７）、次の主制御タイマ割込処理（図７）において前面枠扉開放センサ１０９からの信号（扉状態信号）を取得して（タイミングｔ８）前面枠扉１０６の開放状態を監視する。このように、所定の周期（主制御部タイマ割込処理の周期）で（連続して）２回、前面枠扉１０６の状態を監視することで、ノイズの影響を受けにくくすることができる。
【０２８４】
なお、前面枠扉１０６の状態の監視（前面枠扉開放センサ１０９からの信号（扉状態信号）の取得）は、１回のみであってもよいし、２回以上であってもよい。また、扉状態信号を取得する周期は、主制御部タイマ割込処理の周期に限らず、例えば、払出制御部６００から送信される払出コマンドの受信周期であってもよい。払出コマンドはここでは、タイミングｔ７からｔ９の期間、タイミングｔ１１からｔ１２の期間、およびタイミングｔ１４からｔ１５の期間に受信される。これらの場合、扉状態信号を取得する周期（前面枠扉１０６を監視する周期）は、一定周期（一定間隔）となるが、この周期がランダムなものであってもよい。
【０２８５】
また、初期化ＦＢ信号の取得も、１回のみであってもよいし、２回以上であってもよい。また、初期化ＦＢ信号の取得する周期は、主制御部タイマ割込処理の周期に限らず、例えば、払出制御部６００から送信される払出コマンドの受信周期であってもよい。これらの場合、初期化ＦＢ信号を取得する周期は、一定周期（一定間隔）となるが、この周期がランダムなものであってもよい。
【０２８６】
タイミングｔ９において、扉状態信号がＣＬＯＳＥ（扉閉鎖信号）と初期化ＦＢ信号を受信した場合、一定時間（例えば、一割込分の４ｍｓ）経過後のタイミングｔ１０において、主制御部３００は、初期化信号を広範囲磁気センサ７００に出力する。より詳細には、主制御部３００は扉状態信号と初期化ＦＢ信号の監視が終了した次の主制御部タイマ割込処理において、初期化信号を広範囲磁気センサ７００に出力する。つまり、扉状態信号と初期化ＦＢ信号の監視が終了したタイミング（ここではタイミングｔ９）から主制御部２００が初期化信号を広範囲磁気センサ７００に出力するタイミング（タイミングｔ１０）までの期間は、最大で主制御部３００のタイマ割込の周期分（本実施形態では４ｍｓ）である。出力された初期化信号は、初期化ＦＢ信号として主制御部３００に入力される。
【０２８７】
また、初期化信号が主制御部３００に出力される期間を含む次回の払出コマンド受信までの期間（タイミングｔ１０からタイミングｔ１２までの期間）に、主制御部３００は再び、扉状態信号と初期化ＦＢ信号を監視する。また、この期間（タイミングｔ１０からタイミングｔ１２までの期間）には、広範囲磁気センサ７００の動作は停止状態となる。
【０２８８】
タイミングｔ１２において、初期化信号の送信が完了すると（広範囲磁気センサ７００が初期化信号の受信を完了すると）、広範囲磁気センサ７００は、初期化処理を開始する。このタイミングで初期化信号および初期化ＦＢ信号はオフとなる。広範囲磁気センサ７００の初期化処理の期間を含む次回の払出コマンド受信までの期間（タイミングｔ１２からタイミングｔ１５までの期間）に、主制御部３００は再び、扉状態信号と初期化ＦＢ信号を監視する。
【０２８９】
タイミングｔ１５において、初期化処理が完了し、前面枠扉１０６が閉鎖状態となっている場合には、広範囲磁気センサ７００は磁気検出動作を実行する。
【０２９０】
本実施例では、電源投入後に広範囲磁気センサ７００が初期化処理を２回（電源投入時の初期化動作における初期化処理を含めて２回）実行した後は、ぱちんこ機１００の電源が遮断されるまで、広範囲磁気センサ７００の初期化処理を実行しない。
【０２９１】
なお、タイミングｔ１０において初期化信号を出力する条件が成立していても、例えばソレノイド３３２が動作している場合には、主制御部３００は初期化信号の出力を中止する。また、電源投入時の初期化動作が完了した後の、初期化処理中（タイミングｔ１２からｔ１３の初期化処理中）は、ソレノイド３３２の動作を禁止する期間であり、例えば、大当り中の電断および復電によりこの期間中にソレノイド３３２が動作を開始した場合には、実行中の初期化処理を中止し、再び主制御部３００による扉状態信号と初期化ＦＢ信号の監視（ここではタイミングｔ７以降）から処理を行う。
【０２９２】
また、本実施例では広範囲磁気センサ７００の電源投入状態となるタイミング（タイミングｔ２）がぱちんこ機１００の電源投入状態となるタイミング（タイミングｔ３）よりも早い場合を例に説明したが、これらのタイミングは同じであってもよく、広範囲磁気センサ７００の電源投入状態となるタイミング（タイミングｔ２）がぱちんこ機１００の電源投入状態となるタイミング（タイミングｔ３）よりも遅いものであってもよい。
【０２９３】
また、払出制御部６００から主制御部３００へは、常に扉状態信号が送信されている。また、広範囲磁気センサ７００は、電源投入時には外部から初期化信号が入力されることにより初期化処理を開始する。
【０２９４】
このように、本実施形態の広範囲磁気センサ７００は、前面枠扉１０６が閉じられたことを含む第二の条件が成立した場合に、例えば主制御部３００から初期化信号が入力されるものであり、初期化信号の入力によって、第一の値（しきい値）を記憶手段に記憶する。また、広範囲磁気センサ７００は、所定のタイミングで磁気を検出し、検出された磁気の値（第二の値）を、記憶手段に記憶されたしきい値と比較し、検出された磁気の値がしきい値を超えた場合（第一の条件が成立した場合）に制御部に磁気検出信号を出力する。
【０２９５】
＜タイミングチャートの実施例５＞
【０２９６】
図２５は、図２２に示す広範囲磁気センサに関する信号出力の実施例３における、タイミングチャートの他の例であり、広範囲磁気センサ７００の初期化処理中に前面枠扉１０６が開放された場合の処理の一例を示す。
【０２９７】
タイミングチャートの各ラベルは図２４の実施例４と同様であるので説明は省略する。また、タイミング０からタイミングｔ６'の電源投入時の初期動作期間の動作も図２４の実施例４と同様であるので説明は省略する。
【０２９８】
電源投入時の初期動作期間終了後のタイミングｔ７からｔ９の期間、タイミングｔ１１からｔ１２の期間、およびタイミングｔ１４からｔ１５の期間に主制御部３００において払出コマンドが受信される。主制御部３００は、払出コマンドの立ち下がりのタイミングｔ９、ｔ１２、ｔ１６（初期化ＦＢ信号の２回目の監視のタイミングと同じタイミング）でそれぞれ前面枠扉開放センサ１０９からの信号（扉状態信号）を取得し、前面枠扉１０６の状態を監視する。
【０２９９】
また、主制御部３００は、電源投入時の初期化動作完了後の主制御タイマ割込処理において、初期化ＦＢ信号を取得し（タイミングｔ８）、次の主制御タイマ割込処理において初期化ＦＢ信号を取得し（タイミングｔ９）して初期化ＦＢ信号を監視している。本実施例では、例えば払出コマンドの受信タイミングに合わせて、２回の主制御部タイマ割込処理による初期化ＦＢ信号の監視を行う。すなわち、タイミングｔ１１'、ｔ１２の２回の主制御部タイマ割込処理でそれぞれ初期化ＦＢ信号を監視し、タイミングｔ１５、ｔ１６の２回の主制御部タイマ割込処理でそれぞれ初期化ＦＢ信号を監視する。
【０３００】
そして、払出コマンドの受信中および払出コマンドの立ち下がり時（タイミングｔ８，ｔ９）に取得した２回の初期化ＦＢ信号がいずれもオフ（非入力）であり、タイミングｔ９で取得した扉状態信号が閉鎖状態を示す（ドアセンサがＣＬＯＳＥ、）場合には、広範囲磁気センサ７００に初期化信号（および初期化ＦＢ信号）を送信する（タイミングｔ１０）。
【０３０１】
また、払出コマンドの受信中および払出コマンドの立ち下がり時（タイミングｔ１１'，ｔ１２）に取得した２回の初期化ＦＢ信号がいずれもオン（入力）であり、タイミング１２で取得した扉状態信号が開放状態を示す（ドアセンサがＯＰＥＮ）場合には、主制御部３００は初期化信号の送信を中止し、広範囲磁気センサ７００の初期化処理を中止する。
【０３０２】
そして、次の払出コマンドの受信中および払出コマンドの立ち下がり時（タイミングｔ１５，ｔ１６）に取得した２回の初期化ＦＢ信号がいずれもオフ（非入力）であり、タイミングｔ１６で取得した扉状態信号が閉鎖状態（ドアセンサがＣＬＯＳＥ）である場合には、初期化信号（および初期化ＦＢ信号）を送信して広範囲磁気センサ７００の初期化処理を開始する（タイミングｔ１７）。
【０３０３】
このように、本実施例は、電源投入時の初期化動作が完了した後の広範囲磁気センサ７００の初期化処理の実行中に前面枠扉１０６が開放された場合には、広範囲磁気センサ７００の初期化処理を中止し、所定周期で（ここでは払出コマンドの受信タイミングに合わせて）扉状態信号と初期化ＦＢ信号の監視を繰り返し実行するリトライ動作を繰り返す。リトライ動作は、初期化動作が完了するまで繰り返し実行される。この例では、タイミング０からタイミングｔ６'が電源投入時の初期化動作期間であり、タイミングｔ６'からタイミングｔ１６までが前面枠扉１０６が閉鎖から開放されたことによる初期化処理の実行および中止動作期間であり、タイミングｔ１６以降がリトライ動作１回目の期間である。
【０３０４】
＜タイミングチャートの実施例６＞
【０３０５】
図２６は、図２２に示す広範囲磁気センサに関する信号出力の実施例３における、タイミングチャートの他の例であり、広範囲磁気センサ７００の初期化信号に異常があった場合の処理の一例を示す。
【０３０６】
タイミングチャートの各ラベルは図２４の実施例４と同様であるので説明は省略する。また、タイミング０からタイミングｔ６'の電源投入時の初期動作期間の動作も図２４の実施例４と同様であるので説明は省略する。また、この例では払出コマンドのタイミングチャートについては記載を省略している。
【０３０７】
電源投入時の初期動作期間が完了した後、主制御部３００は、２回の主制御部タイマ割込処理でそれぞれ初期化ＦＢ信号を監視する（初期化ＦＢ信号を取得し、初期化信号と比較する）が（タイミングｔ７、ｔ８）、この監視において初期化ＦＢ信号と初期化信号の状態（オン／オフ）の不一致が一定時間以上（例えば、８ｍｓ＝主制御部タイマ割込処理の２回分の期間）検知された場合は、主基板１５６（主基板ケース１５８）および中継基板（例えば第２中継基板７０４、図２３参照）を接続するコネクタの離脱またはハーネスの断線を報知するエラー報知を実行する。
【０３０８】
なお、ここでは初期化ＦＢ信号がオン（入力）であり、初期化信号がオフ（非入力）の場合を例示しているが、初期化ＦＢ信号がオフ（非入力）であり、初期化信号がオンＦ（入力）の場合も接続異常であるので、エラー報知を実行する。
【０３０９】
＜タイミングチャートの実施例７＞
【０３１０】
図２７は、図２２に示す広範囲磁気センサに関する信号出力の実施例３における、タイミングチャートの他の例であり、大当遊技中に電断および復電があった場合の処理の一例を示す。
【０３１１】
タイミングチャートの各ラベルは図２４の実施例４と同様であるので説明は省略する。また、タイミング０からタイミングｔ３の期間の動作も図２４の実施例４の同期間の動作と同様であるので説明は省略する。
【０３１２】
この例では、タイミングｔ４に先行する期間で大当たり遊技が実行されており、タイミングｔ４において主制御部３００の電断が発生している。電源は下降し、ＰＷ＿ＷＡＴＣＣＨ信号はオフとなり、広範囲磁気センサ７００は、本来は破線の如く動作（例えば磁気検出動作）の継続期間中であるが、動作を停止する。また、大当り遊技中に例えば、アタッカーＡの開閉動作など行っていたソレノイド３３２は、その動作を停止する。
【０３１３】
所定時間経過後（タイミングｔ６）で、再び電源が投入されると、電圧が徐々に上昇し、タイミングｔ７で電源の電圧供給（電圧上昇）が一定の割合（例えば、５割程度）となると、広範囲磁気センサ７００は電源投入状態となる。またタイミングｔ８で、電源の電圧供給（電圧上昇）が一定の割合（例えば、７割程度）となると、ぱちんこ機１００の電源投入状態となる。これにより、ＰＷ＿ＷＡＴＣＨはオン（Ｈレベル）となり、広範囲磁気センサ７００は電源投入状態となった主制御部３００から初期化信号を受信して初期化処理の実行を開始する。
【０３１４】
このタイミングｔ９からｔ１０'の期間の初期化処理は、図２４等に示す電源投入時の初期化動作期間の初期化処理と同様であり、前面枠扉１０６の開閉状態によらず（タイミングｔ４からタイミングｔ１２参照）実行され、タイミングｔ９で主制御部３００のユーザープログラムが実行を開始すると、主制御部３００からの初期化信号（および初期化ＦＢ信号）の送信が禁止される。
【０３１５】
タイミングｔ１０では、主制御部メイン処理が再び実行を開始し、タイミングｔ１１で電断前の状態に復帰する。すなわち、ソレノイド３３２が再び動作を開始し、アタッカーＡの開閉動作などが実行されて大当たり遊技が継続される。電断前の状態に復帰した後のタイミングｔ１２で主制御部３００からの初期化信号（および初期化ＦＢ信号）の送信禁止が解除される。タイミングｔ１４で払出コマンドを受信し、払出コマンド受信中の主制御部タイマ割込処理で初期化ＦＢ信号を監視し（タイミングｔ１５，ｔ１６）、２回目の初期化ＦＢ信号と同じタイミングｔ１６（払出コマンドが立ち下がるタイミングｔ１６）で主制御部３００は前面枠扉１０６の状態を監視する。そして前面枠扉１０６が閉鎖状態で、かつ初期化ＦＢ信号がオフ（非入力）の場合には、広範囲磁気センサ７００に初期化信号を出力して初期化処理を実行する（タイミングｔ１７）。
【０３１６】
図２８（ａ）は、大当り遊技の開始タイミングと終了タイミングを表したタイミングチャートである。この図２８（ａ）では、上から順番に、特別図柄変動中信号、条件装置作動信号、役物連続作動装置作動信号、特別電動役物開放信号、特別電動役物作動中信号、アタッカーＡ（例えば、第１可変入賞口２３４（又は第２可変入賞校２３５））、アタッカーソレノイド信号が示されている。
【０３１７】
特別図柄変動中信号、条件装置作動信号、役物連続作動装置作動信号、特別電動役物開放信号、特別電動役物作動中信号は、遊技規則から見た信号であり、特別図柄変動中信号がオンであれば、特別図柄表示装置が作動中であり、オフであれば非作動中（停止中）である。条件装置作動信号がオンであれば、アタッカーＡが作動中（開放動作中、開放状態維持中、閉鎖動作中、閉鎖状態維持中）であり、オフであれば非作動中（閉鎖中）である。また、役物連続作動装置作動信号がオンであれば、特別電動役物が複数回作動していることになる。特別電動役物開放信号は、特別電動役物の開放状態を維持させる信号である。特別電動役物作動中信号がオンであれば、アタッカーＡは、開放動作中、開放状態維持中、あるいは閉鎖動作中であり、オフであれば、アタッカーＡは閉鎖状態維持中である。なお、特別図柄変動中信号、条件装置作動信号、役物連続作動装置作動信号、特別電動役物開放信号、特別電動役物作動中信号は、外部装置（例えば、ホールコンピュータ）へ出力される信号である。
【０３１８】
図２８（ａ）に示す、アタッカーＡの「開放」とは、開放動作中あるいは開放状態維持中に相当し、アタッカーＡの「閉鎖」とは、閉鎖動作中あるいは閉鎖状態維持中に相当する。また、図２８（ａ）に示すアタッカーソレノイド信号は、アタッカーＡを開閉するソレノイドへ送信する、開放状態を維持させる信号である。図２８（ａ）中の矢印Ａは特図の停止図柄の確定表示時間に相当する。矢印Ｂは大当り遊技開始演出時間（大当り開始表示時間）に相当する。矢印ＣはアタッカーＡの閉鎖動作時間に相当する。矢印Ｄは大当り遊技終了演出時間（大当り終了表示時間）に相当する。矢印Ｅは特図の変動表示開始待ち時間に相当し、特図１又は特図２の保留がある場合は、この変動表示開始待ち時間経過後に特図の図柄変動が開始する（特別図柄変動中信号の点線部分参照）。
【０３１９】
大当り遊技の開始タイミングは、特図変動中信号がオフになったタイミングであってもよいし、条件装置作動信号がオンになったタイミングであってもよいし、役物連続作動装置作動信号がオンになったタイミングであってもよいし、特別電動役物開放信号が最初にオンになったタイミングであってもよいし、特別電動役物作動中信号が最初にオンになったタイミングであってもよいし、アタッカーＡが最初の開放を開始したタイミングであってもよいし、アタッカーソレノイド信号が最初にオンになったタイミングであってもよい。
【０３２０】
一方、大当り遊技の終了タイミングは、条件装置作動信号がオフになったタイミングであってもよいし、役物連続作動装置作動信号がオフになったタイミングであってもよいし、条件装置作動信号および／または役物連続作動装置作動信号がオンである場合において、最後に特別電動役物開放信号がオンからオフになったタイミングであってもよいし、条件装置作動信号および／または役物連続作動装置作動信号がオンである場合において、最後に特別電動役物作動中信号がオンからオフになったタイミングであってもよいし、条件装置作動信号および／または役物連続作動装置作動信号がオンである場合において、最後にアタッカーＡが「開放」から「閉鎖」になったタイミングであってもよいし、条件装置作動信号および／または役物連続作動装置作動信号がオンである場合において、最後にアタッカーソレノイド信号がオンからオフになったタイミングであってもよいし、条件装置作動信号および／または役物連続作動装置作動信号がオフになってから、変動待ち時間が経過したタイミングであってもよい。
【０３２１】
なお、矢印Ｂの期間終了後から矢印Ｃの期間開始前までのアタッカーＡの開閉動作中（大当り遊技中）は、広範囲磁気センサ７００の初期化処理を実行しないようにしてもよい。また、アタッカーＡの開閉動作終了時（大当り遊技終了時、矢印Ｃの開始時点）に初期化処理を実行するようにしてもよい。
【０３２２】
図２８（ｂ）は、同図（ａ）に１点鎖線で示した楕円で囲まれた部分を拡大して示した図である。特別電動役物開放信号がオフになっても、特別電動役物作動中信号はしばらくの間（ここでは矢印ａの期間）オン状態である。この矢印ａの期間でアタッカーＡは閉鎖動作を行うとともにアタッカーＡの開放終了演出（例えば、表示演出）が実行される。なお、矢印ａの期間は、アタッカーＡが閉鎖動作を行う期間のみであってもよい。特別電動役物作動中信号がオフ状態になってからオン状態になるまで、矢印ｂの期間が経過する。ラウンドとラウンドとの間に相当するラウンド間インターバルは、図２８（ｂ）に示す矢印ｂの期間であってもよいし、同図（ｂ）に示す矢印ａと矢印ｂを併せた期間であってもよい。
【０３２３】
なお、図２８に示すアタッカーＡの開放期間（開放状態維持期間）は、遊技球の進入が容易な期間（長期間）に相当し、以下、この期間のアタッカーＡの開放をパッカーと称することがある。一方、アタッカーＡの開放期間が、遊技球の進入が困難な期間（短期間）の場合もあり、以下、この期間のアタッカーＡの開放をパカと称することがある。
【０３２４】
一のラウンドの開始タイミングは、特別電動役物開放信号がオンとなった場合であってもよく、特別電動役物作動中信号がオンとなった場合であってもよく、アタッカーＡが開放されたばあいであってもよく、アタッカーソレノイド信号がオンとなった場合であってもよい。
【０３２５】
一のラウンドの終了タイミングは、特別電動役物開放信号がオフとなった場合であってもよく、特別電動役物作動中信号がオフとなった場合であってもよく、アタッカーＡが閉鎖された場合であってもよく、アタッカーソレノイド信号がオフとなった場合であってもよい。
【０３２６】
図２９は、アタッカーユニット８００および広範囲磁気センサ７００の配置を示す他の例である。遊技盤２００のほぼ中央付近に装飾図柄表示装置２０８が配置され、装飾図柄表示装置２０８の下方右側に、アタッカー８０２を備えるアタッカーユニット８００が配置される。アタッカーユニット８００の内部に、広範囲磁気センサ７００が埋め込まれている。
【０３２７】
図３０は、図２９に示すアタッカーユニット８００の一部を透視して示す正面図である。このアタッカーユニット８００は、構造物の動作（第１のアタッカー８０２、第２のアタッカーの開閉動作）によって特定領域（確変作動領域）８０８への進入の可否が振り分けられる。
【０３２８】
図３０（ａ）に示すように、アタッカーユニット８００は前面上方に設けられて遊技者に視認可能に開閉する扉部材８０２ａを備えたアタッカー（第１のアタッカー）８０２と、扉部材８０２ａを動作させるソレノイド３３２Ａと、第１のアタッカー８０２の下方内部で遊技者には視認不可に設けられシャッター式の扉部材８０４ａを有するアタッカー（第２のアタッカー）８０４と、扉部材８０４ａを動作させるソレノイド３３２Ｂと、第２のアタッカー８０４の左方下部に設けられた特定領域（確変作動領域８０８）への進入を可能または不可能にするシャッター８０６と、シャッター８０６を動作させるソレノイド３３２Ｃと、第２のアタッカー８０４に進入した遊技球を検知する球検出センサ３２０ａと、確変作動領域８０８に進入した遊技球を検知する球検出センサ３２０ｂと、第２のアタッカー８０４に進入したが確変作動領域８０８に進入しなかった遊技球を検知する球検出センサ３２０ｃとを有している。
【０３２９】
このアタッカーユニット８００は、特図表示装置（特図１表示装置２１２、特図２表示装置２１４）に予め定められた図柄の組合せが表示されると、第２のアタッカー８０４が開放し、遊技球が第２のアタッカー８０４内の確変作動領域８０８に進入した場合に条件装置（図２９参照）が作動し、役物連続作動装置（図２９参照）が作動する（すなわち大当り遊技が開始されるということができる）。このように、シャッター８０６の開放パターンで確変作動領域８０８への遊技球の進入の可否を分けている。
【０３３０】
ここでは一例として、装飾図柄の図柄組合せが確変大当りで確変作動領域８０８に進入可能となる大当りＡと、装飾図柄の図柄組合せが通常大当りで確変作動領域８０８に進入可能となる大当りＢと、装飾図柄の図柄組合せが通常大当りで確変作動領域に進入不可となる大当りＣがある場合について説明する。大当りＡの場合は、装飾図柄表示装置２０８に表示される装飾図柄によって確変大当りであることが報知されるとともに、特図表示装置（特図１表示装置２１２、特図２表示装置２１４）によって確変作動領域８０８への進入が可能であることが報知され、大当りＢの場合は、装飾図柄表示装置２０８に表示される装飾図柄によって通常大当りであることが報知されるとともに、特図表示装置（特図１表示装置２１２、特図２表示装置２１４）によって確変作動領域８０８への進入が可能であることが報知され、大当りＣの場合は、装飾図柄表示装置２０８に表示される装飾図柄によって通常大当りであることが報知されるとともに、特図表示装置（特図１表示装置２１２、特図２表示装置２１４）によって確変作動領域８０８への進入が不可であることが報知される。
【０３３１】
つまり、図柄毎に、第１のアタッカー８０２および第２のアタッカー８０４の開放パターンが決定されている。そして、大当り中の予め決められたラウンドで第２のアタッカー８０４が開放し、その奥にあるシャッター８０６が開放して遊技球が確変作動領域８０８へ進入することで、大当り終了後（図２８に示す役物連続作動装置が作動停止後）から確変機能の作動が開始する。
【０３３２】
一例を挙げて説明すると、大当りＡのアタッカーの開閉パターンが、１Ｒ〜１２Ｒおよび１４Ｒでは第１のアタッカー８０２が開閉動作し、１３Ｒおよび１５Ｒは第２のアタッカー８０４が開閉動作し、第２のアタッカー８０４が開放した後にシャッター８０６が開放するパターンである場合、大当りＡ中の１３Ｒおよび１５Ｒでは、第２のアタッカー８０４が開放し、シャッター８０６が開放する。そして遊技球が確変作動領域８０８に進入したことを球検出センサ３２０ｂが検出すると、大当りの終了後（役物連続作動装置が作動停止）から確変機能の作動が開始する。このように、アタッカー（第１のアタッカー８０２、第２のアタッカー８０４）およびシャッター８０６の開放パターンにより遊技球が確変作動領域８０８へ進入するか否かを分けているため、シャッター８０６が開放する大当り（上記の例では大当りＡ，Ｂ）であっても確変作動領域８０８に遊技球が進入しない（確変大当りにならない）場合もある一方で、確変作動領域８０８に進入不可な大当り（上記の例では大当りＣ）であっても、イレギュラーで確変作動領域８０８へ進入することもある。
【０３３３】
なお、第２のアタッカー８０４のシャッター８０４ａの開放が１Ｒに該当し、確変作動領域８０８への遊技球の進入があった場合に２Ｒ以降が開始される仕組みとなっていてもよい。
【０３３４】
このようなアタッカーユニット８００において、第１のアタッカー８０２を動作させるソレノイド３３２Ａ、第２のアタッカー８０４を動作させるソレノイド３３２Ｂおよびシャッター８０６を動作させるソレノイド３３２Ｃは、図３０（ｂ）に示す位置にそれぞれ配置されている。また、各ソレノイド３３２Ａ〜３３２Ｃは、太破線で示すように磁場ＭＦが形成されている。そして、本実施形態の広範囲磁気センサ７００は、各ソレノイド３３２Ａ〜３３２Ｃの磁場ＭＦに影響されない位置（この例では、アタッカーユニット８００の右上端部）に配置する。広範囲磁気センサ７００は、その下端面が水平方向に対して平行に配置されると最も好ましいが、下端面が水平方向に対して傾斜して配置されていてもよい。
【０３３５】
＜エラーの一例＞
【０３３６】
図３１は、本実施形態のぱちんこ機１００が報知するエラーの一例を示す表である。ぱちんこ機１００が報知するエラーは、磁気（磁石）検知エラー、スイッチ（センサ）未接続エラー、磁界（電波）エラー、スイッチ（センサ）レベル異常エラー、入賞率（一般入賞口、始動口２、大入賞口（アタッカー））異常エラーなどがある。
【０３３７】
磁気（磁石）検知エラーは、本実施形態の広範囲磁気センサ７００によって、磁気（磁石）を検知した際に発生するエラーである。スイッチ（センサ）未接続エラーはスイッチ（センサ）電源が供給されている状態で、盤面スイッチ（センサ）の未接続状態を検出した際に発生するエラーである。磁界（電波）検知エラーは、磁界（電波）検知センサにより、磁界（電波）を検知した際に発生するエラーである。スイッチ（センサ）レベル異常エラーは、デカ玉ゴトが疑われる場合に発生するエラーである。入賞率異常エラーのうち、一般入賞口のエラーは、一般入賞口への入賞数が異常値だった場合に発生するエラーであり、始動口２のエラーは、普通電動役物が未作動のときに遊技球が所定数検知された場合に発生するエラーであり、大入賞口のエラーは、大入賞口への入賞数が異常値だった場合に発生するエラーである。
【０３３８】
この例では、同図の表の最上段（磁気（磁石）検知エラー）は、主制御部３００が動作禁止（遊技不可）となるため最優先エラーであり、以下、最下段に向かって順次エラーの優先度が低くなるが、他のエラーが最優先エラーであってもよい。
【０３３９】
各エラーの発生条件、復帰条件、主制御部３００での検出時動作、主制御部３００の復帰時動作の詳細は、図３１に示す通りである。なお、大入賞口（アタッカー）の入賞率一条エラーの復帰条件の「当り終了表示期間の終了したとき」とは、大当りまたは小当りの終了表示期間が終了したときを意味し、図２８（ａ）に示す矢印Ｄの期間の終了後に該当する。図２８（ａ）は大当り遊技中の信号の状態を示しているが、小当りの場合も大当りの場合と同じタイマで管理しているのでタイミングは図２８（ａ）に示すものと同様となる。ただし、小当りの場合は条件装置作動信号、役物連続作動装置作動信号、特別電動役物開放信号および特別電動役物作動中信号はオフである。
【０３４０】
次に、図３２を用いて、払出制御マイコン７７０で検出可能なエラーについて説明する。図３２（ａ）は、払出制御マイコン７７０で検出可能なエラーの一例を示した図であり、図３２（ｂ）は、扉開放エラーの発生条件であるガラス枠開放エラーと内枠開放エラーの組み合わせを示した図である。なお、同図における「発射停止を停止する」とは、発射許可信号をオフにすることと同義である。
【０３４１】
上述のとおり、主制御部３００は、デバイス監視処理（ステップＳ２３２）で検出した各種デバイスのエラーを、払出制御部６００に出力可能であるため、払出制御マイコン７７０では、主制御部３００と同様に、下受け皿満タンエラー（下皿満タンエラー）、払出装置エラー、払出超過エラー、不正払出エラー、払出個数スイッチエラー、主制御通信エラー、ＣＲユニット未接続エラー、ＣＲユニット通信エラー、磁気異常エラー、外部クロック異常エラー、磁界異常エラー、スイッチレベル異常エラー、枠開放エラー（前面枠扉開放エラー）、スイッチ未接続エラー、衝撃センサエラーなどの検出が可能である。また、これらのエラーの他に、払出制御マイコン７７０では、主制御部３００からの通信確認コマンドが所定時間（本例では１０００ｍｓ）、受信できなかった場合の主制御通信エラーなども検出可能である。各エラーの発生条件、復帰条件、払出動作、発射動作は、同図（ａ）に示す通りである。
【０３４２】
また、同図（ｂ）には、ガラス枠開放エラー状態、内枠開放エラー状態および扉開放エラー状態の詳細を示す。
【０３４３】
なお、本実施形態の広範囲磁気センサ７００の検出結果に基づく磁気検知エラーと、図３１および図３２に示す他のエラーの関係は、以下の通りである。
【０３４４】
磁気検知エラーは、他のエラー（例えば、磁界（電波）検知エラー、スイッチ未接続エラー（主制御部が制御する装置のコネクタ抜けや断線に関するエラー）、衝撃異常エラー、払出制御通信エラー、スイッチレベル異常エラー、入賞率異常エラー…、扉開放エラー、上皿満タンエラー）よりも優先度が高いエラーであってもよいが、優先度が同じであってもよい。
【０３４５】
また、磁気検知エラーと例えば磁界検知エラーが同時に発生した場合において、出力条件を先に磁界検知エラーが満たす場合は、磁界検知エラー用の動作を実行した後に、磁気検知エラーの動作を実行するようにしてもよい。その場合装飾図柄表示装置２０８や、ランプ４１８、５３２，５４２、スピーカー１２０による報知が、磁界検知エラー用から磁気検知エラー用に報知を行う全ての装置（装飾図柄表示装置２０８、ランプ４１８、５３２，５４２、およびスピーカー１２０など）が切り替わる（データを上書きする）ようにしてもよく、一または複数の一部の装置のみ（例えば、スピーカー１２０）が上書きされ、他の一または複数の装置が磁界検知エラー用の報知を継続するようにしてもよい。
【０３４６】
＜遊技中の表示の一例＞
【０３４７】
図３３〜図３５は、一遊技中の装飾図柄表示装置２０８における表示の一例を時系列に示した図である。
【０３４８】
図３３（ａ）、（ｂ）を参照して、本実施形態の装飾図柄表示装置２０８は、左図柄表示領域２０８ａ、中図柄表示領域２０８ｂ、右図柄表示領域２０８ｃの下方の表示領域に、特図１の保留数を示唆する特図１保留アイコン表示領域９００および変動アイコン表示領域８００が設けられる。本実施例では、１つの特図１保留アイコン表示領域（保留アイコン表示領域）９００に、特図１変動遊技の最大保留数である４個の保留アイコンを表示可能であり、当該表示領域９００を第１領域９００ａ、第２領域９００ｂ、第３領域９００ｃ、第４領域９００ｄの４つの領域に大まかに分けている。第１領域９００ａ〜第４領域９００ｄは、それぞれ、特図１変動遊技の１番目〜４番目の保留順位に対応している。すなわち、第１領域９００ａには最先の（最も過去に記憶された）保留に対応する保留アイコンが表示可能となっており、同様に第２〜第４領域９００ｂ〜９００ｄには２〜４個目の保留に対応する保留アイコンがそれぞれ表示可能となっている。
【０３４９】
また、本実施形態では、右図柄表示領域２０８ｃの右側の表示領域に、特図２の保留数を示唆する特図２保留アイコン表示領域９０２が設けられる。特図２保留アイコン表示領域９０２は、特図１保留アイコン表示領域９００と同様に、特図２変動遊技の最大保留数である４個の保留アイコンを表示可能である。特図２保留アイコン表示領域９０２は、特図２の保留数が０の場合には非表示であり、特図２の保留が増加した場合に表示される。本実施形態の以下の説明においては、主に特図１の保留の増減に伴う各構成の状態の変化例（例えば、特図１保留アイコン表示領域９００の表示変化の一例）について説明するが、特図２の保留の増減があった場合も同様に表示させることができる。また、説明の便宜上、特図１保留アイコン表示領域９００を単に、保留アイコン表示領域９００と称する場合がある。
【０３５０】
また、本実施形態では、特図２保留アイコン表示領域９０２上方の表示領域に、特図１変動遊技中（特図１の変動中）であることを示唆するための特図１用第四図柄表示領域２０８ｅと、特図２変動遊技中（特図２の変動中）であることを示唆するための特図２用第四図柄表示領域２０８ｆと、普図変動遊技中（普図の変動中）であることを示唆するための普図用第四図柄表示領域２０８ｇと、を有している。特図１用第四図柄表示領域２０８ｅは、特図１変動遊技中は○の画像を消灯（または点滅表示）し、特図１変動遊技が停止した場合は、○の画像を点灯表示する。同様に、特図２用第四図柄表示領域２０８ｆは△の画像を、普図用第四図柄表示領域２０８ｇは◇の画像を、それぞれの変動遊技中は消灯（または点滅表示）し、変動遊技が停止した場合は点灯表示する。
【０３５１】
また、装飾図柄表示装置２０８の下方には、特図１表示装置２１２、特図２表示装置２１４および、普図表示装置２１０が設けられている。これらの表示装置の上方にはそれぞれ、特図１保留ランプ２１８、特図２保留ランプ２２０、普図保留ランプ２１６が設けられている。
【０３５２】
これらの構成は、別の構成であることを特に言及しない限り、第１０実施形態において同様である。
【０３５３】
図３３（ａ）に示すタイミングは、第１特図表示装置２１２の図柄変動表示が終了し、停止図柄が表示されている。また、特図１保留ランプ２１８は２個のＬＥＤを点灯し、特図１の保留が２個であることを報知している。特図２保留ランプ２２０と普図保留ランプ２１６のＬＥＤの点灯数はいずれも０であり、特図２および普図の保留がいずれも０であることを報知している。
【０３５４】
特図１用第四図柄表示領域２０８ｅ（および特図２用第四図柄表示領域２０８ｆ、普図用第四図柄表示領域２０８ｇ）は画像を点灯表示し、変動遊技が停止したことを報知している。装飾図柄表示装置２０８の図柄表示領域２０８ａ〜２０８ｃでははずれの装飾図柄の組み合わせである「装飾４−装飾１−装飾７」が停止表示されている。また、保留アイコン表示領域９００（第１領域９００ａおよび第２領域９００ｂ）には、それぞれ特図１の保留アイコンＰＩ１、ＰＩ２が示されている。
【０３５５】
同図（ａ）に示すタイミングは、保留アイコン表示領域９００の第１領域９００ａに、円形（球体）の保留アイコンＰＩ１が表示される。また、第２領域９００ｂに、円形の保留アイコンＰＩ２が表示される。
【０３５６】
次いで、同図（ｂ）に示すタイミングは、特図１の保留が１つ消化されて、特図１変動遊技の保留が２から１に減少し、第１特図表示装置２１２では図柄変動表示が開始され、特図１保留ランプ２１８は２個のＬＥＤのうち１個のＬＥＤを消灯、１個のＬＥＤを点灯し、特図１用第四図柄表示領域２０８ｅは、特図１変動遊技中は○の画像を消灯（または点滅表示）している状態を示している。
【０３５７】
同図（ｃ）に示すタイミングは、保留アイコン表示領域９００では、消化された保留に対応する第１領域９００ａの保留アイコンＰＩ１が変動アイコン表示領域８００に移動する保留・変動アイコン間の移動アニメーション（または、保留アイコンの消去アニメーション）と、第２領域９００ｂの保留アイコンＰＩ２が第１領域９００ａに移動する保留アイコンの移動アニメーションが実行されている状態を示している。具体的には、保留アイコンＰＩ１，ＰＩ２が右側に移動するアニメーションを実行している。
【０３５８】
同図（ｄ）に示すタイミングは、引き続き、保留・変動アイコン間の移動アニメーションと、保留アイコンの移動アニメーションが実行されている状態を示している。
【０３５９】
同図（ｅ）に示すタイミングは、保留・変動アイコン間の移動アニメーション、保留アイコンの移動アニメーションが完了した状態を示している。すなわち、変動アイコン表示領域８００において変動アイコンＣＩが表示され、保留アイコン表示領域９００の第１領域９００ａにおいて保留アイコンＰＩ１が表示され、第２領域９００ｂの保留アイコンＰＩ２が消去されている。
【０３６０】
同図（ｆ）に示すタイミングは、装飾図柄表示装置２０８の左図柄表示領域２０８ａ、中図柄表示領域２０８ｂ、右図柄表示領域２０８ｃにおいて、特図１の装飾図柄の変動表示が開始されている状態を示している。同図（ｂ）〜同図（ｆ）に示すように、本実施例では保留が消化された場合、先ず第１特図表示装置２１２では図柄変動表示が開始され、特図１保留ランプ２１８が消灯した後、特図１用第四図柄表示領域２０８ｅが、○の画像を消灯（または点滅表示）する。その後、保留アイコンＰＩが移動、変化、消去の各アニメーションを実行し、その後、図柄表示領域２０８ａ〜２０８ｃにおいて装飾図柄の図柄変動表示が開始される。しかしこの例に限らず、これらの状態変化は、順次実行される場合にはいずれが先であってもよく、どの順で実行されても（順序が入れ替わっても）よい。また少なくとも一部が同時に実行されてもよい。
【０３６１】
同図（ｇ）に示すタイミングは、チャンスボタン１３６の操作の受付期間が開始した状態を示しており、チャンスボタン１３６の操作に対応する第１の操作手段画像ＢＧ１（この例では、チャンスボタンを模した画像）を表示している。
【０３６２】
また、この第１の操作手段画像ＢＧ１の表示とほぼ同じタイミングで、チャンスボタン１３６の操作の受付期間の経過時間を報知するための第１の経過時間報知画像ＴＧ１を、第１の色（この例では、青色）で第１の操作手段画像ＢＧ１の下方に表示している。このタイミングは、チャンスボタン１３６の操作の受付期間開始時点であって、第１の経過時間報知画像ＴＧ１の全て（左端部から右端部まで）が第１の色で塗り潰されている。また、キャラクタ（殿）の画像も合わせて表示している。
【０３６３】
同図（ｈ）に示すタイミングは、チャンスボタン１３６の操作の受付期間開始から時間（例えば、受付期間である６秒より短い時間）が経過した状態を示しており、第１の経過時間報知画像ＴＧ１は、チャンスボタン１３６の操作の受付期間の経過時間に合わせてメーターの目盛りが徐々に少なくなっていく画像を表示する（第１の経過時間報知画像ＴＧ１の減少表示を実行する）。
【０３６４】
同図（ｉ）に示すタイミングは、チャンスボタン１３６の操作の受付期間の開始タイミングからさらに時間が経過する前（例えば、受付期間である６秒が経過する前）の状態において（同図（ｈ）のタイミングの後に）、チャンスボタン１３６の操作が行われた状態を示している。このタイミングでは、チャンスボタン１３６の操作が行われたことに基づき、第１の操作手段画像ＢＧ１と第１の経過時間報知画像ＴＧ１を消去した後に、予告演出に対応する画像７３０（この例では、「チャンスだ！」という文字表示と、キャラクタ画像（殿））を装飾図柄表示装置２０８の表示領域に表示している。なお、この予告演出は、チャンスボタン１３６の操作が行われずに操作の受付期間の開始タイミングから所定時間（６秒）が経過した場合に表示してもよい。また、本実施形態では予告演出を表示する場合を例に説明するが、他の演出表示であってもよい。
【０３６５】
同図（ｊ）、（ｋ）に示すタイミングは、チャンスボタン１３６の操作が行われたことを契機として、当否判定結果、変動時間および当選した予告演出に応じた演出を開始している状態であり、同図（ｊ）、（ｋ）では装飾図柄の変動表示におけるリーチ表示の一例を示している。
【０３６６】
同図（ｌ）に示すタイミングは、スーパーリーチの演出開始状態であり、装飾図柄表示装置２０８の表示領域全体を白色に変色させ（ホワイトバック）、装飾図柄の変動表示を装飾図柄表示装置２０８の表示領域の例えば右下方に小さく表示（装飾図柄の縮小表示）する。また、保留アイコン表示領域９００、変動アイコン表示領域８００、保留アイコンＰＩ、変動アイコンＣＩを非表示に（消去）している。なお、保留アイコン表示領域９００、変動アイコン表示領域８００、保留アイコンＰＩ、変動アイコンＣＩの消去タイミング、ホワイトバックになるタイミングおよび装飾図柄の縮小表示のタイミングは、順次実行される場合にはいずれが先であってもよく、どの順で実行されても（順序が入れ替わっても）よい。また少なくとも一部が同時に実行されてもよい。また、スーパーリーチ演出中も保留アイコン表示領域９００、変動アイコン表示領域８００、保留アイコンＰＩ、変動アイコンＣＩが表示されていてもよく、一部が非表示となっていてもよい。
【０３６７】
同図（ｍ）、同図（ｎ）、図３４（ｏ）〜図３４（ｑ）に示すタイミングは、スーパーリーチの演出として、例えば、剣豪キャラクタと剣で対決する剣豪リーチ演出を実行開始している状態である。ここでは一例として剣豪キャラクタと「ＶＳ剣豪」の文字を表示した後（図３３（ｍ））、キャラクタ（殿）と剣豪キャラクタの対決シーンを表示している（図３３（ｎ）〜図３４（ｑ））。
【０３６８】
図３４（ｑ）に示すタイミングは、キャラクタ（殿）が剣豪キャラクタに勝利したシーンを表示しており、同図（ｒ）では、装飾図柄の縮小表示で大当り（確変大当り）の図柄組合せ（例えば「装飾７−装飾７−装飾７」）の揺れ変動表示を行っている。
【０３６９】
同図（ｓ）に示すタイミングは、装飾図柄表示装置２０８の表示領域全体を白色に変色させ、同図（ｔ）に示すタイミングは、装飾図柄表示装置２０８の図柄表示領域２０８ａ〜２０８ｃに大当り（確変大当り）の図柄組合せ（例えば「装飾７−装飾７−装飾７」）を揺れ変動表示させた後、同図（ｕ）に示すタイミングで装飾図柄の停止表示を行っている。さらに、同図（ｖ）に示すタイミングでは、図柄表示領域２０８ａ〜２０８ｃの装飾図柄の停止表示を消去し、大当りの開始を報知する「確変大当り」の文字を表示している。
【０３７０】
図３４（ｔ）´〜同図（ｖ）´に示すタイミングは、図３３（ｋ）において、大当りのリーチ演出（装飾６のリーチ演出）が開始された場合の、図３４（ｓ）に続くタイミングである。このタイミングは、装飾図柄表示装置２０８の図柄表示領域２０８ａ〜２０８ｃに大当りの図柄組合せ（例えば「装飾６−装飾６−装飾６」）を揺れ変動表示させた後（同図（ｔ）´）、装飾図柄の停止表示を行い（同図（ｕ）´）、図柄表示領域２０８ａ〜２０８ｃの装飾図柄の停止表示を消去し、大当りの開始を報知する「大当り」の文字を表示している（同図（ｖ）´）。
【０３７１】
図３５は、剣豪リーチ演出ではずれとなった場合の表示例を示している。
【０３７２】
図３５（ａ）に示すタイミングは、図３４（ｐ）に続くタイミングであり、キャラクタ（殿）が剣豪キャラクタに負けたシーンを表示している。また、図３５（ｂ）では、装飾図柄の縮小表示ではずれの図柄組合せ（例えば「装飾７−装飾６−装飾７」）の揺れ変動表示を行い、同図（ｃ）に示すタイミングは、装飾図柄表示装置２０８の表示領域全体を白色に変色させている。
【０３７３】
同図（ｄ）に示すタイミングは、装飾図柄表示装置２０８の図柄表示領域２０８ａ〜２０８ｃにはずれの図柄組合せ（例えば「装飾７−装飾６−装飾７」）を揺れ変動表示させるとともに、保留アイコン表示領域９００に保留アイコンＰＩ１を再表示し、変動アイコン表示領域８００に変動アイコンＣＩを再表示した状態を示している。また、同図（ｅ）では、図柄表示領域２０８ａ〜２０８ｃにおいて装飾図柄の停止表示を行い、特図１用第四図柄表示領域２０８ｅにおいて○の画像を点灯表示する。
【０３７４】
同図（ｆ）、同図（ｇ）に示すタイミングは、変動アイコン表示領域８００において、当該特図変動遊技が終了して変動アイコンＣＩが消去されるときに実行される変動アイコンの消去アニメーションが実行された状態を示し、同図（ｈ）に示すタイミングは、変動アイコンの消去アニメーションが完了した状態を示している。
【０３７５】
このように本実施例では、特別図柄の変動停止後に変動アイコンＣＩが消去されているが、変動アイコンＣＩの消去タイミングは、他のタイミング（例えば、装飾図柄の停止表示後や装飾図柄の変動中など）であってもよい。また、変動アイコンＣＩは、変動アイコンの消去アニメーションではなく、１フレームで消去されるものであってもよい。
【０３７６】
＜エラー報知の一例／磁気検知エラーのみを報知する場合＞
【０３７７】
図３６は、図３３〜図３５に示す一遊技中に、磁気検知エラーのみが発生し装飾図柄表示装置２０８において磁気検知エラー報知を行う場合の表示例である。同図における「主：磁気検知ＯＦＦ」の記載は、広範囲磁気センサ７００から主制御部３００に入力される異常な磁気検出信号がない（主制御部３００で磁気検知されていない）ことを示し、「主：磁気検知ＯＮ」は異常な磁気検出信号がある（主制御部３００で磁気検知されている）ことを示す。
【０３７８】
図３６（ａ）は例えば、図３３（ｆ）に示すタイミングである。このタイミングは遊技者が前面枠扉１０６に磁石を近づける不正行為を開始した状態を示しており、主制御部３００では異常な磁気が未検出である。
【０３７９】
同図（ｂ）に示すタイミングは、遊技者が磁石による不正行為を継続している状態を示している。このタイミングでは、広範囲磁気センサ７００は異常な磁気を検出しているが、主制御部３００の磁気検知状態はオフ（異常なし）のままである。これは、広範囲磁気センサ７００において、ソレノイドキャンセル機能が実行される期間（例えば１００ｍｓ）、ソレノイドキャンセル機能の終了後に広範囲磁気センサ７００から主制御部３００への磁気検出信号が送信される時間、および主制御部タイマ割込処理の周期（例えば、４ｍｓ；磁気検出信号の監視タイミング）によって、広範囲磁気センサ７００における磁気検出からのタイムラグが発生しているためである。
【０３８０】
同図（ｃ）に示すタイミングは、主制御部３００が磁気検出信号を受信してから１００ｍｓ経過まで監視し、１００ｍｓ経過した後（図３１の磁気検知エラー発生条件参照）に異常な磁気であると検知してエラーコマンドを第１副制御部４００へ送信した状態を示している。
【０３８１】
同図（ｄ）に示すタイミングは、エラーコマンドを受信した第１副制御部４００が装飾図柄表示装置２０８に磁気（磁石）エラーの報知（「磁石を検知しました」の文字表示）を行っている状態を示している。このように同図（ｃ）で主制御部３００がエラーコマンドを送信してから第１副制御部４００で受信し、エラー報知を行うまでタイムラグが発生する場合がある。磁気（磁石）検知エラーの報知は、装飾図柄表示装置２０８による表示の他、ランプ４１８の点灯やスピーカ１２０からの音出力などでも行う。
【０３８２】
同図（ｅ）に示すタイミングは、不正行為を行う遊技者が磁石を前面枠扉１０６から離した状態を示す。同図に示すように、一度磁気（磁石）検知エラーの報知を行った場合は、磁石をぱちんこ機１００から離しても電源を遮断し、再投入しない限り、エラーは解除されない。
【０３８３】
なお、本実施例では、磁石検知エラーの発生中も装飾図柄表示装置２０８で装飾図柄の変動表示が継続して表示されている。磁石検知エラーは遊技停止状態となるエラーのため、主制御部３００から図柄停止コマンドが第１副制御部４００へ送られず、装飾図柄が停止表示されることはない。（例えば、一連の映像（リーチ演出や）を流した後、装飾図柄の仮停止表示となり、そのまま表示された状態となる）また、遊技停止状態となっているため、始動口へ入球した場合も主制御部３００への保留数の記憶がされず、保留増加アニメーションなどの保留増加表示も実行されない。
【０３８４】
同図（ｄ）´のように、磁気検知エラーが発生した場合は、装飾図柄表示装置２０８に表示されている演出表示（装飾図柄、第四図柄、保留アイコン等も含む）を消去し、例えば、背景をブルースクリーンにし「磁石を検知しました」の文字表示を表示するなどの磁石検知エラー用の表示が表示されるようにしてもよい。
【０３８５】
＜エラー報知の一例／磁気検知エラーと磁界検知エラーが同時に発生した場合＞
【０３８６】
図３７は、図３３〜図３５に示す一遊技中に、磁気検知エラーと磁界検知エラーが同時に発生し装飾図柄表示装置２０８においてこれらのエラー報知を行う場合の表示例である。同図における「主：磁界検知ＯＦＦ」の記載は、主制御部３００で異常な磁界を検知していないことを示し、「主：磁気検知ＯＮ」は異常な磁界を検知していることを示す。
【０３８７】
図３７（ａ）は例えば、図３３（ｆ）に示すタイミングである。このタイミングは遊技者が前面枠扉１０６に磁石と電波発生装置の両方を近づける不正行為を開始した状態を示しており、主制御部３００では異常な磁気および磁界は未検出である。
【０３８８】
同図（ｂ）に示すタイミングは、遊技者が不正行為を継続している状態を示している。このタイミングでは、広範囲磁気センサ７００は異常な磁気を検出しているが、主制御部３００の磁気検知状態および磁界検知状態はいずれもオフ（異常なし）のままである。これは、広範囲磁気センサ７００において、ソレノイドキャンセル機能が実行される期間（例えば１００ｍｓ）、ソレノイドキャンセル機能の終了後に広範囲磁気センサ７００から主制御部３００への磁気検出信号が送信される時間、および主制御部タイマ割込処理の周期（例えば、４ｍｓ；磁気検出信号の監視タイミング）によって、広範囲磁気センサ７００における磁気検出からのタイムラグが発生しているためである。また、同様に磁界の検知についても同様にタイムラグが発生する場合がある。
【０３８９】
同図（ｃ）に示すタイミングは、主制御部３００が磁気検出信号を受信してから１００ｍｓ経過まで監視し、１００ｍｓ経過後に磁気検知状態となり、また、主制御部３００が磁界検知信号を受信してから４ｍｓ経過まで監視し、４ｍｓ経過後に磁界検知状態となった場合を示している。この例では異常な磁気と磁界とが同時に主制御部３００によって検知された場合を例に示しているが、ここでも両者の検知にタイムラグが発生する場合がある。
【０３９０】
同図（ｄ）に示すタイミングは、磁気（磁石）エラーコマンドを受信した第１副制御部４００が装飾図柄表示装置２０８に磁気（磁石）エラーの報知（「磁石を検知しました」の文字表示）を行っている状態を示している。このように同図（ｃ）で主制御部３００がエラーコマンドを送信してから第１副制御部４００で受信し、エラー報知を行うまでタイムラグが発生する場合がある。磁気（磁石）エラーの発生条件（磁気検出信号がオン（主制御部３００で受信）してから４ｍｓ経過後）と、磁界（電波）エラーの発生条件（磁界検知信号がオン（主制御部３００で受信）してから４ｍｓ経過後）が同時に成立した場合は、同図（ｄ）〜（ｅ）のように磁石検知コマンドに基づき磁気（磁石）エラーを報知する。このように優先順位の異なるエラーが同時に発生した場合は、優先度の高いエラーのみを報知するようにしてもよい。磁気（磁石）検知エラーの報知は、装飾図柄表示装置２０８による表示の他、ランプ４１８の点灯やスピーカ１２０からの音出力などでも行う。
【０３９１】
また、これらのエラー報知は、不正行為を行う遊技者が磁石や電波発生装置を前面枠扉１０６から離したあとも電源を遮断し、再投入しない限り、エラーは解除されない。なお、本実施例では、電源を遮断し、再投入するのみでエラーが解除されるが、ＲＡＭクリアを行うＲＡＭクリアスイッチを操作しながら電源を投入しない限り、エラーが解除されないようにしてもよく、主制御部にエラー解除スイッチを備え、エラー解除スイッチを操作しながら電源を投入しない限り、エラーが解除されないようにしてもよい。なお、磁界検知エラーは、主制御部３００が第１副制御部４００にエラー解除に関するコマンドを送信した場合に解除されるが、磁気エラーで主制御部３００が動作を停止しているため、電源を遮断し再度投入しない限り両エラーは解除されない。
【０３９２】
また、磁気（磁石）が磁気センサに検知されたタイミングと電波が磁界センサに検知されたタイミングが同じタイミングであった場合、主制御部３００が磁気検出信号を受信するまでの時間と主制御部３００が磁界検知信号を受信するまでの時間が異なるため、磁気エラー発生条件と磁界エラーの発生条件が異なる場合がある。このような場合には、先に検知された磁界検知信号に基づく磁界検知エラーコマンドが先に第１副制御部４００に送信され、同図（ｄ）´のように先に送信された磁界検知エラーコマンドに基づき磁界検知エラーを報知する。同図（ｅ）´に示すタイミングは、後に検知された磁気検知信号に基づく磁気検知エラーコマンドが第１副制御部４００に送信され、これに基づき磁気検知エラーも合わせて報知している。磁気検知エラーの報知は、装飾図柄表示装置２０８による表示の他、ランプ４１８の点灯やスピーカ１２０からの音出力などでも行う。
【０３９３】
なお、同図（ｅ）、（ｅ）´は、（ｅ）´´のように磁気検知エラーのように優先度の高いエラーのみを報知するようにしてもよい。
【０３９４】
また、この例では装飾図柄表示装置２０８は磁気検知エラーと磁界検知エラーの両方のエラーを表示しているが、先に発生したエラーのみ表示でもよく、優先度の高いエラーのみ表示してもよい。またエラーを報知するランプ４１８の発光ランプパターンは、両エラーで共通のパターンでもよいし、異なるパターンでもよい。その場合は、先にエラーを報知している磁界検知エラーの発光パターンを、後から報知する優先度の高いエラー（磁気検知エラー）のランプパターンで上書きしてもよい。また、スピーカ１２０からの音声出力による報知は、磁界検知エラーの音声が出力され、その後に磁気検知エラーの音声が出力される。しかし、優先度の高いエラー（磁気検知エラー）のみ音声出力されてもよい。し、発生しているエラーの両方の音声が出力されてもよく、優先度に関係なく先にまたは後に発生したエラーの音声を出力してもよい。
【０３９５】
＜エラー報知の一例／磁界検知エラーの後に磁気検知エラーが発生した場合＞
【０３９６】
図３８は、図３３〜図３５に示す一遊技中に、磁界（電波）検知エラーが発生し、その後に磁気（磁石）検知エラーが発生し装飾図柄表示装置２０８においてこれらのエラー報知を行う場合の表示例である。
【０３９７】
図３８（ａ）は例えば、図３３（ｆ）に示すタイミングである。このタイミングは遊技者が前面枠扉１０６に電波発生装置を近づける不正行為を開始した状態を示しており、主制御部３００では異常な磁気および磁界は未検出である。
【０３９８】
同図（ｂ）に示すタイミングは、（ａ）に引き続き遊技者が不正行為を継続している状態を示している。このタイミングでは、磁石を近づける不正行為を開始し、広範囲磁気センサ７００は異常な磁気を検出した状態であるが、主制御部３００の磁気検知状態および磁界検知状態はいずれもオフ（異常なし）のままである（図３７（ｂ）と同様）。
【０３９９】
同図（ｃ）に示すタイミングは、主制御部３００が磁界検知信号を受信してから４ｍｓ経過まで監視し、４ｍｓ経過後に磁界検知状態となったが、磁気検知状態とはなっていない状態を示している。このタイミングでは主制御部３００は第１副制御部４００に磁界（電波）エラーコマンドを送信している。
【０４００】
同図（ｄ）に示すタイミングは、磁界（電波）エラーコマンドを受信した第１副制御部４００が装飾図柄表示装置２０８に磁界（電波）エラーの報知（「電波を検知しました」の文字表示）を行っている状態を示している。磁界（電波）検知エラーの報知は、装飾図柄表示装置２０８による表示の他、ランプ４１８の点灯やスピーカ１２０からの音出力などでも行う。またこのタイミングでは主制御部３００が磁気検知信号を受信してから１００ｍｓが経過し、磁気検知状態となっている。
【０４０１】
同図（ｅ）に示すタイミングは、磁気（磁石）エラーの発生条件（磁気検知信号がオン（主制御部３００で受信）してから１００ｍｓ経過後）が成立している（主制御部３００から第１副制御部４００に磁気検知エラーコマンドが送信されている）状態であり、磁界検知エラーの表示が非表示になり、磁気検知エラーの表示が開始されている。
【０４０２】
なお、先に報知された磁界検知エラーの報知が解除されるまで、磁気検知エラーの報知が待機されるようにしてもよい。あるいは磁気エラーの発生条件が成立しているが、主制御部３００から第１副制御部４００に磁気検知エラーコマンドの送信が待機されているものであってもよい。この場合、磁界検知エラーの報知が解除された後、磁気検知エラーの報知が実行される。また、これらのエラー報知は、不正行為を行う遊技者が磁石や電波発生装置を前面枠扉１０６から離したあとも電源を遮断し、再投入しない限り、エラーは解除されない。なお、磁界検知エラーは、主制御部３００が第１副制御部４００にエラー解除に関するコマンドを送信した場合に解除されるが、磁気検知エラーで主制御部３００が動作を停止しているため、電源を遮断し再度投入しない限り両エラーは解除されない。
【０４０３】
また、（ｅ）´´のように磁気検知エラーと磁界検知エラーの両方が表示されるようにしてもよい。
【０４０４】
また、優先度の低いエラー（磁界検知エラー）を報知中に優先度の高いエラー（磁気検知エラー）が発生した場合は、優先度の低いエラーのエラー情報を優先度の高いエラーのエラー情報で上書きして優先度の高いエラーを報知するものとしてもよい。
【０４０５】
以上、上記の実施形態では磁気（磁石）検知エラーの報知は第１副制御部４００が実行する場合を例に説明したが、第２副制御部５００が実行するようにしてもよい。
【０４０６】
以上説明したように、本発明にかかる遊技台（例えば、ぱちんこ機１００）は、扉体（例えば、前面枠扉１０６）と、出力手段（例えば、主制御部３００、前面枠扉開放センサ１０９、扉開放センサ１０９、内枠開放センサ）と、検出手段（例えば、広範囲磁気センサ７００）と、を備えた遊技台であって、前記検出手段は、該検出手段によって検出された磁気の強さによって、磁気検出信号を出力する場合がある手段であり、前記磁気の強さは、第一の値（例えば、しきい値）と第二の値により判定され、前記第二の値とは、前記検出手段によって検出された磁気の値のことであり、前記出力手段は、第一の条件の成立があった場合に、初期化信号を少なくとも出力する手段であり、前記第一の条件が成立する要件のうちの少なくとも一つの要件（以下、「第一の要件」という。）とは、前記扉体が閉鎖されたことを少なくとも含む要件のことであり、前記検出手段は、前記初期化信号が入力されることにより、前記磁気検出信号を出力可能な手段である、ことを特徴とする遊技台である。
【０４０７】
このような構成によれば、制御手段に特徴を持った遊技台を実現できる。
【０４０８】
また、磁場が安定した状態で磁気の強さを判定することで、誤検出を防ぎ、安定した制御を行うことができる場合がある。
【０４０９】
なお、出力手段は、初期化信号を検出手段に出力する手段であれば、制御手段でなくてもよい。
【０４１０】
また、検出手段は、磁気検出信号を主制御手段に出力する手段であってもよい。また、検出手段は、磁気検出信号を払出制御手段に出力する手段であってもよい。
【０４１１】
また、第一の条件が成立する要件とは、第一の要件のみのことであってもよく、第一の要件を含む複数の要件のことであってもよい。
【０４１２】
また、前記検出手段は、第二の条件の成立があった場合に、前記磁気検出信号を出力する手段であり、前記第二の条件が成立する要件とは、前記第二の値が前記第一の値よりも高いことを少なくとも含む要件である、ものとしてもよい。
【０４１３】
このような構成によれば、磁場が安定した状態で磁気の強さを判定することで、誤検出を防ぎ、安定した制御を行うことができる場合がある。
【０４１４】
また、前記検出手段は、前記初期化信号が入力されることにより、前記第一の値を記憶する手段であり、前記検出手段は、前記第一の値が記憶された後に、前記磁気検出信号を出力可能な手段である、ものとしてもよい。
【０４１５】
このような構成によれば、磁場が安定した状態で第一の値（例えば、しきい値）を記憶させることができるので、誤検出を防ぎ、安定した制御を行うことができる場合がある。
【０４１６】
また、可変入球手段（例えば、アタッカーＡ、第２可変入賞口２３４）を備え、前記可変入球手段は、ソレノイド（例えば、ソレノイド３３２）が少なくとも設けられた手段であり、前記ソレノイドが動作することにより、前記可変入球手段が第一の状態（例えば、扉部材２３４ａの閉鎖状態）から第二の状態（例えば、扉部材２３４ａの開放状態）のうちのいずれか一方から他方の状態へ変化可能であり、前記第二の状態とは、前記第一の状態よりも遊技球が前記可変入球手段の内部へ進入しやすい状態のことであり、前記第一の条件が成立する要件のうちの少なくとも一つの要件（以下、「第二の要件」という。）とは、前記可変入球手段の前記ソレノイドが動作していないことを含む要件である、ものとしてもよい。
【０４１７】
このような構成によれば、誤検出を防ぎ、安定した制御を行うことができる場合がある。また、不正を防止しつつも、遊技を進行させ、遊技者に違和感を与えないようにすることができる場合がある。
【０４１８】
また、電源手段（例えば、電源）を備え、前記第一の条件が成立する要件のうちの少なくとも一つの要件（以下、「第三の要件」という。）とは、前記電源手段の電源が投入されたことを少なくとも含む要件のことである、ものとしてもよい。
【０４１９】
このような構成によれば、電源投入後に磁場が安定した状態で磁気の強さを判定することで、誤検出を防ぎ、安定した制御を行うことができる場合がある。
【０４２０】
また、第二の検出手段（例えば、前面枠扉開放センサ１０９）を備え、前記検出手段とは、第一の検出手段（例えば、広範囲磁気センサ７００）のことであり、前記第二の検出手段は、前記扉体の開放があった場合に、扉開放信号を少なくとも出力する手段であり、前記第一の要件とは、前記扉開放信号が出力されていないことを少なくとも含む要件のことである、ものとしてもよい。
【０４２１】
この様な構成によれば、前面枠扉１０６が閉鎖された後の磁場が安定した状態で磁気の強さを判定することができ、誤検出を防ぎ、安定した制御を行うことができる場合がある。
【０４２２】
なお、第一の検出手段は、第二の検出手段と異なる検出手段であるが、第一の検出手段と第二の検出手段が同じ検出手段を示していてもよい。
【０４２３】
また、遊技盤（例えば、遊技盤２００）と、内枠（例えば、本体１０４）と、外枠（例えば、外枠１０２）と、を備え、前記内枠は、前記外枠に少なくとも収納されるものであり、前記遊技盤は、前記内枠に少なくとも収納されるものであり、前記第一の条件が成立する要件のうちの少なくとも一つの要件（以下、「第四の要件」という。）とは、前記内枠が前記外枠に収納された状態であることを少なくとも含む要件のことである、ものとしてもよい。
【０４２４】
なお、外枠は、島設備に固定されるものであってもよい。
【０４２５】
また、内枠は、外枠の一端側に設けられたヒンジに少なくとも取付可能なものであってもよい。
【０４２６】
また、前記扉体はヒンジに少なくとも取付可能なものであってもよい。
【０４２７】
また、内枠および外枠のいずれか一方は、内枠開放センサが設けられたものであってもよい。
【０４２８】
また、扉体および内枠のいずれか一方は、扉開放センサが設けられたものであってもよい。
【０４２９】
また、前記初期化信号が出力されている期間において、前記検出手段が前記磁気検出信号を出力しない、ものであってもよい。
【０４３０】
この様な構成によれば、磁場が安定した状態で磁気の強さを判定できるので、誤検出を防ぎ、安定した制御を行うことができる場合がある。
【０４３１】
また、前記遊技台は、ぱちんこ機（例えば、ぱちんこ機１００）であってもよい。
【０４３２】
また、本発明に係る遊技台（例えば、ぱちんこ機１００）は、扉体（例えば、前面枠扉１０６）と、出力手段（例えば、主制御部３００、扉開放センサ１０９、内枠開放センサ）と、検出手段（例えば、広範囲磁気センサ７００）と、複数の可動手段（例えば、アタッカーＡ、演出手段（例えば、演出可動体２２４などを含む演出装置２０６、スピーカ１２０、各種ランプ４１８など））と、を備えた遊技台であって、前記検出手段は、該検出手段によって検出された磁気の強さによって、磁気検出信号を出力する場合がある手段であり、前記磁気の強さは、第一の値（例えば、しきい値）と第二の値により判定され、前記第二の値とは、前記検出手段によって検出された磁気の値のことであり、前記出力手段は、第一の条件の成立があった場合に、初期化信号を少なくとも出力する手段であり、前記第一の条件が成立する要件のうちの少なくとも一つの要件（以下、「第一の要件」という。）とは、前記扉体が閉鎖されたことを少なくとも含む要件のことであり、前記検出手段は、前記初期化信号が入力されることにより、前記磁気検出信号を出力可能な手段であり、前記複数の可動手段のうちの一の可動手段（以下、「第一の可動手段」という。）が動作中であっても、前記出力手段による前記初期化信号の出力を継続する、ことを特徴とする遊技台である。
【０４３３】
この様な構成によれば、制御手段に特徴を持った遊技台を実現できる。
【０４３４】
また、可動手段の動作を初期化中もそのまま実行させることにより、遊技への復帰をスムーズに行い、遊技者に違和感を与えずそのまま遊技を継続させることができる場合がある。また、磁場が安定した状態で磁気の検出ができるため、誤検出を防ぎ、安定した制御を行うことができる場合がある。
【０４３５】
なお、可動手段は複数設けられていてもよい。ここで、可動手段は可変入球手段のことであってもよく、可変入球手段とは、電チューのことであってもよく、アタッカーのことであってもよく、特定領域（確変作動領域）用のアタッカーであってもよい。
【０４３６】
なお、可動手段は、演出手段のことであってもよい。ここで、演出手段とは、駆動手段（モーターやソレノイドなど）が設けられた手段のことであり、「駆動手段が設けられていない演出手段」は、本案件に記載の演出手段に含まれない。また、駆動手段は、ソレノイドのことのみを示していてもよいが、ソレノイドを含む他の駆動手段（モーターなど）のことを含めて駆動手段といってもよい。
【０４３７】
また、前記検出手段は、第二の条件の成立があった場合に、前記磁気検出信号を出力する手段であり、前記第二の条件が成立する要件とは、前記第二の値が前記第一の値よりも高いことを少なくとも含む要件である、ものとしてもよい。
【０４３８】
このような構成によれば、不正を防止しつつも、遊技を進行させ、遊技者に違和感を与えないようにすることができる場合がある。また、磁場が安定した状態で磁気の検出ができるため、誤検出を防ぎ、安定した制御を行うことができる場合がある。
【０４３９】
また、前記検出手段は、前記初期化信号が入力されることにより、前記第一の値を記憶する手段であり、前記検出手段は、前記第一の値が記憶された後に、前記磁気検出信号を出力可能な手段であってもよい。
【０４４０】
このような構成によれば、磁場が安定した状態で第一の値を記憶させることができるので、誤検出を防ぎ、安定した制御を行うことができる場合がある。
【０４４１】
また、第二の検出手段（例えば、前面枠扉開放センサ１０９）を備え、前記検出手段とは、第一の検出手段（例えば、広範囲磁気センサ７００）のことであり、前記第二の検出手段は、前記扉体の開放があった場合に、扉開放信号を少なくとも出力する手段であり、前記第一の要件とは、前記扉開放信号が出力されていないことを少なくとも含む要件のことである、ものとしてもよい。
【０４４２】
このような構成によれば、不正を防止しつつも、遊技を進行させ、遊技者に違和感を与えないようにすることができる場合がある。また、磁場が安定した状態で磁気の検出ができるため、誤検出を防ぎ、安定した制御を行うことができる場合がある。
【０４４３】
また、前記出力手段とは、制御手段（例えば、主制御部３００または副制御部）のことであり、前記複数の可動手段のうちの少なくとも一つは、第二の可動手段（例えば、第２特図始動口２３２）であり、前記第一の可動手段は、前記制御手段により制御される手段であり、前記第二の可動手段は、前記制御手段により制御される手段であり、前記第一の可動手段および前記第二の可動手段のうちの少なくとも一方が動作中であっても、前記制御手段による前記初期化信号の出力を継続する、ものであってもよい。
【０４４４】
このような構成によれば、第一の可動手段および第二の可動手段の少なくとも一方が動作を初期化中もそのまま実行させることにより、遊技者に違和感を与えずそのまま遊技を継続させることができる場合がある。
【０４４５】
なお、制御手段とは、第一の制御手段のことであってもよいが、第二の制御手段のことであってもよい。また、第一の制御手段は、主制御手段のことであってもよいが、副制御手段（サブ制御手段）のことであってもよい。また、副制御手段は、複数の制御手段から構成されているものであってもよい。また、第二の制御手段は、副制御手段のことであってもよいが、主制御手段のことであってもよい。
【０４４６】
また、第一の制御手段（例えば、主制御部３００）と、第二の制御手段（例えば、副制御部）と、を備え、前記複数の可動手段のうちの少なくとも一つは、第三の可動手段（例えば、遮蔽装置２４６または演出可動体２２４など）であり、前記制御手段とは、前記第一の制御手段および前記第二の制御手段のうちの少なくとも一方の制御手段のことであり、前記第一の可動手段は、前記第一の制御手段により制御される手段であり、前記第三の可動手段は、前記第二の制御手段により制御される手段であり、前記第一の可動手段および前記第三の可動手段のうちの少なくとも一方が動作中であっても、前記出力手段による前記初期化信号の出力を継続する、ものであってもよい。
【０４４７】
このような構成によれば、第一の可動手段および第三の可動手段の少なくとも一方が動作中であっても、初期化処理が実行されるので、遊技への復帰をスムーズに行い、遊技者に違和感を与えずそのまま遊技を継続させることができる場合がある。また、磁場が安定した状態で磁気の検出ができるので、誤検出を防ぎ、安定した制御を行うことができる場合がある。
【０４４８】
なお、第一の制御手段は、主制御手段のことであってもよいが、副制御手段（サブ制御手段）のことであってもよい。また、副制御手段は、複数の制御手段から構成されているものであってもよい。また、第三の制御手段は、副制御手段のことであってもよいが、主制御手段のことであってもよい。また第三の制御手段は、上記の第二の制御手段と同じ制御手段であってもよいし、異なる制御手段であってもよい。
【０４４９】
また、第一の制御手段（例えば、主制御部３００）と、第二の制御手段（例えば、副制御部）と、を備え、前記可動手段は、複数の可動手段を含み、前記複数の可動手段のうちの少なくとも一つは、前記第一の可動手段（例えば、アタッカーＡ）であり、前記複数の可動手段のうちの少なくとも一つは、第二の可動手段（例えば、遮蔽装置２４６または演出可動体２２４など）であり、前記出力手段とは、前記第一の制御手段および前記第二の制御手段のうちの少なくとも一方の制御手段のことであり、前記第一の可動手段は、前記第一の制御手段により制御される手段であり、前記第二の可動手段は、前記第二の制御手段により制御される手段であり、前記第一の可動手段および前記第二の可動手段のうちの少なくとも一方が動作中であっても、前記出力手段による前記初期化信号の出力を継続する、ものとしてもよい。
【０４５０】
このような構成によれば、第一の可動手段と第二の可動手段の少なくとも一方が動作中であっても、初期化処理が実行されるので、遊技への復帰をスムーズに行い、遊技者に違和感を与えずそのまま遊技を継続させることができる場合がある。磁場が安定した状態で磁気の検出ができるので、誤検出を防ぎ、安定した制御を行うことができる場合がある。また、遊技者に違和感を与えずそのまま遊技を継続させることができる場合がある。
【０４５１】
また、制御手段（例えば、主制御部３００または副制御部）を備え、前記出力手段とは、前記第二の検出手段（例えば、前面枠扉開放センサ１０９）のことであり、前記第一の可動手段は、前記制御手段により制御される手段である、ものとしてもよい。
【０４５２】
このような構成によれば、遊技者に違和感を与えずそのまま遊技を継続させることができる場合がある。また、磁場が安定した状態で磁気の検出ができるので、誤検出を防ぎ、安定した制御を行うことができる場合がある。
【０４５３】
また、前記可動手段の少なくとも一つは可変入球手段（例えば、アタッカーＡ）であり、前記可変入球手段は、ソレノイド（例えば、ソレノイド３３２）が少なくとも設けられた手段であり、前記ソレノイドが動作することにより、前記可変入球手段が第一の状態（例えば、扉部材２３４ａの閉鎖状態）から第二の状態（例えば、扉部材２３４ａの開放状態）のうちのいずれか一方から他方の状態へ変化可能であり、前記第二の状態とは、前記第一の状態よりも遊技球が前記可変入球手段の内部へ進入しやすい状態のことであり、前記第一の条件が成立する要件のうちの少なくとも一つの要件（以下、「第二の要件」という。）とは、前記可変入球手段の前記ソレノイドが動作していないことを含む要件である、ものとしてもよい。
【０４５４】
このような構成によれば、初期化処理中は可変入球手段のソレノイドの動作を停止できるので、ソレノイドの磁気の影響による誤検出を防ぎ、安定した制御を行うことができる場合がある。
【０４５５】
また、可変入球手段とは、電チューのことであってもよく、アタッカーのことであってもよく、特定領域（確変作動領域）用のアタッカーであってもよい。
【０４５６】
また、電源手段（例えば、電源）を備え、前記第一の条件が成立する要件のうちの少なくとも一つの要件（以下、「第三の要件」という。）とは、前記電源手段の電源が投入されたことを少なくとも含む要件のことである、ものとしてもよい。
【０４５７】
このような構成によれば、磁場が安定した状態で磁気の検出ができるので、誤検出を防ぎ、安定した制御を行うことができる場合がある。
【０４５８】
また、遊技盤（例えば、遊技盤２００）と、内枠（例えば、本体１０４）と、外枠（例えば、外枠１０２）と、を備え、前記内枠は、前記外枠に少なくとも収納されるものであり、前記遊技盤は、前記内枠に少なくとも収納されるものであり、前記第一の条件が成立する要件のうちの少なくとも一つの要件（以下、「第四の要件」という。）とは、前記内枠が前記外枠に収納された状態であることを少なくとも含む要件のことである、ものとしてもよい。
【０４５９】
このような構成によれば、磁場が安定した状態で磁気の検出ができるので、誤検出を防ぎ、安定した制御を行うことができる場合がある。
【０４６０】
また、前記初期化信号が出力されている期間において、前記検出手段が前記磁気検出信号を出力しない、ものとしてもよい。
【０４６１】
このような構成によれば、磁場が安定した状態で初期化を実行することで、誤検出を防ぎ、安定した制御を行うことができる場合がある。
【０４６２】
また、前記遊技台は、ぱちんこ機であってもよい。
また、本発明に係る遊技台（例えば、ぱちんこ機１００）は、扉体（例えば、前面枠扉１０６）と、制御手段（例えば、主制御部３００）と、第一の検出手段（例えば、広範囲磁気センサ７００）と、第二の検出手段（例えば、前面枠扉開放センサ１０９）と、を備えた遊技台であって、前記制御手段は、マイクロプロセッサ（例えば、ＣＰＵ３０４）を含む手段であり、前記第一の検出手段は、磁気を検出可能な手段であり、前記第一の検出手段は、検出した磁気の強さによって、磁気検出信号を出力する場合がある手段であり、前記第二の検出手段は、前記扉体の状態が閉鎖状態から開放状態に変化した場合に、前記制御手段に対する扉開放信号の出力を開始する手段であり、前記第二の検出手段は、前記扉体の状態が前記開放状態から前記閉鎖状態に変化した場合に、前記制御手段に対する前記扉開放信号の出力を終了する手段であり、前記制御手段は、前記扉開放信号を入力している状態から、該扉開放信号の出力が終了されたことにより該扉開放信号が入力されない状態に変化した場合に、前記扉体が閉鎖されたと判定するように構成されており、前記磁気の強さは、第一の値（例えば、しきい値）と第二の値（例えば、検出された磁気の値）により判定され、前記第一の検出手段は、前記第一の値を記憶可能な記憶手段（例えば、ＲＡＭなど）を備えた手段であり、前記第二の値とは、前記第一の検出手段によって検出された磁気の値のことであり、前記制御手段は、前記マイクロプロセッサがリセットされた場合に、初期化信号を前記第一の検出手段に対して出力する手段であり、前記第一の検出手段は、前記初期化信号が入力されることにより、前記第一の値を前記記憶手段に記憶する手段であり、前記第一の検出手段は、前記記憶手段に記憶されている前記第一の値よりも前記第二の値の方が高い場合に、前記磁気検出信号を出力可能な手段であり、前記制御手段は、前記扉体が閉鎖されたと判定した場合に、前記初期化信号を前記第一の検出手段に対して出力する手段である、ことを特徴とする遊技台である。
また、前記マイクロプロセッサは、制御プログラムに基づいた動作を実行するように構成されており、前記制御プログラムは、初期化処理のプログラムを含み、前記初期化処理は、前記マイクロプロセッサがリセットされたことを条件に実行されるように構成されており、前記初期化処理は、前記初期化信号の出力開始処理を含み、請求項１に記載の「前記マイクロプロセッサがリセットされた場合」とは、「前記初期化信号の出力開始処理が実行された場合」のことであってもよい。
また、前記第一の検出手段は、前記制御手段により出力される前記初期化信号を入力している期間（以下、「入力期間」という。）は、前記第一の値よりも前記第二の値の方が高い場合であっても、前記磁気検出信号を該制御手段に対して出力しない手段であり、前記第一の検出手段は、前記制御手段による前記初期化信号の出力が終了されたことにより前記入力期間が終了した後で、前記第一の値よりも前記第二の値の方が高い場合に、前記磁気検出信号を該制御手段に対して出力可能な手段であってもよい。
また、内枠（例えば、本体１０４）を備え、前記内枠は、外枠（例えば、外枠１０２）によって開閉可能に支持されるものであり、前記扉体とは、前記内枠のことであってもよい。
また、ガラス枠を備え、前記ガラス枠は、外枠によって開閉可能に支持される内枠によって、開閉可能に支持されるものであり、前記扉体とは、前記ガラス枠のことであってもよい。
また、前記遊技台は、ぱちんこ機であってもよい。
また、本発明に係る遊技台（例えば、ぱちんこ機１００）は、扉体（例えば、前面枠扉１０６）と、制御手段（例えば、主制御部３００）と、第一の検出手段（例えば、広範囲磁気センサ７００）と、第二の検出手段（例えば、前面枠扉開放センサ１０９）と、を備えた遊技台であって、前記制御手段は、マイクロプロセッサ（例えば、ＣＰＵ３０４）を含む手段であり、前記第一の検出手段は、磁気を検出可能な手段であり、前記第一の検出手段は、検出した磁気の強さによって、磁気検出信号を出力する場合がある手段であり、前記第二の検出手段は、前記扉体の状態が閉鎖状態から開放状態に変化した場合に、前記制御手段に対する扉開放信号の出力を開始する手段であり、前記第二の検出手段は、前記扉体の状態が前記開放状態から前記閉鎖状態に変化した場合に、前記制御手段に対する前記扉開放信号の出力を終了する手段であり、前記制御手段は、前記扉開放信号を入力している状態から、該扉開放信号の出力が終了されたことにより該扉開放信号が入力されない状態に変化した場合に、前記扉体が閉鎖されたと判定するように構成されており、前記磁気の強さは、第一の値（例えば、しきい値）と第二の値（例えば、検出された磁気の値）により判定され、前記第一の検出手段は、前記第一の値を記憶可能な記憶手段（例えば、ＲＡＭなど）を備えた手段であり、前記第二の値とは、前記第一の検出手段によって検出された磁気の値のことであり、前記制御手段は、前記マイクロプロセッサがリセットされた場合に、初期化信号を前記第一の検出手段に対して出力する手段であり、前記第一の検出手段は、前記初期化信号が入力されることにより、前記第一の値を前記記憶手段に記憶する手段であり、前記第一の検出手段は、前記記憶手段に記憶されている前記第一の値よりも前記第二の値の方が高い場合に、前記磁気検出信号を出力可能な手段であり、前記制御手段は、前記扉体が閉鎖されたと判定した場合に、前記初期化信号を前記第一の検出手段に対して出力する手段であり、前記制御手段は、前記第一の検出手段からの前記磁気検出信号の入力があったことを一つの条件として、磁気エラーと判定する手段であり、前記制御手段は、前記初期化信号の出力中に前記扉体が開放されたと判定した場合に、該初期化信号の出力を中止する手段であり、前記制御手段は、前記初期化信号の出力が中断された後で前記扉体が閉鎖されたと判定した場合に、該初期化信号を再度出力する、ことを特徴とする遊技台である。
また、前記マイクロプロセッサは、制御プログラムに基づいた動作を実行するように構成されており、前記制御プログラムは、初期化処理のプログラムを含み、前記初期化処理は、前記マイクロプロセッサがリセットされたことを条件に実行されるように構成されており、前記初期化処理は、前記初期化信号の出力開始処理を含み、請求項１に記載の「前記マイクロプロセッサがリセットされた場合」とは、「前記初期化信号の出力開始処理が実行された場合」のことであり、前記第一の検出手段は、電源投入時に自動的に前記初期化処理を実行する、ものであってもよい。
また、前記第一の検出手段は、前記制御手段により出力される前記初期化信号を入力している期間（以下、「入力期間」という。）は、前記第一の値よりも前記第二の値の方が高い場合であっても、前記磁気検出信号を該制御手段に対して出力しない手段であり、前記第一の検出手段は、前記制御手段による前記初期化信号の出力が終了されたことにより前記入力期間が終了した後で、前記第一の値よりも前記第二の値の方が高い場合に、前記磁気検出信号を該制御手段に対して出力可能な手段であり、前記制御手段は、前記磁気エラーと判定した場合に、他の制御手段（例えば、第１副制御部４００）に該磁気エラーがあったことを示すコマンド（例えば、エラーコマンド）を送信する、ものであってもよい。
また、内枠（例えば、本体１０４）を備え、前記内枠は、外枠（例えば、外枠１０２）によって開閉可能に支持されるものであり、前記扉体とは、前記内枠のことであってもよい。
また、ガラス枠を備え、前記ガラス枠は、外枠によって開閉可能に支持される内枠によって、開閉可能に支持されるものであり、前記扉体とは、前記ガラス枠のことであってもよい。
また、前記遊技台は、ぱちんこ機であり、前記第一の検出手段は、前記制御手段による前記初期化信号の出力中である場合に、前記磁気の検出動作を停止する手段であり、前記制御手段は、前記第一の検出手段によって前記磁気検出信号が入力された場合に、遊技を停止させる制御を少なくとも実行する手段であってもよい。
【０４６３】
なお、例えば、本発明に係る遊技台は、ぱちんこ機に限定されるものではなく、例えば、複数種類の図柄が施された複数のリールと、リールの回転を指示するためのスタートレバーと、各々のリールに対応して設けられ、リールの回転を個別に停止させるための停止ボタンと、複数種類の役の内部当選の当否を抽選により判定する抽選手段と、抽選手段の抽選結果に基づいてリールの回転の停止に関する停止制御を行うリール停止制御手段と、抽選手段の抽選結果に基づいて停止されたリールによって表示される図柄組合せが、内部当選した役に対応して予め定めた図柄組合せであるか否かの判定をする判定手段と、図柄の停止態様が所定の入賞態様である場合、所定の入賞態様に対応する遊技媒体を払出す遊技媒体払出処理を行う払出制御手段と、を備えたスロットマシンなどにも好適である。
【０４６４】
また、本発明に係る遊技台は、封入式遊技機に適用することもできる。ここで、「封入式遊技機」は、遊技機内に封入された遊技球を循環使用するものである。すなわち、ぱちんこ機は、球を封入し、封入した球をぱちんこ機内で循環させて使用する封入式ぱちんこ機であってもよく、この封入式ぱちんこ機は、封入した球を発射球として使用し、球の払出はクレジットによって実行されるものであってもよい。
【０４６５】
また、主制御部、第１副制御部、および第２副制御部をワンチップで構成してもよいし、主制御部と第１副制御部で双方向の通信が可能に構成してもよい。また、主制御部と第１副制御部で双方向の通信を可能とする一方で、第１副制御部から第２副制御部への通信は一方向の通信としてもよい。
【０４６６】
また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。
【産業上の利用可能性】
【０４６７】
本発明に係る遊技台は、回胴遊技機（スロットマシン）や弾球遊技機（ぱちんこ機）などに代表される遊技台に適用することができる。
【符号の説明】
【０４６８】
１００  ぱちんこ機
１０２  外枠
１０４  内枠
１２０  スピーカ
１５６  主制御基板
１６０  第１副制御基板
１７０  払出制御基板
１８２  電源基板
２０８  装飾図柄表示装置
２１２  第１特図表示装置
２１４  第２特図表示装置
２３０  第１特図始動口
２３２  第２特図始動口
３００  主制御部
３０４  ＣＰＵ
３０６  ＲＯＭ
３０８  ＲＡＭ
６００  払出制御部
７０８  ＲＡＭ
【要約】
【課題】遊技球の制御手段に特徴を持った遊技台を提供する。
【解決手段】遊技台は、扉体と、出力手段と、検出手段と、を備え、前記検出手段は、該検出手段によって検出された磁気の強さによって、磁気検出信号を出力する場合がある手段であり、前記磁気の強さは、第一の値と第二の値により判定され、前記第二の値とは、前記検出手段によって検出された磁気の値のことであり、前記出力手段は、第一の条件の成立があった場合に、初期化信号を少なくとも出力する手段であり、前記第一の条件が成立する要件のうちの少なくとも一つの要件（以下、「第一の要件」という。）とは、前記扉体が閉鎖されたことを少なくとも含む要件のことであり、前記検出手段は、前記初期化信号が入力されることにより、前記磁気検出信号を出力可能な手段である。
【選択図】図２４【図１】
0005761631.tif 000002
【図２】
0005761631.tif 000003
【図３】
0005761631.tif 000004
【図４】
0005761631.tif 000005
【図５】
0005761631.tif 000006
【図６】
0005761631.tif 000007
【図７】
0005761631.tif 000008
【図８】
0005761631.tif 000009
【図９】
0005761631.tif 000010
【図１０】
0005761631.tif 000011
【図１１】
0005761631.tif 000012
【図１２】
0005761631.tif 000013
【図１３】
0005761631.tif 000014
【図１４】
0005761631.tif 000015
【図１５】
0005761631.tif 000016
【図１６】
0005761631.tif 000017
【図１７】
0005761631.tif 000018
【図１８】
0005761631.tif 000019
【図１９】
0005761631.tif 000020
【図２０】
0005761631.tif 000021
【図２１】
0005761631.tif 000022
【図２２】
0005761631.tif 000023
【図２３】
0005761631.tif 000024
【図２４】
0005761631.tif 000025
【図２５】
0005761631.tif 000026
【図２６】
0005761631.tif 000027
【図２７】
0005761631.tif 000028
【図２８】
0005761631.tif 000029
【図２９】
0005761631.tif 000030
【図３０】
0005761631.tif 000031
【図３１】
0005761631.tif 000032
【図３２】
0005761631.tif 000033
【図３３】
0005761631.tif 000034
【図３４】
0005761631.tif 000035
【図３５】
0005761631.tif 000036
【図３６】
0005761631.tif 000037
【図３７】
0005761631.tif 000038
【図３８】
0005761631.tif 000039